(57)【要約】本発明は、Ｄ−マンノシルとＤ−ガラクトシルの平均残基比が少なくとも５対１である繰返し単位を有する、カチオン性修飾および両親媒性修飾したポリガラクトマンナンおよびこれを含有する組成物に関する。ガラクトマンナンのマンノシル残基およびガラクトシル残基上に位置するヒドロキシル基の水素原子の一部は、両親媒性置換基およびカチオン性置換基で置き換えられる。式（ＩＩ）に準ずる置換基を有するカシアポリガラクトマンナン骨格の両親媒性修飾により、未修飾のカチオン性カシアおよび他のカチオン性修飾多糖と比較した場合、配合におけるより良好な増粘プロフィルが与えられる。驚くことに、カチオン性誘導体化したカシアの両親媒性修飾により、コンディショニングに関してより良好な官能プロフィル、例えば、毛髪の湿潤櫛梳き性および乾燥櫛梳き性ならびに毛髪の湿潤感および乾燥感などが付与される。【特許請求の範囲】
【請求項１】
マンノースとガラクトースの平均比が少なくとも５：１であるカチオン性修飾および両親媒性修飾したガラクトマンナンであって、前記ガラクトマンナン上に存在するヒドロキシル基の水素原子の一部が、以下の通り、式（Ｉ）で表される少なくとも１つのカチオン性部分および式（ＩＩ）で表される少なくとも１つの両親媒性部分で置換されている、カチオン性修飾および両親媒性修飾したガラクトマンナン：
【化２３】
2014523456.tif 000030
（式中、Ａは、独立して、二価の、直鎖または分枝の、置換または非置換のＣ１〜Ｃ６アルキレン基から選択され、置換されている場合、前記置換基は、独立して、ヒドロキシルおよびハロから選択され、Ｒは、独立して、−Ｓ＋Ｒ３Ｒ４Ｘ−、−Ｎ＋Ｒ３Ｒ４Ｒ５Ｘ−、および−Ｐ＋Ｒ３Ｒ４Ｒ５Ｘ−（式中、Ｒ３およびＲ４、ならびにＲ５は、独立して、水素、ならびに直鎖および分枝のＣ１〜Ｃ２４アルキルから選択され、Ｘ−はアニオンを表す）から選択され、（Ｒ１−Ｏ）ｃは、オキシアルキレン単位のホモポリマー、ランダムコポリマーまたはブロックコポリマーとして配置されたオキシアルキレン部分またはポリオキシアルキレン部分を表し、Ｒ１は、独立して、直鎖および分枝のＣ２Ｈ４、Ｃ３Ｈ６、およびＣ４Ｈ８の二価のアルキレン基から選択され、ｃは、約１〜約２５０の範囲の整数であり、Ｒ２は、独立して、約６〜約３５個の炭素原子を有する炭化水素基から選択され、ａは０または１であり、ｂは０または１であるが、ただし、ａが０である場合、ｂもまた０であることを条件とする）。
【請求項２】
前記二価のアルキレン基Ａが、式：
【化２４】
2014523456.tif 000031
で表される、請求項１に記載のカチオン性修飾および両親媒性修飾したガラクトマンナン。
【請求項３】
Ｒ２が、約８〜約３０個の炭素原子を有する、環状、または飽和もしくは不飽和の、直鎖もしくは分枝の炭化水素基から選択され、ｃが、約２〜約２５０の範囲の整数である、請求項１に記載のカチオン性修飾および両親媒性修飾したガラクトマンナン。
【請求項４】
前記炭化水素基Ｒ２が、シクロアルキル、直鎖または分枝のアルキル、シクロアルケニル、直鎖または分枝のアルケニル、アリール、アルキルアリール、アルケニルアリール、およびこれらの組合せから選択され、ｃが、約２〜約１５０の範囲の整数である、請求項３に記載のカチオン性修飾および両親媒性修飾したガラクトマンナン。
【請求項５】
前記炭化水素基Ｒ２が、置換または非置換のＣ６〜Ｃ８シクロアルキル、Ｃ６〜Ｃ８シクロアルケニル、直鎖または分枝のＣ６〜Ｃ３５アルキル、直鎖または分枝のＣ６〜Ｃ３５アルケニル、Ｃ６〜Ｃ１４アリール、（Ｃ１〜Ｃ２２）アルキル置換基で置換されている（Ｃ６〜Ｃ１０）アリール、（Ｃ３〜Ｃ２２）アルケニルで置換されている（Ｃ６〜Ｃ１０）アリール、およびこれらの組合せから選択され、（Ｒ１−Ｏ）ｃが、オキシアルキレン単位のホモポリマー、ランダムコポリマーまたはブロックコポリマーとして配置されたポリオキシアルキレン部分を表し、Ｒ１が、独立して、直鎖および分枝のＣ２Ｈ４、Ｃ３Ｈ６、およびＣ４Ｈ８の二価のアルキレン基から選択され、ｃが、約２〜約２５０の範囲の整数である、請求項１に記載のカチオン性修飾および両親媒性修飾したガラクトマンナン。
【請求項６】
−ＡＲが、構造：
【化２５】
2014523456.tif 000032
（式中、Ｒ３、Ｒ４、およびＲ５、およびＸは、すでに定義した通りである）で表される、請求項２に記載のカチオン性修飾および両親媒性修飾したガラクトマンナン。
【請求項７】
Ｘが、クロリドアニオン、ブロミドアニオン、ヨージドアニオン、スルフェートアニオン、メチルスルフェートアニオン、スルホネートアニオン、ニトレートアニオン、ホスフェートアニオン、およびアセテートアニオンから選択される、請求項６に記載のカチオン性修飾および両親媒性修飾したガラクトマンナン。
【請求項８】
ａ）請求項１から７のいずれかに記載のカチオン性修飾および両親媒性修飾したガラクトマンナンと、
ｂ）界面活性剤、ヘアおよびスキンコンディショニング剤、皮膚軟化剤、乳化剤、レオロジー改変剤、増粘剤、ビタミン、発毛促進剤、セルフタンニング剤、サンスクリーン、スキンライトナー、アンチエイジング化合物、しわ取り化合物、抗セルライト化合物、抗にきび化合物、フケ防止剤、抗炎症化合物、鎮痛剤、制汗剤、防臭剤、毛髪固定剤、微粒子、研磨剤、保湿剤、抗酸化剤、角質溶解剤、帯電防止剤、起泡力増進剤、ヒドロトロープ、溶解補助剤、キレート剤、抗菌剤、抗真菌剤、ｐＨ調整剤、キレート剤、緩衝剤、植物性薬品、毛染め剤、酸化剤、還元剤、ヘアブリーチおよびスキンブリーチ剤、顔料、う食予防剤、抗歯石剤、抗プラーク剤、溶媒ならびにこれらの組合せから選択される少なくとも１つの構成成分と
を含む組成物。
【請求項９】
ａ）請求項１から７のいずれかに記載のカチオン性修飾および両親媒性修飾したガラクトマンナンと、
ｂ）アニオン性界面活性剤、カチオン性界面活性剤、両性界面活性剤、非イオン性界面活性剤およびこれらの組合せから選択される界面活性剤と
を含む洗浄性組成物。
【請求項１０】
コンディショニング剤をさらに含む、請求項９に記載の洗浄性組成物。
【請求項１１】
前記コンディショニング剤が、シリコーン、有機コンディショニング油、天然および合成ワックス、カチオン性ポリマー、ならびにこれらの組合せから選択される、請求項１０に記載の洗浄性組成物。
【請求項１２】
前記シリコーンが、シリコーン流体、シリコーン油、カチオン性シリコーン、シリコーンガム、高屈折率シリコーン、シリコーン樹脂、乳化シリコーン、ジメチコンコポリオールおよびこれらの組合せから選択される、請求項１１に記載の洗浄性組成物。
【請求項１３】
前記カチオン性ポリマーが、クオタニウムアンモニウム化合物から選択される、請求項１１に記載の洗浄性組成物。
【請求項１４】
ａ）請求項１から７のいずれかに記載のカチオン性修飾および両親媒性修飾したガラクトマンナンと、
ｂ）レオロジー改変剤、界面活性剤、補助固定剤、溶媒、水、コンディショナー、噴霧剤、中和剤、芳香剤、芳香溶解剤、増粘剤、保存剤、乳化剤、皮膚軟化剤、湿潤剤、着色剤、ワックス、およびこれらの混合物から選択される構成成分と
を含む毛髪固定剤組成物。
【請求項１５】
前記コンディショナーが、シリコーン、カチオン性ポリマー、およびこれらの組合せから選択される、請求項１４に記載の毛髪固定剤組成物。
【請求項１６】
前記溶媒が、水、Ｃ１〜Ｃ６アルコール、ケトン、エーテル、およびこれらの組合せから選択される、請求項１４に記載の毛髪固定剤組成物。
【請求項１７】
前記カチオン性ポリマーが、ポリクオタニウム化合物である、請求項１５に記載の毛髪固定剤組成物。
【請求項１８】
前記噴霧剤が、プロパン、ブタン、イソブテン、ジメチルエーテル、１，１−ジフルオロエタン、二酸化炭素、およびこれらの混合物から選択される、請求項１４に記載の毛髪固定剤組成物。
【請求項１９】
前記カチオン性修飾および両親媒性修飾したガラクトマンナンのマンノースとガラクトースの平均比が、約５：１〜約４９：１の範囲である、請求項１から１８のいずれかに記載の組成物。
【請求項２０】
前記カチオン性修飾および両親媒性修飾したガラクトマンナンのマンノースとガラクトースの平均比が、約５：１〜約２５：１の範囲である、請求項１から１８のいずれかに記載の組成物。
【請求項２１】
前記カチオン性修飾および両親媒性修飾したガラクトマンナンのマンノースとガラクトースの平均比が、約５：１〜約１０：１の範囲である、請求項１から１８のいずれかに記載の組成物。
【請求項２２】
前記カチオン性修飾および両親媒性修飾したガラクトマンナンのマンノースとガラクトースの平均比が、約５：１から、６：１、７：１、８：１、９：１、およびこれらの混合である、請求項１から１８のいずれかに記載の組成物。
【請求項２３】
前記カチオン性修飾および両親媒性修飾したガラクトマンナン中のガラクトースの重量が、前記ガラクトマンナンの重量に基づき、約２重量％〜約１７重量％の範囲である、請求項１から１８のいずれかに記載の組成物。
【請求項２４】
カチオン性置換度が、約０．２５〜約２の範囲である、請求項１から１８のいずれかに記載の組成物。
【請求項２５】
カチオン性置換度が、約０．３〜約１．７５の範囲である、請求項１から１８のいずれかに記載の組成物。
【請求項２６】
カチオン性置換度が、約０．５〜約１．５の範囲である、請求項１から１８のいずれかに記載の組成物。
【請求項２７】
両親媒性置換度が、約０．００００１〜約１．２５の範囲である、請求項１から２６のいずれかに記載の組成物。
【請求項２８】
両親媒性置換度が、約０．０００１〜約１の範囲である、請求項１から２７のいずれかに記載の組成物。
【請求項２９】
両親媒性置換度が、約０．００１〜約０．７５の範囲である、請求項１から２８のいずれかに記載の組成物。
【請求項３０】
式（ＩＩ）のｃが、約２〜約１５０の範囲である、請求項１から２９のいずれかに記載の組成物。
【請求項３１】
式（ＩＩ）のｃが、約５〜約１００の範囲である、請求項１から３０のいずれかに記載の組成物。
【請求項３２】
式（ＩＩ）のｃが、約１０〜約５０の範囲である、請求項１から３１のいずれかに記載の組成物。
【請求項３３】
前記ガラクトマンナンが、Ｃａｓｓｉａ  ｔｏｒａ、Ｃａｓｓｉａ  ｏｂｔｕｓｉｆｏｌｉａ、およびこれらの混合物から選択される種の胚乳から得られる、請求項１から３２のいずれかに記載の組成物。
【発明の詳細な説明】
【技術分野】
【０００１】
本発明は、一般的に、ガラクトマンナン誘導体に関する。より具体的には、本発明は、植物Ｃａｓｓｉａ属から得られる種の内乳から得られる、カチオン性修飾および両親媒性修飾したガラクトマンナンポリマー、ならびにパーソナルケア、ヘルスケア、家庭用、施設用および工業用のケア組成物などにおけるこれらの使用に関する。本発明のカチオン性修飾および両親媒性修飾したカシアガラクトマンナンポリマーは、化学的および生理学的有効成分の効力、沈着および送達を強化するための沈着助剤、安定剤、乳化剤、拡散助剤および担体として有用である。さらに、このようなポリマーは、膜形成剤、毛髪固定剤、ヘアコンディショナー、およびスキンコンディショナーとしてパーソナルケア組成物における有効な構成成分として有用である。これらはまた、これらが含まれるパーソナルケア配合物の精神感覚的特性および審美的特性を改善するのに有用である。
【背景技術】
【０００２】
ガラクトマンナンは、マメ科植物、例えば、Ｃｙａｍｏｐｓｉｓ  ｔｅｔｒａｇｏｎｏｌｏｂａ（グアーガム）、Ｃｅｓａｌｐｉｎｉａ  ｓｐｉｎｏｓａ（タラガム）、Ｃｅｒａｔｏｎｉａ  ｓｉｌｉｑｕａ（イナゴマメガム）、およびＬｅｇｕｍｉｎｏｓａｅ科の他のメンバーからの種の内乳物質中に見出される多糖の種類である。ガラクトマンナンは、１→４−連結されたβ−Ｄ−マンノピラノシル主鎖単位（本明細書中ではマンノシド単位または残基とも命名されている）の骨格から構成され、これらの単位は、反復する１→６−連結されたα−Ｄ−ガラクトシル側基（本明細書中ではガラクトシド単位または残基とも命名されている）を備え、これらの側基は、ポリマー骨格内のマンノピラノース残基の６番の炭素原子から分枝している。異なるＬｅｇｕｍｉｎｏｓａｅ種のガラクトマンナンポリマーは、ポリマンノシド骨格から分枝しているガラクトシド側鎖単位の出現頻度が互いに異なる。マンノシドおよびガラクトシド単位は、本明細書中ではグリコシド単位または残基と総合して呼ぶ。グアーガムに含有されているガラクトマンナン中のＤ−マンノシドとＤ−ガラクトシド単位の平均比は、約１．５または２：１であり、タラガムについては約３：１であり、およびイナゴマメガムについては約４：１である。ポリガラクトマンナンの別の重要な原料は、Ｃａｓｓｉａ  ｔｏｒａおよびＣａｓｓｉａ  ｏｂｔｕｓｉｆｏｌｉａ（カシアガムとして公知である）の種の内乳から単離する。カシアガムは、少なくとも５：１のマンノシル対Ｄ−ガラクトースの平均比を有する。例示的目的のため、カシアの種の内乳から得られるガラクトマンナンは、以下の構造で概略的に表すことができる：
【０００３】
【化１】
2014523456.tif 000002
（式中、ｎは、ポリマー内の繰返し単位の数を表す整数である）。本発明の実施に使用されるポリガラクトマンナンは通常、２００，０００〜５，０００，０００ダルトンの範囲内の重量平均分子量（Ｍｗ）を有する。多くの場合、ポリガラクトマンナンは、３００，０００〜２，０００，０００ダルトンの範囲内の重量平均分子量を有する。本発明の実施に使用されるガラクトマンナンが、４００，０００〜１，５００，０００ダルトンの範囲内である重量平均分子量を有することは一般的である。ガラクトマンナンの分子量は、当技術分野で公知の制御された分解手順を通して、変動し得る。
【０００４】
本発明の実施において出発物質として使用されている非誘導体化カシアガラクトマンナンは通常、１００，０００〜１，５００，０００ダルトンの範囲内の数平均分子量（Ｍｎ）を有する。多くの場合、ポリガラクトマンナンは、２００，０００〜１，０００，０００ダルトンの範囲内の数平均分子量を有する。本発明の実施に使用されるポリガラクトマンナンが、３００，０００〜８００，０００ダルトンの範囲内の数平均分子量を有することは一般的である。
【０００５】
ガラクトマンナンは、水に対して高親和性を有する親水コロイドである。これらは、食品、コーティング、パーソナルケア組成物から油井破砕流体まで、多様な用途において、増粘剤、乳化剤、およびゲル化剤として広く使用されている。これらポリマーの使用は、大きな成功を収めているものの、これらの天然の形態で使用されるガラクトマンナンは、水溶性の観点からいくつかの欠点に悩まされている。無置換のポリマンノース骨格は水に完全に不溶である。ポリマンノース骨格の反復マンノース残基内のＣ−６原子へのガラクトース側鎖単位の付加は、特に冷水（すなわち、周辺温度以下）においてポリマーの水溶性を増加させる。ガラクトース側鎖単位の置換が大きいほど、ポリガラクトマンナンの冷水溶解性が大きくなる。したがって、ポリガラクトマンナン中のＤ−マンノシルとＤ−ガラクトシル単位の比が低いほど、より良好な冷水溶解性をもたらす。例えば，グアーガムに含有されているポリガラクトマンナン（Ｄ−マンノシルとＤ−ガラクトシルの平均比は、２：１）は、主に冷水に溶解性であるが、カシアガムから得られるポリガラクトマンナン（Ｄ−マンノシルとＤ−ガラクトシルの平均比は少なくとも５：１）は、冷水および温水に難溶性となってしまう。
【０００６】
Ｂａｙｅｒｌｅｉｎらの特許文献１は、中でも、ポリガラクトマンナンを化学的に修飾することにより、カシアガムに改善された冷水溶解性を与えることができることを開示している。カシアガムポリガラクトマンナンと所定の試薬との反応で、誘導体化したカシアが産出することが開示されている。例示的反応生成物には以下が含まれる：置換および非置換のアルキルエーテル、置換リン酸エステル、および置換第四級アンモニウム誘導体。化学的に修飾されたカシアガムポリガラクトマンナンに対する開示された使用には、布地プリントの用途、油井穿孔助剤、採鉱および爆発の用途が含まれる。
【０００７】
Ｕｔｚらの特許文献２は、Ｄ−マンノシルとＤ−ガラクトシル残基を、５対１の比で含有する繰返し単位を有するカシアガラクトマンナンポリマーを含むパーソナルケア組成物であって、マンノシルおよびガラクトシル残基上のペンダントヒドロキシ置換基上の水素基の一部が、式：−ＡＲ１（式中、Ａは、１〜６個の炭素原子を含有する置換または非置換のアルキレン基であり、Ｒ１は、−Ｎ＋（Ｒ３）３Ｘ−、−Ｓ＋（Ｒ３）２Ｘ−、および−Ｐ＋（Ｒ３）３Ｘ−（式中、Ｒ３は、独立して、置換および非置換のＣ１〜Ｃ２４アルキル、置換および非置換のベンジルならびに置換および非置換のフェニルを表し、Ｘは、オニウムカチオン上の電荷を均衡させる任意の適切なアニオンである）から独立して選択される基である）で表される基で置換されている組成物を開示している。
【０００８】
パーソナルケア、ヘルスケア、家庭用ケア、ならびに施設用および工業用ケアの用途において、水性系の中の有効成分および配合助剤の溶解特徴は、高い重要性がある。特許文献２で開示されているカチオン性誘導体化したカシアガラクトマンナンは、水性ベースの配合物に溶解性があるが、有用な特性を達成するために比較的高いカチオン性置換度が必要とされる。さらに、カチオン性誘導体化したカシアガラクトマンナンは、配合物中にレオロジー改変がいくらかあったとしても、ほとんどこれを与えない。広範囲な置換レベル全域にわたりカチオン性の持続性も示し、有意な水溶性および潜在的に改善された粘度を保持しながら、パーソナルケア、ヘルスケア、家庭用ケア、ならびに施設用および工業用ケアの用途に重要な他の特性を示す、カチオン性誘導体化したカシアガラクトマンナンを提供する必要性が存在する。さらに、パーソナルケアおよびヘルスケア用途において有意により良好な官能性能を付与する、カチオン性修飾および両親媒性修飾したガラクトマンナンポリマーに対する必要性が存在する。このようなガラクトマンナンは、従来の技術において今までに得たことのない、広範囲に及ぶ用途における有用性を有することになる。
【先行技術文献】
【特許文献】
【０００９】
【特許文献１】米国特許第４，７５３，６５９号明細書
【特許文献２】米国特許第７，２６２，１５７号明細書
【発明の概要】
【課題を解決するための手段】
【００１０】
本発明は、マンノースとガラクトースの平均比が少なくとも５：１であるカチオン性修飾および両親媒性修飾したガラクトマンナンであって、ガラクトマンナン上に存在するヒドロキシル基の水素原子の一部またはすべてが、独立して、以下の式（Ｉ）で表される少なくとも１つのカチオン性部分および式（ＩＩ）に記載のような少なくとも１つの両親媒性部分で置換されている、カチオン性修飾および両親媒性修飾したガラクトマンナンに関連する
【００１１】
【化２】
2014523456.tif 000003
（式中、Ａは、独立して、二価の、直鎖または分枝の、置換または非置換のＣ１〜Ｃ６アルキレン基から選択され、置換されている場合、前記置換基は、独立して、ヒドロキシルおよびハロから選択され、Ｒは、独立して、−Ｓ＋Ｒ３Ｒ４Ｘ−、−Ｎ＋Ｒ３Ｒ４Ｒ５Ｘ−、および−Ｐ＋Ｒ３Ｒ４Ｒ５Ｘ−（式中、Ｒ３およびＲ４、ならびにＲ５は、独立して、水素、ならびに直鎖および分枝のＣ１〜Ｃ２４アルキルから選択され、Ｘ−はアニオンを表す）から選択され、（Ｒ１−Ｏ）ｃは、オキシアルキレン単位のホモポリマー、ランダムコポリマーまたはブロックコポリマーとして配置されたオキシアルキレン部分またはポリオキシアルキレン部分を表し、Ｒ１は、独立して、直鎖および分枝のＣ２Ｈ４、Ｃ３Ｈ６、およびＣ４Ｈ８の二価のアルキレン基から選択され、ｃは、一態様では約１〜約２５０、別の態様では約２〜約２００、さらなる別の態様では約２〜約１５０、さらなる態様では約５〜約１００、またさらなる態様では約１０〜約５０の範囲の整数であり、Ｒ２は、独立して、約６〜約３５個の炭素原子を有する炭化水素基から選択され、ａは０または１であり、ｂは０または１であるが、ただし、ａが０である場合、ｂが０であることを条件とする）。
【００１２】
式（ＩＩ）に準ずる置換基を有するカシアポリガラクトマンナン骨格の両親媒性修飾により、未修飾のカチオン性カシアおよび他のカチオン性修飾多糖と比較した場合、配合におけるより良好な増粘プロフィルが与えられる。驚くことに、カチオン性誘導体化したカシアの両親媒性修飾により、コンディショニングに関してより良好な官能プロフィル、例えば、毛髪の湿潤櫛梳き性および乾燥櫛梳き性ならびに毛髪の湿潤感および乾燥感などが付与される。
【００１３】
本発明はまた、Ａ）上述されているカチオン性修飾および両親媒性修飾したガラクトマンナンと、Ｂ）界面活性剤、乳化剤、皮膚軟化剤、保湿剤、補助のヘアおよびスキンコンディショニング剤、補助の毛髪固定剤、補助の膜形成剤、皮膚保護剤（例えば、サンスクリーン剤）、結合剤、キレート剤、消毒剤、殺虫剤、殺真菌剤、防臭剤、害虫忌避剤、発香性物質、抗菌剤、抗真菌剤、抗生剤、フケ防止剤、研磨剤、接着剤、肌アンチエイジングおよびしわ取り剤、吸収剤、着色剤、防臭剤、制汗剤、湿潤剤、乳白剤および真珠光沢化剤、抗酸化剤、保存剤、噴霧剤、拡散剤、剥離剤、角質溶解剤、血液凝固剤、ビタミン、人工日焼け促進剤、ｐＨ調整剤、植物性薬品（ｂｉｏｂｏｔａｎｉｃａｌ）、毛染め剤、酸化剤、還元剤、スキンブリーチ剤、顔料、抗炎症剤、局所麻酔薬、芳香剤および芳香溶解剤、微粒子、微小研磨剤、研磨剤、およびこれらの組合せから選択される少なくとも１つの成分とを含むパーソナルケア組成物に関する。
【発明を実施するための形態】
【００１４】
本発明による例示的実施形態が記述される。本明細書中に記述されているこのような例示的実施形態の様々な修正、適応または変化形が、このように開示されているように、当業者に明らかとなろう。本発明の教示に依存し、これらの教示により技術が進歩する経路となるこのようなすべての修正、適応または変化形は、本発明の範囲および趣旨の範囲内であるとみなされることを理解されたい。
【００１５】
本発明のポリマーおよび組成物は、本明細書中に記載されている構成成分、エレメント、およびプロセスの概要説明を適切に含むこと、これらからなること、または基本的にこれらからなることができる。本明細書中で例示的に開示されている本発明は、具体的に本明細書中で開示されていない任意のエレメントの非存在下で適切に実施されてもよい。
【００１６】
他に述べられていない限り、本明細書中で表現されるすべての百分率、部、および比は、本発明の組成物全体の重量に基づく。
【００１７】
本発明の一実施形態では、カシア内乳中に含有されているポリガラクトマンナン中のＤ−マンノシルとＤ−ガラクトシル単位（Ｍ：Ｇ単位）の平均比は少なくとも５：１である。別の実施形態では、Ｍ：Ｇ単位の平均比は、約５：１〜約４９：１の範囲であり、一態様では、約５：１〜約３５：１の範囲であり、別の態様では、約５：１〜約２５：１の範囲であり、さらなる別の態様では、約５：１〜約１０：１の範囲であり、さらなる態様では、約５：１、約６：１、約７：１の範囲であり、または本発明の他の態様では約８：１の範囲である。別の実施形態において、上に記載のＭ：Ｇ比を包含するカシアガムは、Ｃａｓｓｉａ  ｔｏｒａ、Ｃａｓｓｉａ  ｏｂｔｕｓｉｆｏｌｉａの内乳、およびこれらの混合物から得られる。
【００１８】
別の実施形態では、カシアポリガラクトマンナン中に含有されているガラクトースの量は、ガラクトマンナン中に存在するマンノースおよびガラクトースの総量に基づき、少なくとも２重量％である。一態様では、ガラクトースの量は、約２重量％〜約１７重量％の範囲であり、別の態様では、約３重量％〜約１４重量％の範囲であり、さらなる別の態様では、約４重量％〜約１３重量％の範囲であり、さらなる態様では、約５重量％〜約１１重量％の範囲であり、すべての重量は、ガラクトマンナン中に存在するマンノースおよびガラクトースの総量に基づく。別の実施形態では、上に記載のガラクトース重量の範囲を包含するカシアガムは、Ｃａｓｓｉａ  ｔｏｒａ、Ｃａｓｓｉａ  ｏｂｔｕｓｉｆｏｌｉａの種の内乳、およびこれらの混合物から得られる。
【００１９】
一態様では、本発明は、上に記載のＭ：Ｇ比を包含するマンノースとガラクトースの平均比を有するカチオン性修飾および両親媒性修飾したガラクトマンナンであって、ガラクトマンナン上に存在するヒドロキシル基の水素原子の一部またはすべてが、以下の通り、式（Ｉ）で表される少なくとも１つのカチオン性部分および式（ＩＩ）で表される少なくとも１つの両親媒性部分で置換されている、カチオン性修飾および両親媒性修飾したガラクトマンナンに関連する：
【００２０】
【化３】
2014523456.tif 000004
（式中、Ａは、独立して、一態様では、二価の、直鎖または分枝の、置換または非置換のＣ１〜Ｃ６アルキレン基、別の態様では、二価の、直鎖または分枝の、置換または非置換のＣ１〜Ｃ５アルキレン基、さらなる別の態様では、二価の、直鎖または分枝の、置換または非置換のＣ１〜Ｃ４アルキレン基、さらなる態様では、二価の、直鎖または分枝の、置換または非置換のＣ１〜Ｃ３アルキレン基、またさらなる態様では、二価の、直鎖の、置換または非置換のＣ３アルキレン基から選択され、置換されている場合、前記置換基は、独立して、ヒドロキシルおよびハロ（例えば、クロロ、ブロモ、ヨード）から選択され、Ｒは、独立して、−Ｓ＋Ｒ３Ｒ４Ｘ−、−Ｎ＋Ｒ３Ｒ４Ｒ５Ｘ−、および−Ｐ＋Ｒ３Ｒ４Ｒ５Ｘ−（式中、Ｒ３およびＲ４、ならびにＲ５は、独立して、水素、ならびに直鎖および分枝のＣ１〜Ｃ２４アルキルから選択され、Ｘ−はアニオンを表す）から選択され、（Ｒ１−Ｏ）ｃは、オキシアルキレン単位のホモポリマー、ランダムコポリマーまたはブロックコポリマーとして配置されたポリオキシアルキレン部分を表し、Ｒ１は、独立して、直鎖および分枝のＣ２Ｈ４、Ｃ３Ｈ６、およびＣ４Ｈ８の二価のアルキレン基から選択され、ｃは、一態様では約１〜約２５０、別の態様では約２〜約２００、さらなる別の態様では約２〜約１５０、さらなる態様では約５〜約１００、またさらなる態様では約１０〜約５０の範囲の整数であり、Ｒ２は、独立して、約６〜約３５個の炭素原子を有する炭化水素基から選択され、ａは０または１であり、ｂは０または１であるが、ただし、ａが０である場合、ｂが０であることを条件とする）。
【００２１】
本発明の一態様では、Ｒ２は、１つの特徴の中に約６〜約３５個の炭素原子、別の特徴の中に約８〜約３０個の炭素原子、さらなる特徴の中に約１０〜約２４個の炭素原子、またさらなる特徴の中に約１２〜約２２個を含有する炭化水素基である。
【００２２】
別の態様では、Ｒ２は、飽和または不飽和の環式脂肪族基、飽和または不飽和の、直鎖または分枝の脂肪族基、および芳香族基から選択される炭化水素基を表し、この環式脂肪族および芳香族基は、ハロゲン（例えば、臭素、塩素、フッ素、ヨウ素）、ヒドロキシル、飽和または不飽和の、直鎖または分枝のＣ１〜Ｃ２２脂肪族基、Ｃ６〜Ｃ１０芳香族基、およびこれらの組合せから選択される置換基で場合によって置換されることができる。本発明のこの態様では、炭化水素基は、１つの特徴の中に、約６〜約３５個の炭素原子、別の特徴の中に約８〜約３０個の炭素原子、さらなる特徴の中に約１０〜約２４個の炭素原子、またさらなる特徴の中に約１２〜約２２個の炭素原子を含有する。
【００２３】
さらなる態様では、Ｒ２は、シクロアルキル、直鎖または分枝のアルキル、シクロアルケニル、直鎖または分枝のアルケニル、アリール、アルキルアリール、アルケニルアリール、およびこれらの組合せから選択される炭化水素基を表し、この炭化水素基は、１つの特徴の中に約６〜約３５個の炭素原子、別の特徴の中に約８〜約３０個の炭素原子、さらなる特徴の中に約１０〜約２４個の炭素原子、またさらなる特徴の中に約１２〜約２２個の炭素原子を含有する。
【００２４】
本発明のまたさらなる態様では、Ｒ２は、置換および非置換のＣ６〜Ｃ８シクロアルキル、置換および非置換のＣ６〜Ｃ８シクロアルケニル、直鎖または分枝のＣ６〜Ｃ３５アルキル、直鎖または分枝のＣ６〜Ｃ３５アルケニル、置換および非置換のＣ６〜Ｃ１４アリール、（Ｃ１〜Ｃ２２）アルキル（Ｃ６〜Ｃ１０）アリール（このアリール基は場合によって置換されている）、（Ｃ３〜Ｃ２２）アルケニル（Ｃ６〜Ｃ１０）アリール（このアリール基は場合によって置換されている）、およびこれらの組合せから選択される炭化水素基を表す。前述の脂環式および芳香族部分が置換されている場合、この置換基は、Ｃ１〜Ｃ２２アルキル、Ｃ２〜Ｃ２２アルケニル、ヒドロキシル、ハロ（例えば、ブロモ、クロロ、フルオロ、ヨード）、およびこれらの組合せから選択される。
【００２５】
一態様では、本発明の実施形態は、両親媒性修飾およびカチオン性修飾される（例えば、四級化される）ことによって、変動するカチオン性置換度を許容しながら、水性媒体における溶解性を維持するガラクトマンナン組成物に関する。理論的には、平均３つのヒドロキシル基が、ガラクトマンナンポリマー骨格内の各非置換グリコシド単位上に存在する。各グリコシド単位上のヒドロキシル基は、両親媒性部分およびカチオン性部分と、両親媒性誘導体化および／またはカチオン性誘導体化することができる。全置換度（ＤＳＴ）（カチオン性および両親媒性の両種の）は各グリコシド単位上の１つのヒドロキシル基が誘導体化した場合１．０であり、各グリコシド単位の平均で３つのヒドロキシル基が誘導体化した場合３．０である。全平均ＤＳ値は、これらの整数値の小数として示され、ガラクトマンナンが平均値を包含する全体数のＤＳ値を有するグリコシド単位で構成されることを意味する。
【００２６】
本発明の両親媒性修飾したカチオン性誘導体化カシアガラクトマンナンの水溶性の度合は、ガラクトマンナン分子の両親媒性部分、例えば、上記式（ＩＩ）で定義された両親媒性部分で提供されるものと、ガラクトマンナン分子のカチオン性部分、例えば、上記式（Ｉ）で定義された置換基により提供されるものとの間の均衡を表す。本発明のカシアガラクトマンナンの水溶性は、式（ＩＩ）に記述された両親媒性置換基の置換度（ＤＳＩＩ）に対して、式（Ｉ）で定義されたカチオン性置換基の置換度（ＤＳＩ）を増減させること、およびその逆を行うことによって合わせることができる。言い換えると、ＤＳＩおよびＤＳＩＩの置換レベルは、ガラクトマンナンの所望の溶解性および性能特徴に従い変動させることができる。（ＤＳＴ）と定義された全置換度は、（ＤＳＩ）と呼ばれる式（Ｉ）で定義されたカチオン性置換基の置換度と、（ＤＳＩＩ）と呼ばれる式（ＩＩ）で定義された両親媒性置換基の置換度の合計である。
【００２７】
式（Ｉ）で定義されたカチオン性置換基に対する置換度レベルまたはＤＳＩは、一態様では、約０．２５〜約２．０の範囲であり、別の態様では、約０．３〜約１．７５の範囲であり、さらなる別の態様では、約０．５〜約１．５の範囲であり、さらなる態様では、０．５より上〜約１．７５の範囲であり、またさらなる態様では、０．５１〜約１．０の範囲であり、本発明の別の態様では、０．６〜約０．７５の範囲である。個々の数値、または限界を組み合わせることによって、さらなる非開示および／または非提示の範囲を形成することができる。
【００２８】
式（ＩＩ）で定義された両親媒性置換基に対する置換度レベルまたはＤＳＩＩは、一態様では、約０．００００１〜約１．２５の範囲であり、別の態様では、約０．０００１〜約１．０の範囲であり、さらなる別の態様では、約０．００１〜約０．７５の範囲であり、さらなる態様では、約０．０１〜約０．５の範囲であり、本発明のまたさらなる態様では、約０．１〜約０．２５の範囲である。個々の数値、または限界を組み合わせることによって、さらなる非開示および／または非提示の範囲を形成することができる。
【００２９】
式（Ｉ）および（ＩＩ）を組み合わせた置換基に対する全平均置換度（ＤＳＴとして表される）は、ガラクトマンナン骨格内の構成物質グリコシド残基１単位当たり、本発明の一態様では約０．２５００１〜約３．０の範囲とすることができ、別の態様では、約０．５００５〜約２．０の範囲とすることができ、さらなる別の態様では、約０．５０１５〜約１．７５の範囲とすることができ、さらなる態様では、約０．５１１〜約１．５の範囲とすることができ、またさらなる態様では、約０．５２〜約１．２５の範囲とすることができ、別の態様では、約０．５５〜約１．０の範囲とすることができる。ここで、ならびに明細書および請求項の他の箇所において、個々の数値、または限界を組み合わせることによって、さらなる非開示および／または非提示の範囲を形成することができる。
【００３０】
本発明の一実施形態では、カシアガラクトマンナン上に存在するヒドロキシル基上に位置する水素原子の一部またはすべては、式（Ｉ）で独立して表される１つまたは複数のカチオン性置換基および式（ＩＩ）で独立して表される１つまたは複数の両親媒性置換基から選択される置換基で置換されており、（Ｒ１−Ｏ）ｃは、オキシアルキレン単位のホモポリマー、ランダムコポリマーまたはブロックコポリマーとして配置されたオキシアルキレン部分またはポリオキシアルキレン部分を表し、Ｒ１は、独立して、直鎖および分枝のＣ２Ｈ４、Ｃ３Ｈ６、およびＣ４Ｈ８の二価のアルキレン基から選択され、ｃは、一態様では約１〜約２５０、別の態様では約２〜約２００、さらなる別の態様では約２〜約１５０、さらなる態様では約５〜約１００、またさらなる態様では約１０〜約５０の範囲の整数であり、Ｒ２は、独立して、約６〜約３５個の炭素原子を有する炭化水素基から選択され、ａは０または１であり、ｂは０または１であるが、ただし、ａが０である場合、ｂが０であることを条件とする。
【００３１】
例示的目的のため、およびこれらに限定されないが、本実施形態は、以下の通り、式（ＩＩＩ）で概略的に表すことができる：
【００３２】
【化４】
2014523456.tif 000005
（式中、括弧でくくった部分は、独立して、カシアガラクトマンナンのグリコシド残基単位を表し、ＡＲ、Ａ、Ｒ１、ａ、ｂ、およびｃならびにＲ２は、すでに定義された通りである）。
【００３３】
式（ＩＩＩ）で概略的に描写されている実施形態は、例示的目的で開示され、本発明の範囲に対する限定として解釈されてはならない。すでに論じたように、平均３つのヒドロキシル置換部位を有する唯一のグリコシド残基単位が例示されている一方で、ガラクトマンナン骨格はまた、約４の潜在的ＤＳ（３つのヒドロキシル単位はガラクトシル環に直接結合し、第４のヒドロキシル単位はＣ−６炭素原子に付加している）を有する反復するガラクトシル側鎖単位も含有する。前述の略式は、高いＤＳ値を描写しているが（例えば、１つの繰返し単位当たり２または３）、これは例示的目的のためのみであり、上で論じたように、実際のＤＳ値は、潜在的置換部位としてガラクトマンナン骨格上に含有されるヒドロキシル基のすべてを表す（１つのグリコシド単位当たりの）平均値であることを理解すべきである。さらに、上記略式の中で、Ｃ−６炭素原子に付加しているメチレン基ならびにガラクトマンナン骨格内の繰返し単位間のグリコシドの連結は示されていないことを指摘する。
【００３４】
両親媒性誘導は、両親媒性剤を利用して行うことができ、カチオン性誘導（カチオン化）は、四級化剤などのカチオン化剤の利用を介して遂行することができる。さらに、１つまたは複数の両親媒性誘導体化剤または四級化剤を組み合わせることによって、合成ステップの数を減少させ、またはカシアガラクトマンナン骨格上の様々な両親媒性置換基およびカチオン性置換基の異なる均衡を達成することができる。本発明のカチオン性修飾および両親媒性修飾したカシアガラクトマンナンは、以下により調製することができる：（１）両親媒性誘導体化、これに続くカチオン化、（２）カチオン化、これに続く両親媒性誘導体化、（３）両親媒性誘導体化およびカチオン化を同時に行う、（４）連続的な一連の両親媒性誘導体化ステップ、これに続く連続的な一連のカチオン化ステップ、（５）連続的な一連のカチオン化ステップ、これに続く連続的な一連の両親媒性誘導体化ステップ、（６）両親媒性誘導体化およびカチオン化ステップを交互に行う、ならびに（７）または前述の手順の任意の変化形。
【００３５】
本発明の一実施形態では、両親媒性誘導体化は、カシアガラクトマンナン骨格上に存在するペンダントヒドロキシル基またはその誘導体を両親媒性剤と反応させることを伴う。一態様では、両親媒性剤は、Ｎａｇａｓｅ  ＣｈｅｍｔｅＸ  Ｃｏｒｐｏｒａｔｉｏｎから入手可能なＤｅｎａｃｏｌ  １４５（フェノール（ＥＯ）５グリシジルエーテル）、Ｄｅｎａｃｏｌ  １７１（ラウリルアルコールＥＯ１５グリシジルエーテル）など、およびこれらの混合物から選択することができる。本実施形態では、カシアガラクトマンナンは、適切な溶媒中に、および酸性または塩基性触媒の存在下で、溶解、分散、またはスラリー化する。この反応に対して適切な触媒は、当技術分野で周知であり、例えば、無機アルカリ、例えば、アルカリ金属酸化物およびアルカリ金属水酸化物、例えば、水酸化ナトリウム、水酸化カリウム、水酸化カルシウム、ナトリウムメトキシド、水素化ホウ素ナトリウム；プロトン酸およびルイス酸、例えば、三フッ化ホウ素、塩化第二スズおよび硫酸などが挙げられる。アミン、第四級アンモニウム化合物、このタイプの反応に対して当技術分野で公知の他の酸もまた採用することができる。触媒の混合物も採用することができる。一態様では塩基性触媒を、ガラクトマンナンの重量に基づき、約０．１〜約１０重量パーセントの水酸化カリウムもしくは水酸化ナトリウム、ナトリウムメトキシド、水素化ホウ素ナトリウムまたはこれらの混合物を採用するポリ両親媒性反応に使用することができる。反応は約４０℃〜約２００℃の範囲の温度で行うことができるが、より高いまたはより低い温度を利用してもよい。反応は、実質的に大気圧で作動させることができるが、反応は、オートクレーブ内、約１０ｐｓｉｇ〜約８０ｐｓｉｇの圧力で行うことができる。
【００３６】
別の態様では、両親媒性誘導体化試薬は、カシアガラクトマンナン骨格上のヒドロキシル基と共反応性のある官能基を含有する、予め形成されたポリアルコキシ化−アルキル化した化合物である。本発明の一態様では、官能基は、ガラクトマンナン骨格上のペンダントヒドロキシル基と反応性のあるハロヒドリンおよび／またはエポキシ基から選択することができる。適切な、予め形成されたポリアルコキシ化した化合物は、以下の式（ＩＶ）で表すことができる：
【００３７】
【化５】
2014523456.tif 000006
（式中、Ａ’は、エポキシ化した直鎖および分枝のＣ３〜Ｃ６アルキル基（１つまたは複数のハロゲン基（例えばクロロ、ブロモ）で場合によって置換されることができる）、またはハロゲン化した（例えば、クロロ、ブロモ）直鎖および分枝のＣ３〜Ｃ６アルキル基（１つまたは複数のヒドロキシル基で置換されることができる）であり、Ｒ１、Ｒ２、およびｃは、すでに定義された通りである）。別の態様では、両親媒性誘導体化試薬は、以下の式（Ｖ）および（ＶＩ）で表すことができる：
【００３８】
【化６】
2014523456.tif 000007
（式中、Ｘは、塩素および臭素から選択されるハロゲンを表し、ｍは１〜４の整数であり、ｎは１〜５の整数である）。一態様では、Ａ’は、エポキシアルキル基を表し、別の態様では、Ａ’は、３−ハロゲノ−２−ヒドロキシプロピル基を表す。
【００３９】
式（Ｖ）に記載の代表的なエポキシ化アルキル基として、これらに限定されないが、２，３−エポキシプロピル、３，４−エポキシブチル、４，５−エポキシペンチル、および５，６−エポキシヘキシル基が挙げられる。式（ＶＩ）に記載の、代表的なハロゲン化した、直鎖および分枝のアルキル基として、これらに限定されないが、２−クロロエチル、２−ブロモエチル、３−クロロプロピル、４−クロロブチル、６−クロロヘキシル、および２−ヒドロキシ−３−クロロプロピル基が挙げられる。
【００４０】
カシアガラクトマンナン上で反応する両親媒性置換基中に含有される親水度（式ＩＩにおいてｃで定義された通り）は、本発明の一態様では約１〜約２５０の繰返し単位、別の態様では約２〜約２００の繰返し単位、さらなる別の態様では約２〜約１５０の繰返し単位、さらなる態様では約５〜約１００の繰返し単位、またさらなる態様では約１０〜約５０の繰返し単位に変動し得る。ポリオキシアルキレン部分中のアルキレンオキシド単位（複数可）は、エチレンオキシド、イソプロピレンオキシド、ブチレンオキシド、およびこれらの組合せから選択される。アルキレンオキシド単位は、ホモポリマー、ランダムコポリマー、およびブロックコポリマーとして配置することができる。
【００４１】
本態様によるカシアガラクトマンナンまたはその誘導体の両親媒性誘導体化反応は、ガラクトマンナンを、適切な（不活性）溶媒または希釈剤中で溶解、分散、またはスラリー化し、これを上で定義されたような式（ＩＶ）で表される、予め形成された両親媒性試薬と反応させることによって行う。両親媒性試薬は、単独で、または２つ以上の組合せとして使用することができる。反応は、溶媒中、および触媒、例えば、両親媒性誘導体化試薬に対して上述のものなどの存在下で行うことができる。一態様では、アルカリ金属水酸化物、例えば、水酸化ナトリウム、水酸化カリウム、水酸化カルシウムは、触媒としての使用に対して適切である。アルカリ金属水酸化物触媒は、当技術分野で公知の従来の量で使用され、使用する試薬に応じて、修飾すべきガラクトマンナンの重量に基づき、約０．１重量パーセント〜約５０重量パーセントの範囲の量で一般的に採用される。反応温度は、本発明の一態様では約０〜約１５０℃、別の態様では３０〜１００℃、さらなる態様では４０〜８０℃の範囲にすることができる。
【００４２】
上述の両親媒性誘導体化反応に対して適切な溶媒または希釈剤の例として、これらに限定されないが、低級脂肪族アルコール、例えば、エタノール、プロパノール、イソプロパノール、ｔｅｒｔ−ブチルアルコールなど；ケトン、例えば、アセトンおよびメチルエチルケトンなど；または液体炭化水素；例えばヘキサン、シクロヘキサン、キシレン、トルエンなど、およびこれらの混合物が挙げられる。前述の溶媒または希釈剤と水との混合物もまた、水が反応を妨げない限り使用することができる。本発明の一態様では、５重量％の水：９５重量％のＩＰＡ〜８０重量％の水：２０重量％のＩＰＡの範囲の、水：イソプロパノール比を有する水性イソプロパノール希釈剤が反応に利用される。
【００４３】
ガラクトマンナンのカチオン化は、カシアガラクトマンナンの骨格上に存在するペンダントヒドロキシル基および／または両親媒性修飾したその誘導体上に存在するヒドロキシル基を、カチオン化剤と反応させることによって実行することができる。カチオン化剤は、ガラクトマンナン骨格へのカシアガラクトマンナングリコシド上のヒドロキシル基と反応性のある官能基を含有する。本発明の一態様では、ヒドロキシル反応性官能基は、ガラクトマンナン骨格上のペンダントヒドロキシル基と反応性のあるハロヒドリンおよび／またはエポキシ基から選択することができる。適切なカチオン化剤は、式（ＶＩＩ）で表すことができる：
（ＶＩＩ）  Ａ’−Ｒ
（式中、Ａ’は、上で定義された通りであり、エポキシ化した直鎖および分枝のＣ３〜Ｃ６アルキル基（１つまたは複数のハロゲン基（例えば、クロロ、ブロモ）で場合によって置換されることができる）またはハロゲン化した（例えば、クロロ、ブロモ）直鎖および分枝のＣ３〜Ｃ６アルキル基（１つまたは複数のヒドロキシル基で置換されることができる）を表し、Ａ’は、直鎖および分枝のＣ３〜Ｃ６アルキレン基（１つまたは複数のハロゲン基（例えば、クロロ、ブロモ）またはヒドロキシル基で場合によって置換されることができる）である）。一態様では、Ａ’は、グリシジル基を表し、別の態様では、Ａ’は、３−ハロゲノ−２−ヒドロキシプロピル基を表す。Ｒ置換基は、独立して、−Ｓ＋Ｒ３Ｒ４Ｘ−、−Ｎ＋Ｒ３Ｒ４Ｒ５Ｘ−、および−Ｐ＋Ｒ３Ｒ４Ｒ５Ｘ−（式中、Ｒ３およびＲ４、ならびにＲ５は、独立して、水素、ならびに直鎖および分枝のＣ１〜Ｃ２４アルキルから選択され、Ｘ−は、クロリド、ブロミド、ヨージド、スルフェート、メチルスルフェート、スルホネート、ニトレート、ホスフェート、およびアセテートから選択されるアニオンを表す）から選択される。
【００４４】
別の態様では、Ｒは、式−Ｎ＋Ｒ３Ｒ４Ｒ５Ｘ−（式中、Ｒ３、Ｒ４、およびＲ５は、独立して、水素ならびに直鎖および分枝のＣ１〜Ｃ２４アルキル基から選択され、Ｘ−は、クロリド、ブロミド、ヨージド、スルフェート、メチルスルフェート、スルホネート、ニトレート、ホスフェート、およびアセテートから選択されるアニオンを表す）で表されるクオタニウム窒素基である。Ｒ３、Ｒ４、およびＲ５で定義された代表的なアルキル基には、これらに限定されないが、以下が含まれる：メチル、エチル、プロピル、オクチル、デシル、ドデシル、テトラデシル、ヘキサデシル、オクタデシル、ドコシル、およびこれらの組合せ。代表的なオキシアルキレン単位として、これらに限定されないが、エトキシ、プロポキシ、イソプロポキシ、およびブトキシ、ならびにこれらの組合せが挙げられる。別の態様では、Ｒ３は、Ｃ１〜Ｃ８アルキルから選択され、Ｒ４およびＲ５は、独立して、Ｃ８〜Ｃ２４アルキルから選択される。さらなる態様では、Ｒ３およびＲ４は、独立して、Ｃ１〜Ｃ８アルキルから選択され、Ｒ５は、Ｃ８〜Ｃ２４アルキルから選択される。またさらなる実施形態において、Ｒ３、Ｒ４およびＲ５は、一態様では、独立して、Ｃ１〜Ｃ１０アルキルから選択され、別の態様では、Ｃ１〜Ｃ８アルキルから選択され、さらなる態様では、Ｃ１〜Ｃ５アルキルから選択される。別の実施形態では、Ｒ３、Ｒ４およびＲ５はそれぞれメチルである。すべての前述の態様では、Ｘ−はすでに定義した通りである。
【００４５】
官能化試薬を介した、カチオン含有部分のポリガラクトマンナン骨格上への導入は、式（ＶＩＩ）に準じ、および／または公知の技法で行うことができる。例えば、ポリガラクトマンナン骨格上に、またはこの骨格に付け加えられたヒドロキシル基と、様々な四級化試薬、例えば、３−クロロ−２−ヒドロキシプロピルトリアルキルアンモニウム塩および２，３−エポキシプロピルトリアルキルアンモニウム塩などとの間の反応は、式（ＩＶ）で定義された両親媒性誘導体化試薬に対して上に記載の条件と同じ条件下で行うことができる。一実施形態では、適切なカチオン化試薬には、これらに限定されないが、以下が含まれる：グリシジルトリメチルアンモニウムクロリド、グリシジルトリエチルアンモニウムクロリド、グリシジルトリプロピルアンモニウムクロリド、グリシジルエチルジメチルアンモニウムクロリド、グリシジイジエチルメチルアンモニウムクロリド、およびこれらの対応するブロミドおよびヨージド；３−クロロ−２−ヒドロキシプロピルトリメチルアンモニウムクロリド、３−クロロ−２−ヒドロキシプロピルトリエチルアンモニウムクロリド、３−クロロ−２−ヒドロキシプロピルトリプロピルアンモニウムクロリド、３−クロロ−２−ヒドロキシプロピルエチルジメチルアンモニウムクロリド、およびこれらの対応するブロミドおよびヨージド。別の実施形態では、カチオン化反応は、両親媒性部分により提供されるヒドロキシル基を用いて、例えば、両親媒性誘導体化の後で行うことができる。
【００４６】
本発明のカチオン性修飾および両親媒性修飾したポリガラクトマンナンの調製において、ポリガラクトマンナン骨格上のヒドロキシル基（複数可）は、例えば上述の式（ＩＶ）、（Ｖ）、（ＶＩ）、および（ＶＩＩ）などに記載の官能化試薬（複数可）と反応させて、前記ヒドロキシル基（複数可）上に位置する水素原子が上記の式（Ｉ）および（ＩＩ）で定義された置換基または残基で置き換えられるようにするが、ただし、誘導体化したガラクトマンナン骨格が、少なくとも１つの両親媒性部分と、カチオン性基を含む少なくとも１つの部分とを含有することを条件とする。反応は、以下の通り概略的に表すことができる：
【００４７】
【化７】
2014523456.tif 000008
（式中、Ｄは、水素、上述の官能化試薬（複数可）から得られる残基または部分、およびこれらの組合せから選択される）。本発明の別の態様では、Ｄは、水素、式（Ｉ）から選択される部分、式（ＩＩ）から選択される部分、およびこれらの組合せを表すが、ただし、上の記載を条件とする。
【００４８】
本発明のカチオン性修飾および両親媒性修飾したカシアポリガラクトマンナンポリマーの合成において、官能基化試薬は、カシアポリマーのガラクトシル側鎖単位および／またはマンノシル主鎖骨格単位内に存在するヒドロキシル基と反応することが可能である。例えば、官能基化試薬は、ポリマーの上の、ガラクトシル側鎖単位のＣ−２、Ｃ−３、Ｃ−４、および／またはＣ−６炭素原子および／またはマンノシル主鎖単位のＣ−２、Ｃ−３、またはＣ−６炭素原子上のヒドロキシル基と反応することが可能である。本発明のカチオン性修飾および両親媒性修飾したカシアガラクトマンナンは、容易に利用できる物質から生成することができる。このような組成物は、上で論じたような自然発生のカシア内乳分割部分に由来するか、または市販のカチオン性誘導体化したカシア、例えば、カチオン性誘導体化したカシアのこれらの開示について本明細書中に参照により組み込まれている、米国特許第４，７５３，６５９号および米国特許第７，２６２，１５７号に開示されているものなどに由来することができる。
【００４９】
本発明の一実施形態によると、カチオン性修飾および両親媒性修飾は、未修飾のカシアガラクトマンナンそのままから開始して、または部分的に置換されたカシアガラクトマンナン（例えば、カチオン性および／または両親媒性置換基で部分的に置換されている）から行うことができる。カチオン性誘導体化および両親媒性誘導体化ステップは、任意の順序、または同時に、ならびに繰り返して行うことによって、本発明の所望のカチオン性修飾および両親媒性修飾したカシアガラクトマンナンを生成することができる。カシアガラクトマンナンの両親媒性修飾およびカチオン性修飾は、中間体生成物を単離することなく行うことができる。
【００５０】
非誘導化カシアガムまたは粉は、Ｄｉａｇｕｍの商標でＬｕｂｒｉｚｏｌ  Ａｄｖａｎｃｅｄ  Ｍａｔｅｒｉａｌｓ，Ｉｎｃ．から市販されている。カシアポリガラクトマンナン上のヒドロキシル基の誘導体化は、当業者に周知の方法で遂行することができる。一般的に言えば、カシアのヒドロキシル基は、これと共反応性のある任意の官能基化試薬と反応することができる。例えば、本発明のカチオン性置換基を用いてカシアのヒドロキシル基を官能基化するために、カシアガムポリガラクトマンナン上のヒドロキシル基（複数可）は、ヒドロキシル基と共反応性のあるカチオン性基および官能基部分、例えば、エポキシ基およびハロアルキル基などを含有する官能基化試薬と反応させる。官能基化反応は、適切な溶媒中、および適切な温度で行われる。ポリガラクトマンナンヒドロキシル原子（複数可）上の官能基置換の量（置換度）は、カシアポリガラクトマンナンに添加した化学量論的量の官能基化試薬を調整することによって制御することができる。カシアガムポリガラクトマンナンのための官能基化方法は、米国特許第４，７５３，６５９号において開示されている。ポリガラクトマンナンを誘導体化するさらなる方法は、米国特許第５，７３３，８５４号に記載されている。米国特許第４，７５３，６５９号および米国特許第５，７３３，８５４号の教示は、カシアガムポリガラクトマンナンを官能基化するための方法を例示する目的のために、本明細書に参照により組み込まれている。
【００５１】
出発物質として使用されるカシアは、通常粉末形態であり、標準的にはアルコールまたはアルコール／水溶液で処理される。実際には、使用されるアルコールは、メタノール、エタノール、イソプロパノール、ｎ−プロピルアルコール、ｎ−ブチルアルコール、イソブチル−アルコール、ｔ−ブチルアルコールなどであってよい。アルコールは、純正の（１００％）形態または水溶液として使用することができる。このような場合、もちろんアルコールが水と混和性があることは重大である。この処理ステップは通常、周辺温度（約２０℃）で行う。しかし、約０℃〜約７０℃の範囲内の任意の温度で行うことも場合によってはできる。場合によっては、約３０℃〜約７０℃までの範囲内の高温でこの処理ステップを行うことが有利となる。
【００５２】
実際には、カシアの処理ステップにおいて水と有機溶剤の混合物を使用することが一般的に好ましい。特に効果のある結果は、約１０重量パーセント〜約９０重量パーセントの間の水と、約９０重量パーセント〜約１０重量パーセントの間の有機溶剤を使用した場合に生じる。約３０重量％〜約８０％重量の間のイソプロピルアルコールと、約２０重量％から約７０重量％の間の水の使用が最も望ましい。例えば、使用のための所定の溶液がイソプロパノール／水混合物であり、それぞれの量が、イソプロパノール４４重量％および水５４重量％である場合、優れた結果が得られた。本ステップで使用されるべきアルコールまたはアルコール水溶液の量とは、カシア粉末を十分に飽和させるのに必要な量である。実際には、この量は普通、重量にして、最初のカシア粉末の少なくとも約２倍の量、さらにより好ましくは、重量にして、最初のカシアの少なくとも約３倍の量である。
【００５３】
アルコールまたはアルコール／水溶液を添加し、その後中和し、続いて必要な場合かき混ぜた後、官能基化剤をカシア溶液に添加する。すでに説明したように、官能基化剤は、カシア上のヒドロキシル基と反応することが可能な少なくとも１つの官能基を含有する化合物である。これらの官能基は、エポキシ基、ハロゲン含有基であることができる。カシア溶液に添加する官能化試薬の量は、所望の全置換度をもたらす量である。置換度は、通常０．０００１〜３の範囲内であり、より通常には、０．１〜２．５の範囲内である。多くの場合、置換度は、０．２〜２の範囲内となる。本発明の目的のため、置換度は、カシアポリマー内のガラクトースおよびマンノース繰返し単位１モル当たり、官能化のモル数と等しい。
【００５４】
官能化反応の反応速度を促進するため、アルカリ性物質を触媒として添加することができる。アルカリ性物質は通常、塩基、例えば水酸化ナトリウム（ＮａＯＨ）などの水溶液である。水溶液は、好ましくは少なくとも１２％のＮａＯＨ、より好ましくは１２％〜６０％のＮａＯＨを含有することになる。さらにより好ましいのは、２０％〜５０％のＮａＯＨ水溶液での処理である。好ましい実施形態では、１００部のカシア出発物質ごとに、約０．１〜約５０部の間のＮａＯＨ（１００％）を添加する。
【００５５】
反応混合物の温度は、約４０℃〜約７５℃の間に増加することができ、約６０℃〜約７０℃の範囲の反応温度がさらにより好ましい。混合物は通常、反応体の完全な反応を確保するのに十分な時間にわたり撹拌する。実際には、この反応時間は一般的に約１時間〜約５時間の間であり、約２時間〜約４時間の範囲内の反応時間がより好ましい。
【００５６】
官能基化された後、カシアは中和される。中和は、標準的には、約６〜約８の範囲（好ましくは、約７）の範囲内のｐＨにされる。例えば、塩酸および硫酸などの強酸、または例えば、酢酸、クエン酸、二酸化炭素（炭酸）、トリフルオロ酢酸などの弱酸を含めた任意の酸を、溶液を中和するための使用に対して選択することができる。好ましい実施形態において塩酸または酢酸のいずれかが使用される。使用される酸の量は、中和に必要な量である。
【００５７】
中和後、官能基化したカシアは、通常濾過し、次いで水、有機溶剤、または両方の混合物で洗浄する。有機溶剤と水の混合物を利用する場合、有機溶剤（複数可）は、アルコール、例えば、メタノール、エタノール、イソプロパノール、ｎ−プロピルアルコール、ｎ−ブチルアルコール、イソ−ブチルアルコール、ｔ−ブチルアルコールなどを含む水混和性の溶媒である。他の一般的に使用される精製溶媒、例えば、アセトン、グリコールなどを代わりに選択することもできる。これら溶媒と、上で開示されている水混和性アルコールの混合物もまた有用である。
【００５８】
洗浄液の量は、処理されるカシアの量よりはるかに多く、バッチごとに、または複数の用途に対して実施することができる。好ましい実施では洗浄液の量は、官能基化したカシアの量の少なくとも２倍であり、好ましくはカシアの量の少なくとも３倍である。１〜４つの独立した洗浄サイクルが行われることが好ましい。しかし、必要であれば、４つより多くの洗浄サイクルを使用することができる。各サイクルに対する洗浄液の濃度は、同一であっても、または異なってもよい。例えば、カシア粉末の洗浄は、イソプロピルアルコールの希釈溶液で最初に洗浄し、続いてイソプロピルアルコールのより強力な溶液で洗浄し、および最後にアセトンで洗浄することによって遂行することができる。洗浄後、官能基化したカシアを乾燥させ、当技術分野で公知の方法を使用して回収することができる。このような技法の例には、風乾、ふるい分け、蒸発乾燥、遠心分離、フラッシュ研磨、溶媒の添加、凍結乾燥などが含まれる。流動床乾燥の使用は、有利となり得る。
【００５９】
本発明の一態様では、非誘導体化カシアの両親媒性の官能基化は、エポキシ基含有両親媒性官能基化試薬と、カシアガラクトマンナンの骨格単位上のヒドロキシル基（複数可）とを反応させることで遂行することができる。反応は、以下の通り概略的に描写することができる：
【００６０】
【化８】
2014523456.tif 000009
（式中、Ｒ１は、独立して、二価のＣ１〜Ｃ４アルキレン基を表し、Ｒ２は、独立して、約６〜約３５個の炭素原子を有する炭化水素基から選択され、ｎは、カシアガラクトマンナン骨格上のヒドロキシル基の数を表し、ｃは、すでに定義した通りであり、ｘは、ガラクトマンナン骨格上の両親媒性部分の全平均置換を表し、ｘは、ｎを超えることはできず、ｎ−ｘの差の結果は、誘導体化した骨格上に残っている遊離ヒドロキシル基を表す）。
【００６１】
上記（ＶＩＩＩ）で概略的に表される反応で得られる、両親媒性修飾したカシアガラクトマンナン生成物を、カチオン性誘導体化することによって、本発明のカチオン性修飾および両親媒性修飾したカシアガラクトマンナンを得ることができる。一実施形態では、反応スキーム（ＶＩＩＩ）で得た反応生成物を、カチオン性官能化試薬と以下の通り反応させる：
【００６２】
【化９】
2014523456.tif 000010
（式中、Ｒ１は、独立して、二価のＣ１〜Ｃ４アルキレン基を表し、Ｒ２は、独立して、約６〜約３５個の炭素原子を有する炭化水素基から選択され、Ｒ３、Ｒ４、およびＲ５は、独立して、水素、ならびに直鎖および分枝のＣ１〜Ｃ２４アルキル基から選択され、Ｘ−は、クロリド、ブロミド、ヨージド、スルフェート、メチルスルフェート、スルホネート、ニトレート、ホスフェート、およびアセテートから選択されるアニオンを表し、ｎは、カシアガラクトマンナン骨格上のヒドロキシル基の数を表し、ｃは、すでに定義された通りであり、ｘは、ガラクトマンナン骨格上の両親媒性部分の全平均置換を表し、ｙは、両親媒性誘導体化したカシアガラクトマンナン骨格上の全平均カチオン性置換を表し、ｘおよびｙの合計は、ｎを超えることはできず、ｎ−（ｘ＋ｙ）の差の結果は、誘導体化した骨格上に残っている遊離ヒドロキシル基を表す）。
【００６３】
上に描写されている反応スキーム（ＶＩＩＩ）に記載の本発明の一態様では、非誘導体化カシアを両親媒性誘導体化反応の対象とすることによって、両親媒性修飾した生成物（複数可）を得る。両親媒性修飾した生成物（複数可）を続いて反応スキーム（ＩＸ）に記載のようなカチオン性官能化試薬を用いて誘導体化することによって、本発明のカチオン性修飾および両親媒性修飾したカシアガラクトマンナンを得る。上で論じたように、本発明のカチオン性修飾および両親媒性修飾したカシアガラクトマンナンは、式（ＶＩＩ）から選択される、エポキシ基含有カチオン性官能化試薬と、非誘導体化カシアガラクトマンナンの骨格単位上のヒドロキシル基（複数可）を反応させ、続いてその後、式（ＩＶ）に準ずる、（Ｃ１〜Ｃ４）アルキレンオキシドまたは両親媒性誘導体化試薬から選択される両親媒性誘導体化試薬を用いた両親媒性誘導体化により調製することもできることは、当分野の技術者であれば容易に明らかである。すでに記載されたように、以下の反応スキームのいずれかを利用することによって、本発明の両親媒性修飾した、カチオン性カシアガラクトマンナンを合成することができる：（１）両親媒性誘導体化、これに続くカチオン化、（２）カチオン化、これに続く両親媒性誘導体化、（３）両親媒性誘導体化およびカチオン化を同時に行う、（４）連続的な一連の両親媒性誘導体化ステップ、これに続く連続的な一連のカチオン化ステップ、（５）連続的な一連のカチオン化ステップ、これに続く連続的な一連の両親媒性誘導体化ステップ、（６）両親媒性誘導体化およびカチオン化ステップを交互に行う、ならびに（７）前述の手順の任意の変化形。
【００６４】
本発明の両親媒性修飾したカチオン性誘導体化カシアガラクトマンナンは、化学的および生理学的有効成分および化粧品材料の効力、沈着または送達を強化するための沈着助剤、膜形成剤、コンディショナー、固定剤、乳化剤、安定剤、保湿剤、拡散助剤および担体として、ならびにこれらが含まれる配合物の精神感覚的特性、および審美的特性を改善するためのビヒクルとして採用することができる。本発明の、カチオン性修飾および両親媒性修飾したカシアポリマーのカチオン性の特徴により、これらは帯電防止剤として有用となり、特定の条件下では、殺菌性、静菌性、保存性、および抗菌性の活性も提供され得る。これらポリマー組成物は、パーソナルケア、ヘルスケア、家庭用ケア、施設用および工業用（総合的に「Ｉ＆Ｉ」）ケアのための様々な製品および医療用および工業用の用途のための様々な製品において利用することができる。本発明の、カチオン性修飾および両親媒性修飾した、カシアポリマー組成物は、非アルカリ性の、すなわち、これに限定されないが、ｐＨが酸性から実質的に中性である組成物の中に組み込むことが好ましい。
【００６５】
本発明の一部の実施形態は、パーソナルケア、ヘルスケア、家庭用、施設用および工業用製品の用途などにおける多官能性ポリマー成分としての、カチオン性修飾および両親媒性修飾したカシア誘導体の使用に関する。カチオン性修飾および両親媒性修飾したカシアポリマーは、化学的および生理学的有効成分および化粧品材料の効力、沈着、および送達を強化するための乳化剤、拡散助剤および担体として、ならびにこれらが含まれる配合物の精神感覚的特性および審美的特性を改善するためのビヒクルとして採用することができる。「パーソナルケア製品」という用語には、本明細書で使用する場合、限定されないが、ヒトおよび動物の皮膚、毛髪、頭皮、および爪に適用される化粧品、トイレタリー、薬用化粧品、化粧補助品、個人の生理用品およびクレンジング製品が含まれる。「ヘルスケア製品」という用語には、本明細書で使用する場合、限定されないが、医薬品、医薬化粧品、オーラルケア製品（口、歯）、アイケア製品、耳ケア製品ならびに店頭で買える製品および例えば、パッチ、ギプス、包帯などの器具が含まれる。この用語にはまた、健康関連状態または病状をよくするために、ヒトおよび動物の体に外部からまたは体内に適用する医療機器も含まれる。「体」という用語には、角質性皮膚（毛髪、爪）および全身の非ケラチン皮膚領域（顔、胴部、四肢、手および足）、体の開口部の組織および眼が含まれる。「皮膚」という用語には、頭皮および粘膜が含まれる。「家庭用ケア製品」という用語は、本明細書で使用する場合、限定されないが、台所および浴室での衛生状態を維持するための殺菌クリーニング製品ならびに布洗浄用の洗濯製品などを含めた、表面保護および／またはクリーニングのために家庭で採用されている製品が含まれる。「施設用および工業用製品」という用語には、本明細書で使用する場合、限定されないが、病院およびヘルスケア施設などを含めた工業環境および施設環境における保護および／またはクリーニングまたは衛生状態を維持するために採用される製品が含まれる。
【００６６】
採用できるカチオン性修飾および両親媒性修飾したポリマーの量は、配合物中にそれが含まれる目的に依存し、配合物技術の当事者であれば容易に求めることができる。よって、カチオン性修飾および両親媒性修飾したポリマー組成物を含有する組成物の物理化学的特性および官能特性が達成される限り、組成物の総重量に対する、ポリマーの有用量、すなわち活性のある重量パーセントは、通常約０．０１％〜約５０％の範囲で変動し得るが、これに限定されない。したがって、所与の組成物または用途において、本発明のカチオン性修飾および両親媒性修飾したポリマー組成物は、例えば、以下でより詳細に記述される増粘剤およびコンディショナー、膜形成剤および担体など、複数の機能を発揮することができるが、複数の機能を発揮しなくてもよい。
【００６７】
本発明の、カチオン性修飾および両親媒性修飾したカシアポリマー組成物を含有する組成物は、限定されないが、例えば、ジャー、ボトル、管、スプレーボトル、ふき取り繊維、缶、ロールオン容器、スティック容器などの容器に詰めて、これらから分配することができる。カチオン性修飾および両親媒性修飾したポリマー組成物を組み込むことができる製品形態については、製品が使用される目的が達成される限り、制限はない。例えば、カチオン性修飾および両親媒性修飾したポリマー組成物を含有するパーソナルケアおよびヘルスケア製品は、これらに限定されないが、ゲル、スプレー（液体または泡）、エマルジョン（クリーム、ローション、ペースト）、液体（リンス、シャンプー）、棒、軟膏、坐薬、含浸させたふき取り繊維、パッチなどの形態で皮膚、毛髪、頭皮および爪に適用することができる。
【００６８】
本発明のカチオン性修飾および両親媒性修飾したポリマー組成物は、パーソナルケア（化粧品、トイレタリー、薬用化粧品）および局所的ヘルスケア製品の調製に適しており、これらは、限定されないが、ヘアケア製品、例えば、シャンプー（例えば、「ツーインワン」コンディショニングシャンプーなどのコンビネーションシャンプー）など；シャンプー後のリンス；セットおよびスタイル維持剤、これには例えば、ゲルおよびスプレー剤などのセット助剤、例えば、ポマード、コンディショナー、パーマ、リラクサー、ヘアスムージング製品などの身だしなみ補助剤などが含まれる；スキンケア製品（顔、体、手、頭皮および足）、例えば、クリーム、ローション、コンディショナー、およびクレンジング製品；抗にきび製品；アンチエイジング製品（剥離剤、角質溶解剤、抗セルライト剤、しわ取り剤など）；皮膚保護剤、例えばサンスクリーン、日焼け止め、バリアクリーム、オイル、シリコーンなど；肌色製品（美白剤、ライトナー、サンレス日焼け促進剤など）；毛染め剤（毛髪染料、ヘアカラーリンス、ハイライト、ブリーチなど）；顔料皮膚着色剤（顔および体のメイクアップ、ファンデーションクリーム、マスカラ、ルージュ、リップ製品など）；バスおよびシャワー製品（ボディークレンザー、ボディウォッシュ、シャワージェル、液体セッケン、固形セッケン、固形合成洗剤、コンディショニング液体バスオイル、バブルバス、バスパウダーなど）；ネイルケア製品（ポリッシュ、ポリッシュリムーバー、補強剤、延長剤、硬化剤、キューティクルリムーバー、柔軟剤など）；および任意の水性の、酸性から実質的に中性、塩基性までの組成物を含み、これらに、本発明のポリマーの有効量を組み込むことによって、保存および／または使用中にそこにおいて有利なまたは望ましい、物理的または化学的効果を達成することができる。
【００６９】
本発明のカチオン性修飾および両親媒性修飾したポリマー組成物を含有する、一般的にＨＢＡと呼ばれる、トイレタリーおよび健康および化粧補助品は、限定されないが、以下を含むことができる：脱毛製品（シェービングクリームおよびローション、脱毛剤、アフターシェーブスキンコンディショナーなど）；防臭剤および制汗剤；オーラルケア製品（口、歯およびガム）、例えば口内洗浄剤など、歯磨剤、例えば、歯磨き、歯磨き粉、トゥースポリッシュ、歯ホワイトナー、呼気清涼剤、義歯接着剤など；顔のおよび体のブリーチなど。本発明のカチオン性修飾および両親媒性修飾したポリマーを含有することができる他の健康および化粧補助品には、限定されないが、以下が含まれる：人工日焼け促進剤を含有するサンレス日焼け用途、例えば、ジヒドロキシアセトン（ＤＨＡ）、チロシン、チロシンエステルなど；コウジ酸、ハイドロキノン、アルブチン、果物、野菜または植物抽出物（レモン果皮抽出物、カモミール、緑茶、コウゾ抽出物など）、アスコルビン酸誘導体（パルミチン酸アスコルビル、ステアリン酸アスコルビル、リン酸マグネシウムアスコルビルなど）などのような有効成分を含有する皮膚脱色、ホワイトニング、およびライトニング配合物；フットケア製品、例えば、角質溶解コーンおよびたこ除去剤、フットソーク、フットパウダー（薬用、例えば、抗真菌性アスリート用フットパウダー、軟膏、スプレーなど、および制汗パウダー、または非薬用吸湿粉末）、液体フットスプレー（非薬用、例えば、冷却、および防臭スプレーなど、ならびに薬用抗真菌性スプレー、制汗スプレーなど）、ならびに足および足指爪用コンディショナー（ローションおよびクリーム、爪柔軟剤など）。
【００７０】
本発明のカチオン性修飾および両親媒性修飾したポリマー組成物を含むことができる局所的健康および化粧補助品（例えば、拡散助剤および膜形成剤）には、これらに限定されないが、以下が含まれる：皮膚保護スプレー、クリーム、ローション、ゲル、スティックおよび粉末製品、例えば、防虫剤、かゆみ止め、防腐剤、消毒剤、日焼け止め、サンスクリーン、皮膚ひきしめ剤ならびに化粧乳液、およびローション、いぼ除去組成物など。
【００７１】
所与の組成物または用途において、本発明のカチオン性修飾および両親媒性修飾したカシアポリマーは、例えば、固定剤、増粘剤、スキンおよびヘアコンディショナー、膜形成剤および担体または沈着助剤など、複数の機能を発揮することができるが、発揮しなくてもよい。パーソナルケア組成物において、採用できるカチオン性修飾および両親媒性修飾したカシアポリマーの量は、これらが配合物内に含まれる目的に依存し、配合技術分野の当業者であれば求めることができる。よって、所望の物理化学的および官能特性が達成される限り、組成物の総重量に対するカチオン性修飾および両親媒性修飾したカシアポリマーの有用量は、通常、組成物の総重量に基づき、本発明の一態様では約０．０１％〜約５０％、別の態様では約０．１重量％〜約３５重量％、さらなる態様では約０．２重量％〜約２５重量％、および本発明のまたさらなる態様では１〜約１０重量％の範囲で変動し得るが、これに限定されない。
【００７２】
本発明のカチオン性修飾および両親媒性修飾したカシアポリマーは、毛髪固定剤およびスタイリングシャンプー組成物中のコンディショナーおよび／または沈着助剤として採用することができる。さらに、これらは、毛髪固定用組成物における固定剤として使用することができる。カチオン性修飾および両親媒性修飾したカシアポリマーは、シャンプーおよびコンディショナーに使用することによって、櫛梳き性を促進することができる。正の電荷をもつ窒素原子は、負の電荷をもつ毛髪線維と相互作用することによって膜を形成する。これらはまた、過剰な残留物を蓄積することなく、毛髪の感触をよりソフトでおよびスムースに感じさせる。カチオン性修飾および両親媒性修飾したカシアポリマーは、毛髪に対してクレンジング効果、湿潤時のもつれ解消性、乾燥時のもつれ解消性および取扱性などの特質を付与するだけでなく、比較的無刺激性であるコンディショニング洗浄配合物中でコンディショナーパッケージの一部として使用することができる。よってこの組成物は、皮膚および眼が敏感な幼い小児および大人による使用に適している。さらに、カチオン性修飾および両親媒性修飾したカシアポリマーは、毛髪へのコンディショニング剤および治療剤の沈着において優れた沈着助剤であることが発見された。
【００７３】
本明細書中で論じられているように、本発明のカチオン性修飾および両親媒性修飾したカシアポリマーにより、パーソナルケア、ホームケア、ヘルスケア、および施設用のケア配合物において、およびこれらが含まれる局所的配合物の精神感覚的および審美的特性を改善するために利用されている１つまたは複数の有効成分の送達、沈着および／または活性を可能とし、促進させ、および／または強化する。このような有効成分の例には、これらに限定されないが、以下が含まれる：カフェイン、ビタミンＣ、ビタミンＤ、ビタミンＥ、抗皮膚線条化合物、収斂剤（例えば、ミョウバン、オートミール、コギリソウ、マンサク、ヤマモモ、およびイソプロピルアルコール）、水切り化合物、発毛促進化合物（例えば、ミノキシジル（ｍｏｎｏｘｉｄｉｌ）、皮膚および毛髪のための栄養化合物、皮膚および毛髪を保護する化合物、セルフタンニング化合物（例えば、モノカルボニルまたはポリカルボニル化合物、例えば、イサチン、アロキサン、ニンヒドリン、グリセルアルデヒド、メソ酒石酸アルデヒド、グルタルアルデヒド、エリトルロース、チロシン、チロシンエステル、およびジヒドロキシアセトン）、サンスクリーニン（例えば、メトキシケイヒ酸エチルヘキシル、オクチノキサート、オクチサレート、オキシベンゾン）、スキンライトナー（例えば、コウジ酸、ハイドロキノン、アルブチン、果物、野菜または植物抽出物、例えば、レモン果皮抽出物、カモミール、緑茶、コウゾ抽出物、など、アスコルビン酸誘導体、例えば、パルミチン酸アスコルビル、ステアリン酸アスコルビル、リン酸マグネシウムアスコルビルなど）、リッププランピング化合物、アンチエイジング、抗セルライト、および抗にきび化合物（例えば、酸性薬剤、例えば、アルファ−ヒドロキシ酸（ＡＨＡ）、β−ヒドロキシ酸（ＢＨＡ）、アルファアミノ−酸、アルファ−ケト酸（ＡＫＡ）、酢酸、アゼライン酸、およびこれらの混合物など）、フケ防止化合物（例えば、亜鉛ピリチオン、亜鉛オマジン、硝酸ミコナゾール、硫化セレニウム、ピロクトンオラミン）抗炎症化合物（例えば、アスピリン、イブプロフェン、およびナプロキセン）、鎮痛剤（例えば、アセトアミノフェン）、抗酸化化合物、制汗化合物（例えば、ハロゲン化アルミニウム、ヒドロキシハロゲン化アルミニウム、硫酸アルミニウム、ジルコニウム（ジルコニル）オキシハライド、ジルコニウム（ジルコニル）ヒドロキシハライド、およびこれらの混合物または複合体）、防臭化合物（例えば、２−アミノ−２−メチル−１−プロパノール（ＡＭＰ）、アンモニウムフェノールスルホネート；塩化ベンザルコニウム；塩化ベンゼトニウム、ブロモクロロフェン、臭化セチルトリメチルアンモニウム、塩化セチルピリジニウム、クロロフィル銅複合体、クロロチモール、クロロキシレノール、クロフルカルバン、塩化デカリニウム、ジクロロフェン、ジクロロ−ｍ−キシレノール、ジナトリウムジヒドロキシエチルスルホスクシニルウンデシレネート、臭化ドミフェン、ヘキサクロロフェン、塩化ラウリルピリジニウム、塩化メチルベンゼトニウム、フェノール、重炭酸ナトリウム、フェノールスルホン酸ナトリウム、トリクロカルバン、トリクロサン、フェノールスルホ���酸亜鉛、リシノール酸亜鉛、およびこれらの混合物）、毛髪固定ポリマー（例えば、天然ポリマーおよび合成ポリマー、例えばポリアクリレート、ポリビニル、ポリエステル、ポリウレタン、ポリアミド、修飾セルロース、デンプン、およびこれらの混合物）、毛髪およびスキンコンディショナー（例えば、合成オイル、天然オイル、例えば、野菜、植物および動物オイル、鉱油、天然および合成ワックス、カチオン性ポリマー、モノマーおよびポリマーの四級化アンモニウム塩化合物、シリコーン、例えばシリコーン油、樹脂およびガムなど、タンパク質、加水分解したタンパク質、脂肪酸、脂肪アミン；ならびにこれらの混合物）；ならびに上記のうちの２つ以上の適切な混合物。
【００７４】
本発明のカチオン性修飾および両親媒性修飾したカシアポリマー組成物は、例えば、雲母、パール化剤、ビーズなどの微粒子のための沈着助剤として特に有用であり、これらを、微粒子、微小研磨剤、および研磨剤を含有する皮膚用製品、例えば、剥離剤を含有するシャワージェル、マスクおよびスキンクレンザーなどに適したものにする。多数の化粧品として有用な微粒子剥離剤は、当技術分野で公知であり、その選択および量は、化粧品技術分野の当業者であれば理解されているように、組成物の使用により所望される剥離効果により求める。有用な剥離剤には、これらに限定されないが、生物学的研磨剤、無機の研磨剤、合成ポリマーなど、およびこれらの混合物が含まれる。生物学的研磨剤には、限定されないが、以下が含まれる：ナッツ、例えば、クルミ（Ｊｕｇｌａｎｓ  ｒｅｇｉａ）シェル、アーモンド、ペカンなど；果実原料、例えば、アンズ、アボカド、ココナッツ、オリーブ、モモなど；野菜原料、例えば、トウモロコシ穂軸、オートブラン、イネ、バラ臀部種、ホホバ（ワックス、種粉末）、微結晶性セルロース、粉砕したヘチマ、粉砕した海藻など；動物原料、例えば、カキの殻、絹、微結晶性コラーゲンなどから得られる殻、種、およびカーネルまたは石の顆粒または粉末。無機研磨剤には、限定されないが、以下が含まれる：酸化第二スズ、タルク、シリカ（水和したもの、コロイド状など）、カオリン、沈降炭酸石灰、塩（塩化ナトリウム、死海の塩など）、粉砕した軽石など。合成ポリマーには、限定されないが、以下が含まれる：微結晶性ポリアミド（ナイロン）、微結晶性ポリエステル（ポリカーボネート）など。
【００７５】
本発明のカチオン性修飾および両親媒性修飾したカシアポリマーは、乾燥、光損傷、老化、にきびなどにより引き起こされる皮膚の状態を局所的によくするために採用される、様々な皮膚科用、薬用化粧品組成物において、増粘剤および膜形成剤として有用であり、これらは、コンディショナー、保湿剤、抗酸化剤、角質溶解剤、ビタミンなどを含有し、通常活性のある酸性成分を含有し、約０．５〜約５の範囲のｐＨを有する。
【００７６】
１つの薬用化粧品態様では、本発明のカチオン性修飾および両親媒性修飾したカシアポリマーは、有効成分、酸性アンチエイジング、抗セルライト、および抗にきび剤として、ヒドロキシカルボン酸、例えば、アルファ−ヒドロキシ酸（ＡＨＡ）、β−ヒドロキシ酸（ＢＨＡ）、アルファ−アミノ酸、アルファ−ケト酸（ＡＫＡ）、およびこれらの混合物などを含有する、活性のあるスキントリートメントローションおよびクリームのための増粘剤または沈着助剤として採用することができる。このような薬用化粧品では、ＡＨＡは、これらに限定されないが、以下を含むことができる：乳酸、グリコール酸、果実酸、例えば、リンゴ酸、クエン酸、酒石酸など、ＡＨＡを含有する天然化合物の抽出物、例えば、リンゴ抽出物、アンズ抽出物など、ハチミツ抽出物、２−ヒドロキシオクタン酸、グリセリン酸（ジヒドロキシプロピオン酸）、タルトロン酸（ヒドロキシプロパン二酸）、グルコン酸、マンデル酸、ベンジル酸、アゼライン酸、アルファ−リポ酸、サリチル酸、ＡＨＡ塩および誘導体、例えば、グリコール酸アルギニン、グリコール酸アンモニウム、グリコール酸ナトリウム、乳酸アルギニン、乳酸アンモニウム、乳酸ナトリウム、アルファ−ヒドロキシ酪酸、アルファ−ヒドロキシイソ酪酸、アルファ−ヒドロキシイソカプロン酸、アルファ−ヒドロキシイソ吉草酸、アトロラクチン酸など。ＢＨＡは、これらに限定されないが、以下を含むことができる：３−ヒドロキシプロパン酸、β−ヒドロキシ酪酸、β−フェニル乳酸、β−フェニルピルビン酸など。アルファ−アミノ酸には、これらに限定されないが、以下が含まれる：アルファ−アミノジカルボン酸、例えばアスパラギン酸、グルタミン酸、およびこれらの混合物、時々これらは、果実酸と組み合わせて採用される。ＡＫＡにはピルビン酸が含まれる。一部のアンチエイジング組成物では、酸性の活性物質は、レチノイン酸、ハロカルボン酸、例えば、トリクロロ酢酸、酸性の抗酸化剤、例えば、アスコルビン酸（ビタミンＣ）、鉱酸、フィチン酸、リゾホスファチジン酸などであってよい。一部の酸性の抗にきび活性剤として、例えば、サリチル酸、サリチル酸の誘導体、例えば、５−オクタノイルサリチル酸、レチノイン酸、およびその誘導体などを挙げることができる。
【００７７】
活性のあるスキントリートメント組成物の使用および配合については、本明細書に参照により組み込まれている、Ｃｏｓｍｅｔｉｃｓ  ＆  Ｔｏｉｌｅｔｒｉｅｓ（登録商標）、Ｃ＆Ｔ  Ｉｎｇｒｅｄｉｅｎｔ  Ｒｅｓｏｕｒｃｅ  Ｓｅｒｉｅｓ、「ＡＨＡｓ  ＆  Ｃｅｌｌｕｌｉｔｅ  Ｐｒｏｄｕｃｔｓ  Ｈｏｗ  Ｔｈｅｙ  Ｗｏｒｋ」、１９９５年出版、および「Ｃｏｓｍｅｃｅｕｔｉｃａｌｓ」、１９９８年出版、（両方ともＡｌｌｕｒｅｄ  Ｐｕｂｌｉｓｈｉｎｇ  Ｃｏｒｐｏｒａｔｉｏｎより入手可能）において考察されている。アスコルビン酸で酸性化したアルファ−アミノ酸を含有する組成物は、Ｕ．Ｓ．第６，１９７，３１７Ｂ１号に記述されており、アンチエイジングスキンケアレジメンにおいてこれらの酸を利用した商業的薬用化粧品調製物は、ＡＦＡという商標名で、ｅｘＣｅｌ  Ｃｏｓｍｅｃｅｕｔｉｃａｌｓ  （Ｂｌｏｏｍｆｉｅｌｄ  Ｈｉｌｌｓ、ＭＩ）より販売されている。「ＡＦＡ」という用語は、製造元の営業用文献において記述されているように、アミノ酸／ビタミンＣのコンビネーションを、アミノ果実酸として、および「アミノ酸フィラグリンベースの抗酸化剤」の頭文字として記述するために開発者によって作られた。
【００７８】
カチオン性修飾および両親媒性修飾したカシアポリマーを含むことができる他のヘルスケア製品は、医療品、例えば、局所的および非局所的医薬品および装置である。医薬品の配合において、本発明のカチオン性修飾および両親媒性修飾したポリマー組成物は、これらに限定されないが、以下のような製品において、増粘剤および／または潤滑剤として採用することができる：クリーム、ポマード、ゲル、ペースト、軟膏、錠剤、ゲルカプセル、下剤液（浣腸、催吐薬、結腸洗浄剤など）、坐剤、抗真菌泡剤、眼用製品（眼科用製品、例えば、点眼剤、人工涙液、緑内障ドラッグデリバリードロップ剤、コンタクトレンズクリーナーなど）、耳製品（耳垢軟化剤、耳垢除去剤、耳炎ドラッグデリバリードロップ剤など）、鼻用製品（ドロップ剤、軟膏、スプレー剤など）、および外傷ケア（液状絆創膏、外傷用包帯、抗生剤クリーム、軟膏など）。
【００７９】
これらは、膜を形成する本発明のカチオン性修飾および両親媒性修飾したカシアポリマーによって、局所的医療用組成物用のビヒクルとして、皮膚へのまたは皮膚を介した有効成分の経皮的送達を促進および強化するため、抗にきび剤配合物および局所的鎮痛剤の効力を強化するため、および、例えば、低いｐＨ、例えば胃の中などでの錠剤またはシロップ剤からの制酸剤などの薬物の放出を制御するため、口の、弱酸性環境において、錠剤、ロゼンジ剤、チュアブルなどからの薬物放出を制御し、または膣の弱酸性の環境において坐剤、軟膏、クリームなどからの薬物放出を制御し、シャンプー、軟膏などからのフケ制御剤の沈着を促進し、色素性化粧品からの着色剤の皮膚への沈着を強化し（メイクアップ、リップスティック、ルージュなど）および毛髪染料からの毛髪上への沈着を強化するために、特に適切となる。
【００８０】
前述のものに加えて、本発明のカシアポリマーのカチオン性の特徴およびそのカチオン性の相容性により、このポリマーは、様々なパーソナルケア、ヘルスケア、Ｉ＆Ｉ、および医療の用途において、帯電防止剤、殺菌剤、抗菌剤、および他の保存剤組成物のための増粘剤または沈着助剤として有用となる。例えば、ポリマーは、カチオン性の殺生物剤が通常採用されている、店頭で買える（ＯＴＣ）ヘルスケアおよび医薬品などの製品、例えばプラークおよび歯石コントロールのためのオーラルケア組成物、および治療薬を含有する液体ビヒクル、例えばシロップ剤、ゲル剤などにおいて増粘剤として採用することができる。特定の制御されたｐＨ条件下で、本発明のカチオン性修飾および両親媒性修飾ポリマー組成物のカチオン性の特徴は、それ自体が、帯電防止活性または殺菌性、抗菌性など、保存活性も提供する。
【００８１】
本発明のカチオン性修飾および両親媒性修飾したカシアポリマーは、限定されないが、医療機器、例えば軟部組織の移植片、手術用手袋、カテーテル、カニューレなどのための潤滑性コーティングとして、医療用器具、外傷用包帯などのための除去可能な保護フィルムコーティングとして、粘膜接着剤、特に胃の酸性環境における粘膜接着剤として、医療用の用途のために配合された製品の担体および増粘剤として、例えば消毒用ハンドクリーム、抗ウイルス性製品（アニオン性ウイルス用）、抗生剤軟膏、スプレーおよびクリーム、病院用ノンドリップ、スプレー可能な消毒剤、慣用的メインテナンス中に適用される硬表面抗菌仕上げなどとして採用することができる。
【００８２】
本発明のカチオン性修飾および両親媒性修飾したカシアポリマーは、例えば、レオロジー改変剤、布柔軟剤、帯電防止剤として、特に「固着表面」を介する配合効率を改善するため、または消毒剤および殺菌性配合物の効力を改善するため、従来の布柔軟剤と組み合わせて布柔軟効果を相乗的に改善するために、ホームケア、およびＩ＆Ｉ用途において使用することができる。本発明のポリマーを含有し得る典型的な家庭用およびＩ＆Ｉ製品には、これらに限定されないが、以下が含まれる：洗濯および布ケア製品、例えば、洗剤、布柔軟剤（液体またはシート）、アイロン仕上げスプレー、ドライクリーニング補助剤、しわ取りスプレー、しみ除去剤など；台所および浴室、ならびにそこに採用または設置される設備および器具のための硬表面クレンザー、例えば、便器用ゲル、浴槽およびシャワークリーナー、硬質な水垢の除去剤、床用およびタイル用クレンザー、壁用クレンザー、床用およびクロム質備品用ポリッシュ、アルカリ可剥性ビニール床用クリーナー、大理石用およびセラミック用クリーナー、エアーフレッシュナーゲル、皿用液体クレンザーなど；消毒用クリーナー、例えば、便器用およびビデ用クリーナー、消毒用ハンドソープ、部屋用消臭剤など。
【００８３】
本発明のカチオン性修飾および両親媒性修飾したカシアポリマーは、レオロジー改変剤、分散剤、安定剤、促進剤、または抗菌剤などとして、工業製品の用途、例えば、これらに限定されないが、以下に利用することができる：布地（加工、最終加工、印刷、および染色助剤、洗浄可能な保護表面コーティング、不織布の飽和による合成皮革の製造など、織布、不織布、天然繊維および合成繊維の製造など）；水処理（排水、冷却水、飲料水精製など）；化学物質流出の封じ込め（酸流出吸収剤など）；皮革および皮加工（加工助剤、仕上げ、コーティング、エンボス加工など）；紙および製紙（表面コーティング、例えば、顔料コーティング、帯電防止コーティングなど、パルプ結合剤、表面サイジング加工、乾燥強度強化剤および湿潤強度強化剤、ウェットレイドフェルトの製造など）；印刷（インク、ウィッキング防止インクジェットプリンターインク、アクリル系布を印刷するためのカチオン性染料を含有するインク配合用増粘剤など）；ペンキ（顔料および研磨添加剤）；工場廃水の処理（製紙工場廃水中のフェノールの凝集剤など）；金属加工（酸エッチクリーナー、低ｐＨ金属コーティング、冷間圧延鋼加工における酸洗い剤など）；接着剤（透明接着剤、金属、プラスチック、木材用接着促進剤など、非織フロック接着剤結合コーティング、ボンドなど）；木材保存；ならびに建物および道路用の工業用構造製品（セメント可塑剤、低ｐＨでのアスファルトエマルジョン安定剤、セメント用酸エッチ、コンクリート、モルタル、パテの粘調度調整剤など）。本発明のポリマーは、錆取り剤、酸性トラッククリーナー、鱗落としのための増粘剤などとして、ならびに様々な前述の工業用の用途および泥水掘削に採用される、微粒子、例えば、粘土、顔料（二酸化チタン、炭酸カルシウム、および他の鉱物）、研磨剤などを含有する製品の分散安定剤として特に有用である。
【００８４】
本発明のカチオン性修飾および両親媒性修飾したカシアポリマーを含む製品は、当技術分野で公知の様々な従来の添加剤および補助剤を含有することができ、このうちの一部は、複数の機能を発揮することができる。採用される量は、製品の目的および特徴によって変動し、配合技術分野の当業者によって、および文献から容易に求めることができる。「化粧品補助剤」という用語には、組成物の有用な有効期間の間に、組成物の物理的安定性およびその明白な審美的外観および市場アピールを維持する、化粧品としておよび薬学的に許容される製品安定剤および製品仕上げ剤が含まれる。
【００８５】
「固定剤」という用語は、ポリマーに適用される場合、膜形成、接着性、またはポリマーが適用される表面上へ沈着されるコーティングの特性を包含する。「ヘアスタイリング、および毛髪固定剤」という用語は、ヘアケア技術において一般的に理解され、本明細書で使用する場合、総合的に、毛髪固定剤および膜形成剤であるヘアセット剤を指し、局所的に毛髪に適用することによって、スタイリングの容易さおよび／またはヘアセットの保留に能動的に貢献し、ヘアセットの再スタイリング性を維持させる。それ故、ヘアセット組成物には、慣例的に、毛髪（湿った状態または乾燥した状態）に、ゲル、リンス、エマルジョン（水中油型、油中水型または多相）、例えば、ローションおよびクリーム、ポマード、スプレー（加圧型または非加圧型）、注射器、泡、例えばムースなど、シャンプー、固体、例えばスティックなど、半固体などの形態で適用するか、または洗浄によって除去されるまでのいくらかの期間、ヘアセット剤を毛髪につけたまま放置するための、本明細書中のヘアセット組成物に含浸させた、またはこの上にコーティングした、ヘアセット補助剤から適用される、ヘアスタイリング、毛髪固定剤、およびヘア手入れ製品が含まれる。
【００８６】
「コンディショニング剤」という用語、およびその文法的変化形は、これがスキンケアおよびヘアケアのための組成物に関する場合、湿潤剤、保湿剤、および皮膚軟化剤として機能することができる、化粧品としておよび薬学的に有用な材料を含む。一部のコンディショニング剤は、組成物において、例えば乳化剤、潤滑剤、および／または溶媒など複数の機能を発揮することができることを理解されたい。コンディショニング剤は、毛髪および／または皮膚にとってある特定のコンディショニング利点を与えるために使用される任意の材料を含む。ヘアトリートメント組成物において、適切なコンディショニング剤とは、光沢、柔軟性、櫛梳き性、帯電防止特性、湿気ハンドリング性、損傷の修復、管理容易性、髪のもつれ解消性、量感、および潤滑性能に関する１つまたは複数の利点を届けるようなものである。パーソナルクレンジング組成物における使用に適したコンディショニング剤は、一般的に、シリコーン（例えばシリコーン流体、シリコーン油、カチオン性シリコーン、シリコーンガム、高屈折率シリコーン、シリコーン樹脂、乳化したシリコーン、およびジメチコンコポリオール）、有機コンディショニングオイル（例えば炭化水素オイル、天然オイル、ポリオレフィンおよび脂肪酸エステル）、天然および合成のワックス、脂肪酸エステル、カチオン性ポリマー（ポリクオタニウムポリマーを含む）、モノマーの第四級アンモニウム化合物およびこれらの組合せとして特徴づけられたコンディショニング剤である。
【００８７】
好ましいヘアケア組成物の実施形態は、本発明のカチオン性修飾および両親媒性修飾したカシアポリマーを、ヘアケア組成物に特性、例えば、毛髪固定の特性、毛髪コンディショニング特性、粘着性特性（増粘性、レオロジー改変）、またはこれらの組合せなどを提供するのに効果的な量で含む。場合によって、ヘアケア組成物は、１つまたは複数の補助の膜形成剤、補助の毛髪固定剤、補助の毛髪コンディショニング剤、補助のレオロジー改変剤、噴霧剤、およびこれらの組合せを含むことができる。
【００８８】
好ましいスキンケア組成物の実施形態は、本発明のカチオン性修飾および両親媒性修飾したカシアポリマーを、スキンケア組成物に特性、例えば、スキンコンディショニング特性、粘着性特性（増粘性、レオロジー改変）、またはこれらの組合せなどを提供するのに効果的な量で含む。場合によって、スキンケア組成物は、１つまたは複数の補助のスキンコンディショニング剤、補助のレオロジー改変剤、またはこれらの混合物を含むことができる。
【００８９】
本発明のカチオン性修飾および両親媒性修飾したカシアポリマーを含む製品配合物は、パーソナルケア、家庭用ケア、施設用ケア、および工業用ケア製品、ならびに工業プロセスに慣例的にまたは広く一般に含まれている様々な添加剤および化粧品補助剤を含有することができ、これらは、これらに限定されないが、以下を含む：酸化またはアルカリ化ｐＨ調整剤（中和剤）および緩衝剤；補助の固定剤および膜形成剤、例えば合成または天然の由来の、非イオン性、アニオン性、カチオン性、または両性ポリマーなど；補助のレオロジー改変剤、例えば粘度増加ポリマー、ガム、または樹脂増粘剤またはゲル化剤；添加剤、例えば乳化剤、エマルジョン安定剤、ワックス、分散剤など、および粘度制御剤、例えば溶媒、電解液など；補助のコンディショニング剤、例えば帯電防止剤、合成オイル、植物または動物オイル、シリコーン油、モノマーまたはポリマーの四級化アンモニウム化合物およびこの誘導体、光沢強化剤、保湿剤、皮膚軟化剤、湿潤剤、潤滑剤、サンスクリーン剤など；酸化剤；還元剤；界面活性剤、例えばアニオン性、カチオン性、非イオン性、両性、両性イオン界面活性剤、およびそのシリコーン誘導体；ポリマー膜修飾剤、例えば、可塑剤、粘着付与剤、粘着性消失剤、加湿剤など；製品安定剤および仕上げ剤、例えばキレート剤、乳白剤、真珠光沢化剤、タンパク質物質およびその誘導体、ビタミンおよびその誘導体、保存剤、芳香剤、可溶化剤、着色剤（一時的または永久的）、例えば顔料および染料、ＵＶ吸収体など；噴霧剤（水−混和性または水不混和性）、例えばフッ化炭化水素、液体揮発性炭化水素、圧縮ガスなど；およびこれらの混合物。
【００９０】
本明細書中で論じた、本発明のカチオン性修飾および両親媒性修飾したポリマー組成物と共に採用され得る添加剤および補助剤成分、製品、または物質は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ、出版元：Ｐｅｒｓｏｎａｌ  Ｃａｒｅ  Ｐｒｏｄｕｃｔｓ  Ｃｏｕｎｃｉｌ（正式には、Ｃｏｓｍｅｔｉｃ，  Ｔｏｉｌｅｔｒｙ，  ａｎｄ  Ｆｒａｇｒａｎｃｅ  Ａｓｓｏｃｉａｔｉｏｎ）、ＷａｓｈｉｎｇｔｏｎＤ．Ｃ．（これより以下はＩＮＣＩ辞書と称す）において与えられている、一般的にＩＮＣＩ名と呼ばれる国際命名法により（これらは、例えば、任意の版において、例えば、第１巻および第２巻、第６版、（１９９５年）または第１〜３巻、第７および第８版、（１９９７年、２０００年）に見出すことができる）、またはこれらの一般的に使用されている化学名で呼ぶことができる。ＩＮＣＩ名、商標名または両方により列挙された物質の多数の民間供給会社は、ＩＮＣＩ辞書および多数の商業的な業界誌において見出すことができ、これらは、これらだけには限定されない、それぞれ関連する開示が本明細書に参照により組み込まれている以下を含む：２００１  ＭｃＣｕｔｃｈｅｏｎ’ｓ  Ｄｉｒｅｃｔｏｒｉｅｓ、第１巻：Ｅｍｕｌｓｉｆｉｅｒｓ  ＆  Ｄｅｔｅｒｇｅｎｔｓ  ａｎｄ  Ｖｏｌｕｍｅ２：Ｆｕｎｃｔｉｏｎａｌ  Ｍａｔｅｒｉａｌｓ、出版元：ＭｃＣｕｔｃｈｅｏｎ’ｓ  Ｄｉｖｉｓｉｏｎ、Ｔｈｅ  Ｍａｎｕｆａｃｔｕｒｉｎｇ  Ｃｏｎｆｅｃｔｉｏｎｅｒ  Ｐｕｂｌｉｓｈｉｎｇ  Ｃｏ．、Ｇｌｅｎ  Ｒｏｃｋ、ＮＪ（２００１年）；および２００１  Ｃｏｓｍｅｔｉｃ  Ｂｅｎｃｈ  Ｒｅｆｅｒｅｎｃｅ、ｅｄｉｔｉｏｎ  ｏｆ  Ｃｏｓｍｅｔｉｃｓ  ＆  Ｔｏｉｌｅｔｒｉｅｓ（登録商標）、第１１５巻（１３号）、出版元：Ａｌｌｕｒｅｄ  Ｐｕｂｌｉｓｈｉｎｇ  Ｃｏｒｐｏｒａｔｉｏｎ、Ｃａｒｏｌ  Ｓｔｒｅａｍ、ＩＬ（２００１年）。このような構成成分および組成物の配合はまた、例えば以下の周知の参照に詳細に記述されている：Ｃｏｓｍｅｔｉｃｓ  Ｓｃｉｅｎｃｅ  ａｎｄ  Ｔｅｃｈｎｏｌｏｇｙ、第１版（Ｓａｇａｒｉｎ（編））、１９５７年出版、および第２版（Ｂａｌｓａｍら、（編））、１９７２〜７４年出版；およびＴｈｅ  Ｃｈｅｍｉｓｔｒｙ  ａｎｄ  Ｍａｎｕｆａｃｔｕｒｅ  ｏｆ  Ｃｏｓｍｅｔｉｃｓ、第２版（ｄｅＮａｖａｒｒｅ（編））、１９７５年出版、および第３版（Ｓｃｈｌｏｓｓｍａｎ（編））、２０００年出版、両方ともＡｌｌｕｒｅｄ  Ｐｕｂｌｉｓｈｉｎｇ  Ｃｏｒｐｏｒａｔｉｏｎより入手可能；Ｒｉｅｇｅｒ（編）、Ｈａｒｒｙ’ｓ  Ｃｏｓｍｅｔｉｃｏｌｏｇｙ、第８版、Ｃｈｅｍｉｃａｌ  Ｐｕｂｌｉｓｈｉｎｇ、Ｃｏ．，Ｉｎｃ．、Ｎｅｗ  Ｙｏｒｋ、ＮＹ（２０００年）；ならびに、それぞれ関連する開示が本明細書に参照により組み込まれている、医薬品技術の当業者に利用できる様々な式文集、例えば、Ｒｅｍｉｎｇｔｏｎ’ｓ  Ｐｈａｒｍａｃｅｕｔｉｃａｌ  Ｓｃｉｅｎｃｅｓ、第１４版、Ｍａｃｋ  Ｐｕｂｌｉｓｈｉｎｇ  Ｃｏｍｐａｎｙ、Ｅａｓｔｏｎ、ＰＡ（１９７０年）。
【００９１】
パーソナルケアおよび局所的、皮膚科用ヘルスケアのための配合された組成物は、クレンジングのためまたはやわらげるために皮膚および粘膜に適用されるが、これらの組成物は、同じまたは同様の生理学的に許容される成分の多くと混合され、同じまたは同様の製品形態へと配合され、主に、選択された成分の純度、薬剤または薬学的に一般に認められた化合物の存在、および製品がその条件下で製造される可能性のある、制御された条件により異なることは公知である。同じように、家庭用、およびＩ＆Ｉのために製品に採用された成分の多くは、前述のものと同じまたは同様であり、採用される量および物質グレードが主に異なる。成分の選択および許される量はまた、国、地域、地方、および国際レベルで政府規制の対象となり得ることもまた公知である。よって、パーソナルケアおよびヘルスケア製品のための様々な有用な成分についての本明細書中での考察は、家庭用およびＩ＆Ｉ製品および工業用途に適用することができる。
【００９２】
本発明のカチオン性修飾および両親媒性修飾したカシアポリマーを含有する組成物に配合される成分の選択および量は、配合技術の当業者には周知の通り、製品およびその機能に応じて変動することになる。パーソナルケアおよび局所的ヘルスケア製品のための配合成分は通常、本明細書中には現われない可能性があり、すでに論じた成分に加えて、これらに限定されないが、以下を含む：溶媒、界面活性剤（クレンジング剤、乳化剤、起泡力増進剤、ヒドロトロープ、可溶化剤、および懸濁剤）、非界面活性懸濁剤、乳化剤、スキンコンディショニング剤（皮膚軟化剤、湿潤剤、保湿剤など）、ヘアコンディショニング剤、毛髪固定剤、膜形成剤、皮膚保護剤、結合剤、キレート剤、抗菌剤、抗真菌剤、フケ防止剤、研磨剤、接着剤、吸収剤、染料、防臭剤、制汗剤、乳白剤および真珠光沢化剤、抗酸化剤、保存剤、噴霧剤、拡散助剤、サンスクリーン剤、サンレス皮膚日焼け促進剤、紫外線吸収剤、ｐＨ調整剤、植物性薬品、毛染め剤、酸化剤、還元剤、ヘアブリーチおよびスキンブリーチ剤、顔料、生理学的活性物質、抗炎症剤、局所麻酔薬、芳香剤および芳香溶解剤など。オーラルケア製品は、例えば、界面活性剤、研磨剤、湿潤剤、および着香剤に加えて、う食予防剤、抗歯石剤および／または抗プラーク剤を含有することができる。物質およびこれらの従来からの機能および製品カテゴリーの広範なリストが、ＩＮＣＩ辞書、一般的に、本明細書に参照により組み込まれている、特に第２巻、セクション４および５、第７版に現われる。
【００９３】
本発明のカチオン性修飾および両親媒性修飾したカシアポリマーは、特に、水ベースの、溶媒ベースの、ハイドロアルコールベースの、および混合した溶媒の配合物であり、これに限定されないが、水混和性補助溶媒を含有する配合に対して有用である。一般的に採用される有用な溶媒は、通常、液体、例えば水（脱イオン水、蒸留水、または精製水）、ポリオールなど、およびこれらの混合物などである。非水性または両親媒性補助溶媒は、一般的に、実質的に水を含まない製品、例えば爪ラッカー、エアゾール噴霧スプレーにおいて、または特定の機能、例えば、油性の土壌、皮脂、メイクアップの除去、または染料、芳香剤などを溶解するために採用され、またはエマルジョンの油相に組み込まれる。水以外の補助溶媒の非限定的な例には以下が含まれる：直鎖および分枝のＣ１〜Ｃ６アルコール、例えば、エタノール、プロパノール、イソプロパノール、ブタノール、ヘキサノール、およびこれらの混合物など；芳香族アルコール、例えば、ベンジルアルコール、脂環式アルコール、例えば、シクロヘキサノールなど；飽和Ｃ１２〜Ｃ３０脂肪アルコール、例えば、ラウリルアルコール、ミリスチルアルコール、セチルアルコール、ステアリルアルコール、ベヘニルアルコールなど。ポリオールの非限定的な例には、以下が含まれる：ポリヒドロキシアルコール、例えばグリセリン、プロピレングリコール、ブチレングリコール、ヘキシレングリコール、Ｃ２〜Ｃ４アルコキシ化アルコールおよびＣ２〜Ｃ４アルコキシ化ポリオール、例えば、約２〜約３０個の炭素原子および１から約４０個のアルコキシ単位を有する、アルコール、ジオール、およびポリオールのエトキシ化エーテル、プロポキシ化エーテル、およびブトキシ化エーテル、ポリプロピレングリコール、ポリブチレングリコールなど。非水性補助溶媒の非限定的な例には、以下が含まれる：シリコーンおよびシリコーン誘導体、例えば、シクロメチコンなど、脂肪族溶媒、例えば、シクロヘキサンおよびヘプタンなど、ケトン、例えば、アセトンおよびメチルエチルケトン、およびこれらの混合物など；エーテル、例えば、ジメチルエーテル、ジメトキシメタン、およびこれらの混合物など、天然および合成のオイルおよびワックス、例えば、植物性油脂、植物油、動物性油脂、エッセンシャルオイル、鉱油、Ｃ７〜Ｃ４０イソパラフィン、アルキルカルボン酸エステル、例えば、酢酸エチル、酢酸アミル、乳酸エチルなど、ホホバオイル、サメ肝油など。前述の溶媒の混合物はまた、本発明のカチオン性修飾および両親媒性修飾したカシアポリマーと組み合わせて利用することもできる。前述の非水性補助溶媒の一部は、コンディショナーおよび乳化剤として機能することもできる。
【００９４】
界面活性剤は、一般的に、クレンジング剤、乳化剤、起泡力増進剤、ヒドロトロープおよび懸濁剤として採用される。本発明のカチオン性修飾および両親媒性修飾したカシアポリマーは、すべてのクラスの界面活性剤、すなわち、アニオン性界面活性剤、カチオン性界面活性剤、非イオン性界面活性剤、両性界面活性剤を含有する配合物に採用することができる。「両性界面活性剤」という用語は、本明細書で使用する場合、両性イオン界面活性剤を含む。前述の参照に加えて、界面活性剤のクラスについて、それぞれ本明細書に参照により組み込まれている以下において考察されている：Ｃｏｓｍｅｔｉｃｓ  ＆  Ｔｏｉｌｅｔｒｉｅｓ（登録商標）Ｃ＆Ｔ  Ｉｎｇｒｅｄｉｅｎｔ  Ｒｅｓｏｕｒｃｅ  Ｓｅｒｉｅｓ、「Ｓｕｒｆａｃｔａｎｔ  Ｅｎｃｙｃｌｏｐｅｄｉａ」、第２版、Ｒｉｅｇｅｒ（編）、Ａｌｌｕｒｅｄ  Ｐｕｂｌｉｓｈｉｎｇ  Ｃｏｒｐｏｒａｔｉｏｎ（１９９６年）；Ｓｃｈｗａｒｔｚら、Ｓｕｒｆａｃｅ  Ａｃｔｉｖｅ  Ａｇｅｎｔｓ、Ｔｈｅｉｒ  Ｃｈｅｍｉｓｔｒｙ  ａｎｄ  Ｔｅｃｈｎｏｌｏｇｙ、１９４９年出版；およびＳｕｒｆａｃｅ  Ａｃｔｉｖｅ  Ａｇｅｎｔｓ  ａｎｄ  Ｄｅｔｅｒｇｅｎｔｓ、第ＩＩ巻、１９５８年出版、Ｉｎｔｅｒｓｃｉｅｎｃｅ  Ｐｕｂｌｉｓｈｅｒｓ。
【００９５】
驚くことに、本発明のカチオン性修飾および両親媒性修飾したカシアポリマーは、比較的高濃度（約１０〜４０重量パーセント）のアニオン性界面活性剤を含有する組成物、例えばヘアおよびボディー（浴室）製品のためのシャンプーおよびツーインワンタイプの液体コンディショニング／クレンザーにおいて、増粘剤および沈着助剤として有用である。
【００９６】
アニオン性界面活性剤には、負の電荷をもつ疎水性物質を有する物質またはｐＨが中立以上に上昇した場合、負電荷を保有する物質、例えば以下などが含まれる：アシルアミノ酸、およびその塩、例えば、アシルグルタメート、アシルペプチド、サルコシネート、およびタウレート；カルボン酸およびその塩、例えば、アルカン酸およびアルカノエート、エステルカルボン酸およびエーテルカルボン酸；リン酸エステルおよびその塩；スルホン酸およびその塩、例えば、イセチオン酸アシル、スルホン酸アルキルアリール、スルホン酸アルキル、およびスルホスクシネート；ならびに硫酸エステル、例えば硫酸アルキルエーテルおよびアルキルスルフェートなど。
【００９７】
アニオン性界面活性剤の非限定的な例には以下が含まれる：水溶液中でわずかに酸性のアシルグルタメートの一塩基塩、例えばアシルグルタミン酸ナトリウムおよびナトリウム水素化タロウグルタメート；アシル−加水分解タンパク質の塩、例えばカリウム、パルミトイル加水分解ミルクタンパク質、ナトリウムココイル加水分解ダイズタンパク質、およびＴＥＡ−アビエトイル加水分解コラーゲン；アシルサルコシネートの塩、例えば、ミリストイルサルコシンアンモニウム、ココイルサルコシネートナトリウム、およびＴＥＡ−ラウロイルサルコシネート；アシルタウリン酸メチルナトリウムの塩、例えば、タウリン酸ラウロイルナトリウムおよびタウリン酸メチルココイルナトリウム；アルカン酸およびアルカノエート、例えば、水溶性セッケンおよび水不溶性乳化セッケンを形成する動物および植物グリセリド由来の脂肪酸（ステアリン酸ナトリウム、ステアリン酸アルミニウム、およびウンデシル酸亜鉛を含む）；エステルカルボン酸、例えばジノノキシノール−９−シトレート；アシルラクチレートの塩、例えば、ステアロイルラクチレートカルシウムおよびラウレス−６シトレート；異なる長さのポリオキシエチレン鎖を有するエトキシ化アルコールまたはフェノール由来のエーテルカルボン酸、例えばノノキシノール−８カルボン酸、およびナトリウムトリデセス−１３カルボキシレート；リン酸のモノエステルおよびジエステルならびにこれらの塩、例えば、リン脂質、ジラウレス−４−ホスフェート、ＤＥＡ−オレス−１０ホスフェートおよびトリエタノールアミンラウリルホスフェート；アシルイセチオネートの塩、例えば、イセチオン酸ココイルナトリウム；アルキルアリールベンゼンスルホネート、例えば、α−オレフィンスルホネート（ＡＯＳ）およびそのアルカリ金属塩、アルカリ土類金属塩、およびアルカノールアミン塩、ならびにドデシルベンゼンスルホン酸ナトリウム；スルホン酸アルキル、例えば、Ｃ１２〜Ｃ１４オレフィンスルホン酸ナトリウム、スルホン酸ココモノグリセリドナトリウム、Ｃ１２〜Ｃ１５パレス−１５スルホン酸ナトリウム、およびラウリルスルホ酢酸ナトリウム；スルホスクシネート、例えば、スルホコハク酸のモノエステルおよびジエステル、これらの塩ならびにそのアルコキシ化アルキル誘導体およびアルキルアミド誘導体、例えば、ジ−Ｃ４〜Ｃ１０アルキルスルホコハク酸ナトリウム、ラウレススルホコハク酸二ナトリウム、オレアミドＭＥＡ−スルホコハク酸二ナトリウム、およびＣ１２〜Ｃ１５パレススルホコハク酸二ナトリウム；硫酸アルキルエーテル、例えば、ナトリウムラウリルエーテルスルフェートおよびアンモニウムラウリルエーテルスルフェート（約１〜約１２モルのエチレンオキシドを有する）；アルキルスルフェート、例えばＣ１２〜Ｃ１８アルキルスルフェートのナトリウム塩、アンモニウム塩およびトリエタノールアミン塩、Ｃ１２〜Ｃ１４オレフィン硫酸ナトリウム、ラウレス−６カルボン酸ナトリウム、Ｃ１２〜Ｃ１８パレス硫酸ナトリウムなど。
【００９８】
カチオン性界面活性剤は、正の電荷を運ぶか、または中性に近い、またはより低いｐＨ値で荷電しない疎水性物質を有することができる、例えば、アルキルアミン、アルキルイミダゾリン、エトキシ化アミン、および第四級アンモニウム化合物である。化粧品に使用されるカチオン性界面活性剤は、好ましくはＮ−誘導体であり、中和アニオンは、無機であっても、有機であってもよい。本明細書において有用なカチオン性界面活性物質は、以下の一般式に相当する第四級アンモニウムである：（Ｒ１０Ｒ１１Ｒ１２Ｒ１３Ｎ＋）Ｅ−（式中、Ｒ１０、Ｒ１１、Ｒ１２、およびＲ１３のそれぞれは、独立して、１〜約２２個の炭素原子を有する脂肪族基、またはアルキル鎖内に１〜約２２個の炭素原子を有する、芳香族、アルコキシ、ポリオキシアルキレン、アルキルアミド、ヒドロキシアルキル、アリールまたはアルキルアリール基から選択され、Ｅ−は、塩形成するアニオン、例えば、ハロゲン、（例えば塩化物、臭化物）、酢酸イオン、クエン酸イオン、乳酸イオン、グリコール酸イオン、リン酸イオン、硝酸イオン、硫酸イオン、およびアルキル硫酸イオンから選択されるものなどである）。脂肪族基は、炭素原子および水素原子に加えて、エーテル結合、エステル結合、およびアミノ基など他の基を含有することができる。より長鎖の脂肪族基、例えば、約１２個以上の炭素のものなどは、飽和であっても不飽和であってもよい。
【００９９】
アルキルアミンは、置換または非置換の、第一級の、第二級および第三級の脂肪Ｃ１２〜Ｃ２２アルキルアミンの塩であり、時には「アミドアミン」と呼ばれる物質であってよい。アルキルアミンおよびその塩の非限定的な例には、以下が含まれる：ジメチルコカミン、ジメチルパルミタミン、ジオクチルアミン、ジメチルステアラミン、ジメチルソイアミン、ソイアミン、ミリスチルアミン、トリデシルアミン、エチルステアリルアミン、Ｎ−タロウプロパンジアミン、エトキシ化ステアリルアミン、ジヒドロキシエチルステアリルアミン、アラキジルベヘニルアミン、ジメチルラウラミン、ステアリルアミン塩酸塩、塩化ソイアミン、ギ酸ステアリルアミン、Ｎ−タロウプロパンジアミンジクロリド、およびアモジメチコン（シリコーンポリマーおよびアミノ官能基でブロックされたもの、例えばアミノエチルアミノプロピルシロキサンなどに対するＩＮＣＩ名）。アミドアミンおよびその塩の非限定的な例には以下が含まれる：ステアラミドプロピルジメチルアミン、ステアラミドプロピルジメチルアミンシトレート、パルミタミドプロピルジエチルアミン、およびコカミドプロピルジメチルアミンラクテート。他のカチオン性の界面活性剤には以下が含まれる：ジステアリルジモニウムクロリド、ジセチルジモニウムクロリド、グアーヒドロキシプロピルトリモニウムクロリドなど。低ｐＨにおいて、アミンオキシドは、プロトン化でき、Ｎ−アルキルアミンと同様に挙動し得る。
【０１００】
アルキルイミダゾリンの非限定的な例には以下が含まれる：アルキルヒドロキシエチルイミダゾリン、例えば、ステアリルヒドロキシエチルイミダゾリン、ココヒドロキシエチルイミダゾリン、エチルヒドロキシメチルオレイルオキサゾリンなど。エトキシ化アミンの非限定的な例には以下が含まれる：ＰＥＧ−ココポリアミン、ＰＥＧ−１５タロウアミン、クオタニウム−５２など。
【０１０１】
第四級アンモニウム化合物は、４つのアルキルおよび／またはアリール置換基と共有結合で連結している少なくとも１個の窒素原子を含有するモノマー物質またはポリマー物質から選択することができ、窒素原子は周囲のｐＨに関わらず正の電荷をもったままである。第四級アンモニウム化合物は、界面活性剤、コンディショナー、帯電防止剤、および抗菌剤として広く使用されている多数の物質を含み、アルキルベンジルジメチルアンモニウム塩、アルキルベタイン、ヘテロ環式アンモニウム塩、およびテトラアルキルアンモニウム塩を含む。長鎖の（脂肪性）アルキルベンジルジメチルアンモニウム塩は、以下により詳細に論じられている、コンディショナーとして、帯電防止剤として、および布柔軟剤として好ましい。他の第四級アンモニウム化合物は、第四級アンモニウムシリコーンを含む。様々な第四級アンモニウム化合物が特定の目的に対して列挙されているが、当業者であれば、ここでおよび明細書全体を通して記述した第四級アンモニウム化合物は、複数の機能を発揮することができることを理解されよう。
【０１０２】
アルキルベンジルジメチルアンモニウム塩の非限定的な例には以下が含まれる：ステアラルコニウムクロリド、ベンザルコニウムクロリド、クオタニウム−６３、オレアルコニウムクロリド、ジデシルジモニウムクロリドなど。アルキルベタイン化合物には以下が含まれる：アルキルアミドプロピルベタイン、アルキルアミドプロピルヒドロキシスルテイン、およびナトリウムアルキルアミドプロピルヒドロキシホスタイン。アルキルベタイン化合物の非限定的な例には以下が含まれる：オレイルベタイン、ヤシ−ベタイン、ココアミドプロピルベタイン、ヤシ−ヒドロキシスルテイン、ヤシ／オレアミドプロピルベタイン、ヤシ−スルテイン、ココアミドプロピルヒドロキシスルテイン、およびナトリウムラウラミドプロピルヒドロキシホスタイン。ヘテロ環式アンモニウム塩には、アルキルエチルモルホリニウムエトスルフェート、イソステアリルエチルイミドニウムエトスルフェート、およびアルキルピリジニウムクロリドが含まれ、一般的に乳化剤として使用されている。ヘテロ環式アンモニウム塩の非限定的な例には以下が含まれる：セチルピリジニウムクロリド、イソステアリルエチルイミドニウムエトスルフェートなど。テトラアルキルアンモニウム塩の非限定的な例には以下が含まれる：コカミドプロピルエチルジモニウムエトスルフェート、ヒドロキシエチルセチルジモニウムクロリド、クオタニウム−１８、およびココジモニウムヒドロキシプロピル（ｈｙｒｏｘｙｐｒｏｐｙｌ）加水分解したタンパク質、例えばヘアケラチンなど。
【０１０３】
本発明のカチオン性修飾および両親媒性修飾したカシアポリマーは、驚くことに、帯電防止剤として適切なカチオン性界面活性剤および他のカチオン性化合物、例えば、ヘアケアおよび布ケア製品に採用されているものなどとの相容性がある。「帯電防止剤」という用語は、本明細書で使用する場合、例えば、これらの電気的負荷を獲得する傾向を減少させることによって、化粧品原料またはヒトの体の表面（皮膚、毛髪など）および布地の電気的特性を変化させ、これによって、毛髪、皮膚および布をコンディショニングすることができる成分を指す。本カチオン性修飾および両親媒性修飾ポリマーのカチオン性の相容性のため、これらのポリマーは、ヘアケア組成物、例えば、シャンプー、後シャンプーコンディショニングリンス、ヘアスプレー、ヘアドレッシングなどに通常採用されている帯電防止剤を含有する配合物へ組み込むのが適切である。帯電防止剤は、最終組成物の約３０重量パーセントまでの量で採用することができるが、これに限定されない。
【０１０４】
帯電防止剤には、これらに限定されないが、以下が含まれる：第四級アンモニウム化合物、タンパク質誘導体、合成第四級アンモニウムポリマー、アミン、プロトン化アミンオキシド、ベタインなど、これらは、このような物質により与えられる任意の界面活性特性に加えて、特定の配合において、および制御されたｐＨ条件下で、帯電防止剤として作用することができる。すでに論じた帯電防止剤に加えて、帯電防止剤として有用な第四級アンモニウム化合物の非限定的な例は、以下である：アセトアミドプロピルトリモニウムクロリド、ベヘナミドプロピルジメチルアミン、ベヘナミドプロピルエチルジモニウムエトスルフェート、ベヘントリモニウムクロリド、セテチルモルホリニウムエトスルフェート、セトリモニウムクロリド、ココアミドプロピルエチルジモニウムエトスルフェート、ジセチルジモニウムクロリド、ジメチコンヒドロキシプロピルトリモニウムクロリド、ヒドロキシエチルベヘナミドプロピルジモニウムクロリド、クオタニウム−２６、クオタニウム−２７、クオタニウム−５３、クオタニウム−６３、クオタニウム−７０、クオタニウム−７２、クオタニウム−７６加水分解コラーゲン、ＰＰＧ−９ジエチルモニウムクロリド、ＰＰＧ−２５ジエチルモニウムクロリド、ＰＰＧ−４０ジエチルモニウムクロリド、ステアラルコニウムクロリド、ステアラミドプロピルエチルジモニウムエトスルフェート、ステアルジモニウムヒドロキシプロピル加水分解小麦タンパク質、ステアルジモニウムヒドロキシプロピル加水分解コラーゲン、小麦胚アミドプロパルコニウムクロリド、小麦胚アミドプロピルエチルジモニウムエトスルフェートなど。
【０１０５】
合成第四級アンモニウムポリマーは、これらに限定されないが、膜形成ポリマーおよびコンディショニングポリマーを含む。合成第四級アンモニウムポリマーの非限定的な例として、ジメチルジアリルアンモニウムクロリドのポリマーおよびコポリマー、例えば、ポリクオタニウム−４、ポリクオタニウム−６、ポリクオタニウム−７、ポリクオタニウム−２２、ポリクオタニウム−１０、ポリクオタニウム−１１  ポリクオタニウム−１５、ポリクオタニウム−１６、ポリクオタニウム−２４、ポリクオタニウム−２８、ポリクオタニウム−３２、ポリクオタニウム−３３、ポリクオタニウム−３５、ポリクオタニウム−３７、ポリクオタニウム−３９、ポリクオタニウム−４４、ＰＥＧ−２−ココモニウムクロリド、クオタニウム−５２などが挙げられる。
【０１０６】
「ヘアセット組成物」という用語は、本発明の少なくとも１つのポリマーをヘアセット剤として含む製品を包含し、これらは、毛髪を所望の形状に設定する（巻き毛またはストレート）以前、この間または後に、製品の形態に関して限定されずに、毛髪（湿った状態または乾燥した状態）に適用される。
【０１０７】
本発明のカチオン性修飾および両親媒性修飾したカシアポリマーは、驚くことに、単独の膜形成剤、レオロジー改変剤、コンディショニング固定剤として、ヘアセット組成物およびヘアスタイリング組成物において有用である。本発明のカチオン性修飾および両親媒性修飾したカシアポリマーはまた、市販の補助の毛髪固定剤ポリマー、例えば非イオン性、カチオン性、および両性のヘアセットポリマー、カチオン性コンディショニングポリマー、およびこれらの組合せなどと組み合わせるのが有用である。当技術分野で周知の、従来のポリマー毛髪固定剤およびヘアスタイリングポリマーとして、天然ガムならびに合成由来の樹脂および中性またはアニオン性ポリマーが挙げられる。市販の毛髪固定剤およびコンディショニング固定剤ポリマーの列挙は、ＩＮＣＩ  Ｄｉｃｔｉｏｎａｒｙの中、製造元のウェブサイト上、および営業用文献中に容易に発見することができる。例えば、その関連開示が本明細書に参照により組み込まれている、Ｃｏｓｍｅｔｉｃｓ＆Ｔｏｉｌｅｔｒｉｅｓ（登録商標）において出版された「ｔｈｅ  Ｐｏｌｙｍｅｒ  Ｅｎｃｙｃｌｏｐｅｄｉａ」、１１７巻（１２号）、２００２年１２月を参照されたい（Ａｌｌｕｒｅｄ  Ｐｕｂｌｉｓｈｉｎｇ  Ｃｏｒｐｏｒａｔｉｏｎ，  Ｃａｒｏｌ  Ｓｔｒｅａｍ，  ＩＬ）。
【０１０８】
ヘアスタイリングまたは固定剤ポリマーとして使用されている、適切な市販の非イオン性ポリマー（すなわち、中性）として、これらに限定されないが、ポリビニルピロリドン（ＰＶＰ）、ポリビニルピロリドン／酢酸ビニルコポリマー（ＰＶＰ／ＶＡ）などが挙げられる。市販のカチオン性固定剤ポリマーとして、これらに限定されないが、ＩＮＣＩ名を有するポリマー、ポリクオタニウム、例えば、ポリクオタニウム−４、ジアリルジモニウムクロリド／ヒドロキシエチルセルロースコポリマー（例えば、ＣＥＬＱＵＡＴ（登録商標）Ｈ−１００、Ａｋｚｏ  Ｎｏｂｅｌなど）；ポリクオタニウム−１１、四級化ビニルピロリドン／ジメチルアミノエチルメタクリレートコポリマー（例えば、ＧＡＦＱＵＡＴ（登録商標）７３４、７５５、７５５Ｎ、ＩＳＰなど）；ポリクオタニウム−１６、四級化ビニルピロリドン／ビニルイミダゾリウムクロリドコポリマー（例えば、ＬＵＶＩＱＵＡＴ（登録商標）ＦＣ−３７０、ＢＡＳＦなど）；ポリクオタニウム−２８、ビニルピロリドン／メタクリルアミドプロピルトリメチルアンモニウムクロリドコポリマー（例えば、ＧＡＦＱＵＡＴ（登録商標）ＨＳ−１００、ＩＳＰなど）；ポリクオタニウム−４６、四級化ビニルカプロラクタム／ビニルピロリドン／メチルビニルイミダゾリウムメトスルフェートコポリマー；ポリクオタニウム−５５、四級化ビニルピロリドン／ジメチルアミノプロピルメチルアクリルアミド／ラウリルジメチルプロピルメタクリルアミドアンモニウムクロリドコポリマー（例えば、ＳＴＹＬＥＺＥ（商標）Ｗ、ＩＳＰなど）など；および酸性のｐＨ条件下でカチオン性であるアミノ置換ポリマー、例えば、ビニルカプロラクタム／ＰＶＰ／ジメチルアミノエチルメタクリレートコポリマー（例えば、ＧＡＦＦＩＸ（登録商標）ＶＣ−７１３、ＩＳＰなど）；ＰＶＰ／ジメチルアミノエチルメタクリレートコポリマー（例えば、コポリマー８４５、ＩＳＰなど）、ＰＶＰ／ＤＭＡＰＡアクリレートコポリマー（例えば、ＳＴＹＬＥＺＥ（商標）ＣＣ−１０、ＩＳＰなど）、ＩＮＣＩ名、キトサンＰＣＡを有する、キトサンのピロリドンカルボン酸塩（例えば、ＫＹＴＡＭＥＲ（登録商標）ＰＣ、Ａｍｅｒｃｈｏｌなど）などが挙げられる。
【０１０９】
適切な両性固定剤ポリマーとして、これらに限定されないが、オクチルアクリルアミド（ｏｃｔｙｌａｃｒｙａｍｉｄｅ）／アクリレート／ブチルアミノエチルメタクリレートコポリマー（例えば、ＡＭＰＨＯＭＥＲ（登録商標）ポリマー、Ａｋｚｏ  Ｎｏｂｅｌなど）、アクリレート／ラウリルアクリレート／ステアリルアクリレート／エチルアミンオキシドメタクリレートコポリマー（例えば、ＤＩＡＦＯＲＭＥＲ（登録商標）ポリマー、Ｃｌａｒｉａｎｔ  Ｃｏｒｐ．など）などが挙げられる。
【０１１０】
適切な市販のコンディショニングポリマーとして、ポリマーの第四級アンモニウム塩、例えば、これらに限定されないが、ポリクオタニウム−７、アクリルアミドおよびジメチルジアリルアンモニウムクロリドモノマーのポリマーの第四級アンモニウム塩（例えば、ＭＡＣＫＥＲＮＩＵＭＴＭ−００７、ＭｃＩｎｔｙｒｅ  Ｇｒｏｕｐ，Ｌｔｄ．など）；ポリクオタニウム−１０、トリメチルアンモニウム置換エポキサイドと反応させたヒドロキシエチルセルロースのポリマーの第四級アンモニウム塩（例えば、ＵＣＡＲＥ（登録商標）ポリマーＪＲ、ＬＫ、ＬＲ、ＳＲシリーズ、ＡｍｅｒｃｈｏｌおよびＣＥＬＱＵＡＴ（登録商標）ＳＣシリーズ、Ａｋｚｏ  Ｎｏｂｅｌなど）；ポリクオタニウム−３９、アクリル酸、ジアリルジメチルアンモニウムクロリドおよびアクリルアミドのポリマーの第四級アンモニウム塩（例えば、ＭＥＲＱＵＡＴ（登録商標）およびＭＥＲＱＵＡＴ（登録商標）Ｐｌｕｓ  ｐｏｌｙｍｅｒｓ、Ｌｕｂｒｉｚｏｌ  Ａｄｖａｎｃｅｄ  Ｍａｔｅｒｉａｌｓ，Ｉｎｃ．など）；天然ガムの四級化誘導体、例えば、グアーヒドロキシプロピルトリモニウムクロリド（例えば、ＪＡＧＵＡＲ（登録商標）およびＪＡＧＵＡＲ（登録商標）Ｅｘｃｅｌ  ｐｏｌｙｍｅｒｓ、Ｒｈｏｄｉａ，Ｉｎｃ．など）などが挙げられる。
【０１１１】
いくつかの第四級アンモニウム化合物は、一般的に布柔軟剤と呼ばれる布コンディショニングおよび布ケアのために使用され、通常、配合物の総重量の約２０重量パーセントまでの量で採用されるが、これに限定されない。本発明のカチオン性修飾および両親媒性修飾したポリマーと組み合わせて有用な布柔軟剤には、一般的に、長鎖のアルキル化第四級アンモニウム化合物、例えば、ジアルキルジメチル第四級アンモニウム化合物、イミダゾリン第四級化合物、アミドアミン第四級化合物、ジヒドロキシプロピルアンモニウム化合物のジアルキルエステル第四級誘導体、メチルトリエタノールアンモニウム化合物のジアルキルエステル第四級誘導体、エステルアミドアミン化合物、およびジメチルジエタノールアンモニウムクロリドのジエステル第四級誘導体などが含まれ、これらは、本明細書に参照により組み込まれている、Ｗｈａｌｌｅｙによる総説文献「Ｆａｂｒｉｃ  Ｃｏｎｄｉｔｉｏｎｉｎｇ  Ａｇｅｎｔｓ」、ＨＡＰＰＩ、５５〜５８頁（１９９５年２月）に記述されている。
【０１１２】
すでに論じた帯電防止剤に加えて、ジアルキルジメチル第四級アンモニウム化合物の非限定的な例には、Ｎ，Ｎ−ジオレイル−Ｎ，Ｎ−ジメチルアンモニウムクロリド、Ｎ，Ｎ−ジタロウイル−Ｎ，Ｎ−ジメチルアンモニウムエトスルフェート、Ｎ，Ｎ−ジ（水素化タロウイル）−Ｎ，Ｎ−ジメチルアンモニウムクロリドなどが含まれる。イミダゾリン第四級化合物の非限定的な例には、１−Ｎ−メチル−３−Ｎ−タロウアミドエチルイミダゾリウムクロリド、３−メチル−１−タロウイルアミドエチル−２−タロウイルイミダゾリニウムメチルスルフェートが含まれ、これらは、Ｗｉｔｃｏ  Ｃｈｅｍｉｃａｌ  Ｃｏｍｐａｎｙから、商標名ＶＡＲＩＳＯＦＴ（登録商標）４７５などで入手可能である。アミドアミン第四級化合物の非限定的な例には、Ｎ−アルキル−Ｎ−メチル−Ｎ，Ｎ−ビス（２−タロウアミドエチル）アンモニウム塩が含まれるが、このアルキル基は、メチル、エチル、ヒドロキシエチルなどであってよい。ジヒドロキシプロピルアンモニウム化合物のジアルキルエステル第四級誘導体の非限定的な例には以下が含まれる：１，２−ジタロウイルオキシ−３−Ｎ，Ｎ，Ｎ−トリメチルアンモニオプロパンクロリド、１，２−ジカノロイルオキシ−３−Ｎ，Ｎ，Ｎ−トリメチルアンモニオプロパンクロリドなど。
【０１１３】
さらに、他のタイプの長鎖（例えば天然油および脂肪酸由来）のアルキル化第四級アンモニウム化合物が適切な布柔軟剤であり、これらに限定されないが、以下が含まれる：Ｎ，Ｎ−ジ（アルキルオキシエチル）−Ｎ，Ｎ−ジメチルアンモニウム塩、例えば、Ｎ，Ｎ−ジ（タロウイルオキシエチル）−Ｎ，Ｎ−ジメチルアンモニウムクロリド、Ｎ，Ｎ−ジ（カノリルオキシエチル）−Ｎ，Ｎ−ジメチルアンモニウムクロリドなど；Ｎ，Ｎ−ジ（アルキルオキシエチル）−Ｎ−メチル−Ｎ−（２−ヒドロキシエチル）アンモニウム塩、例えば、Ｎ，Ｎ−ジ（タロウイルオキシエチル）−Ｎ−メチル−Ｎ−（２−ヒドロキシエチル）アンモニウムクロリド、Ｎ，Ｎ−ジ（カノリルオキシエチル）−Ｎ−メチル−Ｎ−（２−ヒドロキシエチル）アンモニウムクロリドなど；Ｎ，Ｎ−ジ（２−アルキルオキシ−２−オキソエチル）−Ｎ，Ｎ−ジメチルアンモニウム塩、例えば、Ｎ，Ｎ−ジ（２−タロウイルオキシ−２−オキソエチル）−Ｎ，Ｎ−ジメチルアンモニウムクロリド、Ｎ，Ｎ−ジ（２−カノリルオキシ−２−オキソエチル）−Ｎ，Ｎ−ジメチルアンモニウムクロリドなど；Ｎ，Ｎ−ジ（２−アルキルオキシエチルカルボニルオキシエチル）−Ｎ，Ｎ−ジメチルアンモニウム塩、例えばＮ，Ｎ−ジ（２−タロウイルオキシエチルカルボニルオキシエチル）−Ｎ，Ｎ−ジメチルアンモニウムクロリド、Ｎ，Ｎ−ジ（２−カノリルオキシエチルカルボニルオキシエチル）−Ｎ，Ｎ−ジメチルアンモニウムクロリドなど；Ｎ−（２−アルカノイルオキシ−２−エチル）−Ｎ−（２−アルキルオキシ−２−オキソエチル）−Ｎ，Ｎ−ジメチルアンモニウム塩、例えば、Ｎ−（２−タロウイルオキシ−２−エチル）−Ｎ−（２−タロウイルオキシ−２−オキソエチル）−Ｎ，Ｎ−ジメチルアンモニウムクロリド、Ｎ−（２−カノロイルオキシ−２−エチル）−Ｎ−（２−カノリルオキシ−２−オキソエチル）−Ｎ，Ｎ−ジメチルアンモニウムクロリドなど；Ｎ，Ｎ，Ｎ−トリ（アルキルオキシエチル）−Ｎ−メチルアンモニウム塩、例えば、Ｎ，Ｎ，Ｎ−トリ（タロウイルオキシエチル）−Ｎ−メチルアンモニウムクロリド、Ｎ，Ｎ，Ｎ−トリ（カノリルオキシエチル）−Ｎ−メチルアンモニウムクロリドなど；Ｎ−（２−アルキルオキシ−２−オキソエチル）−Ｎ−アルキル−Ｎ，Ｎ−ジメチルアンモニウム塩、例えば、Ｎ−（２−タロウイルオキシ−２−オキソエチル）−Ｎ−タロウイル−Ｎ，Ｎ−ジメチルアンモニウムクロリド、Ｎ−（２−カノリルオキシ−２−オキソエチル）−Ｎ−カノリル−Ｎ，Ｎ−ジメチルアンモニウムクロリドなど。
【０１１４】
好ましくは、長鎖アルキル基は、タロウ、カノーラ油またはパーム油由来であるが、例えばダイズ油およびココナッツ油由来の他のアルキル基もまた適切であり、ラウリル、オレイル、リシノレイル、ステアリル、パルミチルなどの脂肪アルキル基もまた適切である。第四級アンモニウム塩化合物は、対イオンとして任意のアニオン性基、例えば、クロリド、ブロミド、メトスルフェート（すなわちメチルスルフェート）、アセテート、ホルメート、スルフェート、ニトレートなどを有することができる。
【０１１５】
好ましい第四級アンモニウム布軟化化合物の例には、以下が含まれる：Ｎ−メチル−Ｎ，Ｎ−ビス（タロウアミドエチル）−Ｎ−（２−ヒドロキシエチル）アンモニウムメチルスルフェートおよびＮ−メチル−Ｎ，Ｎ−ビス（水素化タロウアミドエチル）−Ｎ−（２−ヒドロキシエチル）アンモニウムメチルスルフェート（これら物質のそれぞれは、Ｗｉｔｃｏ  Ｃｈｅｍｉｃａｌ  Ｃｏｍｐａｎｙから、それぞれ商標名ＶＡＲＩＳＯＦＴ（登録商標）２２２およびＶＡＲＩＳＯＦＴ（登録商標）１１０として入手可能）、メチルトリエタノールアンモニウム塩のジアルキルエステルクワット誘導体（例えば、ビス（アシルオキシエチル）ヒドロキシエチルメチルアンモニウムメトスルフェートエステルクワットのＤＥＨＹＱＵＡＲＴ（登録商標）ＡＵシリーズ、Ｃｏｇｎｉｓから入手可能、例えばＤＥＨＹＱＵＡＲＴ（登録商標）ＡＵ３５、ＡＵ４６、ＡＵ５６など）；およびＮ，Ｎ−ジ（タロウイルオキシエチル）−Ｎ，Ｎ−ジメチルアンモニウムクロリド（このタロウ鎖は、少なくとも部分的に不飽和である）。他の好ましい布柔軟剤には以下が含まれる：周知のジアルキルジメチルアンモニウム塩、例えばＮ，Ｎ−ジタロウイル−Ｎ，Ｎ−ジメチルアンモニウムメチルスルフェート、Ｎ，Ｎ−ジ（水素化−タロウイル）−Ｎ，Ｎ−ジメチルアンモニウムクロリド、Ｎ，Ｎ−ジステアリル−Ｎ，Ｎ−ジメチルアンモニウムクロリド、Ｎ，Ｎ−ジベヘニル−Ｎ，Ｎ−ジメチルアンモニウムクロリド、Ｎ，Ｎ−ジ（水素化タロウ）−Ｎ，Ｎ−ジメチルアンモニウムクロリド（商標名ＡＤＯＧＥＮ（登録商標）４４２）、Ｎ，Ｎ−ジタロウイル−Ｎ，Ｎ−ジメチルアンモニウムクロリド（商標名ＡＤＯＧＥＮ（登録商標）４７０、ＰＲＡＥＰＡＧＥＮ（登録商標）３４４５）、Ｎ，Ｎ−ジステアリル−Ｎ，Ｎ−ジメチルアンモニウムクロリド（商標名ＡＲＯＳＵＲＦ（登録商標）ＴＡ−１００）（これらすべては、Ｗｉｔｃｏ  Ｃｈｅｍｉｃａｌ  Ｃｏｍｐａｎｙから入手可能；Ｎ，Ｎ−ジベヘニル−Ｎ，Ｎ−ジメチルアンモニウムクロリドは、商標名ＫＥＭＡＭＩＮＥ（登録商標）Ｑ−２８０２Ｃで、Ｈｕｍｋｏ  Ｃｈｅｍｉｃａｌ  Ｄｉｖｉｓｉｏｎ  ｏｆ  Ｗｉｔｃｏ  Ｃｈｅｍｉｃａｌ  Ｃｏｒｐｏｒａｔｉｏｎより販売；Ｎ，Ｎ−ジメチル−Ｎ−ステアリル−Ｎ−ベンジルアンモニウムクロリドは、商標名ＶＡＲＩＳＯＦＴ（登録商標）ＳＤＣで、Ｗｉｔｃｏ  Ｃｈｅｍｉｃａｌ  Ｃｏｍｐａｎｙより、およびＡＭＭＯＮＹＸ（登録商標）４９０で、Ｏｎｙｘ  Ｃｈｅｍｉｃａｌ  Ｃｏｍｐａｎｙより販売）。
【０１１６】
前述の布柔軟剤、およびこれらの混合物のいずれかは、本発明のカチオン性修飾および両親媒性修飾したポリマーと組み合わせて、特に洗濯および布ケア製品において利用することができる。エステル含有布柔軟剤に対して、組成物のｐＨは、特に長期の保存状態において、布柔軟剤の安定性に影響を及ぼし得る。本発明の文脈で定義される場合、ｐＨとは、純正の組成物中で、約２０℃で測定される。好ましくは、組成物のｐＨは、約６未満である。これらの組成物の最適な加水分解安定性のため、ｐＨは、好ましくは約２〜約５、より好ましくは約２．５〜約３．５の範囲である。
【０１１７】
タンパク質誘導体の非限定的な例には以下が含まれる：ココジモニウムヒドロキシプロピル加水分解カゼイン、ココジモニウムヒドロキシプロピル加水分解コラーゲン、ココジモニウムヒドロキシプロピル加水分解ヘアケラチン、ココジモニウムヒドロキシプロピル加水分解イネタンパク質、ココジモニウムヒドロキシプロピル加水分解絹、ココジモニウムヒドロキシプロピル加水分解ダイズタンパク質、ココジモニウムヒドロキシプロピル加水分解小麦タンパク質、ココジモニウムヒドロキシプロピル加水分解絹アミノ酸、ヒドロキシプロピルトリモニウム加水分解コラーゲン、ヒドロキシプロピルトリモニウム加水分解ケラチン、ヒドロキシプロピルトリモニウム加水分解絹、ヒドロキシプロピルトリモニウム加水分解米ぬか、ヒドロキシプロピルトリモニウム加水分解ダイズタンパク質、ヒドロキシプロピルトリモニウム加水分解植物タンパク質、ヒドロキシプロピルトリモニウム加水分解小麦タンパク質、加水分解小麦タンパク質、加水分解スウィートアーモンドタンパク質、加水分解イネタンパク質、加水分解ダイズタンパク質、加水分解ミルクタンパク質、加水分解植物タンパク質、加水分解ケラチン、加水分解コラーゲン、加水分解小麦グルテン、カリウムココイル加水分解コラーゲン、ヒドロキシプロピルトリモニウム加水分解コラーゲン、ココジモニウムヒドロキシプロピル加水分解ミルクタンパク質、ラウリルジモニウムヒドロキシプロピル加水分解小麦タンパク質、ラウリルジモニウムヒドロキシプロピル加水分解コラーゲン、ケラチンアミノ酸、コラーゲンアミノ酸、ソイエチルジモニウムエトスルフェート、ダイズエチルモルホリニウムエトスルフェートなど。
【０１１８】
非イオン性界面活性剤は、一般的に荷電しない両親媒性試薬であり、普通異なる程度にアルコキシ化されている。非イオン性界面活性剤のクラスには以下が含まれる：アルコール、アルカノールアミド、アミンオキシド、エステル、およびエーテル。非イオン性アルコールは普通、長鎖Ｃ８〜Ｃ１８アルカン炭化水素のヒドロキシ誘導体、例えばセテアリルアルコール、水素化タロウアルコール、ラノリンアルコール、アルカノールアミドなどである。アルカノールアミドは、少なくとも１つのアルコキシルまたは１つのポリオキシエチレン基を含有し、アルカノール由来のアミド、例えば、アシルアミドＤＥＡ、Ｎ−アルキルピロリドン、パームアミドＭＥＡ、ピーナッツアミドＭＩＰＡ、など、およびエトキシ化アミド、例えばＰＥＧ−５０タロウアミドなどを含む。アミンオキシドには以下が含まれる：アルキルアミンオキシド、例えば、ラウラミンオキシド；およびアシルアミドプロピルモルホリンオキシド、例えば、コカミドプロピルアミンオキシドなど。エステルには以下が含まれる：エトキシ化カルボン酸、例えば、ＰＥＧ−８ジラウレート、ＰＥＧ−８ラウレートなど；エトキシ化グリセリド、例えば、ＰＥＧ−４ヒマシ油、ＰＥＧ−１２０ステアリン酸グリセリル、トリオレインＰＥＧ−６エステルなど；グリコールエステルおよびその誘導体、例えば、ステアリン酸グリコールＳＥ、リシノール酸プロピレングリコールなど；モノグリセリド、例えばミリステアリン酸グリセリル、パルミチン酸グリセリル乳酸塩など；ポリグリセリルエステル、例えば、ポリグリセリル−６−ジステアレート、ポリグリセリル−４オレイルエーテルなど、多価アルコールエステルおよびエーテル、例えば、グルセス−２０セスキステアリン酸メチル、ジステアリン酸スクロースなど；ソルビタン／ソルビトールエステル、例えば、ポリソルベート−６０、セキイソステアリン酸ソルビタンなど；ならびにリン酸のトリエステル、例えば、トリデセス−３ホスフェート、トリオレス−８ホスフェートなど。エーテルには以下が含まれる：エトキシ化アルコール、例えば、セテアレス−１０、ノノキシノール−９など；エトキシ化ラノリン、例えば、ＰＥＧ−２０ラノリン、ＰＰＧ−１２−ＰＥＧ−６５ラノリン油など；エトキシ化ポリシロキサン、例えば、ジメチコンコポリオールなど；プロポキシ化ＰＯＥエーテル、例えば、メロキサポール３１４、ポロキサマー１２２、ＰＰＧ−５−セテス−２０など；ならびにアルキルポリグリコシド、例えば、ラウリルグルコースなど。
【０１１９】
非イオン界面活性剤は、乳化剤、懸濁剤、可溶化剤、起泡力増進剤として、場合によっては、ヒドロトロープとして使用することができる。一般的に好ましい非イオン性界面活性剤の非限定的な例には以下が含まれる：直鎖または分枝のアルコールエトキシレート、Ｃ８〜Ｃ１２アルキルフェノールアルコキシレート、例えば、オクチルフェノールエトキシレート、ポリオキシエチレンポリオキシプロピレンブロックコポリマーなど；ポリオキシエチレングリコールモノグリセリドおよびジグリセリドのＣ８〜Ｃ２２脂肪酸エステル；ソルビタンエステルおよびエトキシ化ソルビタンエステル；Ｃ８〜Ｃ２２脂肪酸グリコールエステル；エチレンオキシドとプロピレンオキシドのブロックコポリマーなど。界面活性剤起泡力増進剤またはヒドロトロープの非限定的な例には以下が含まれる：アルカノールアミド、例えば、アセトアミドＭＥＡ、モノエタノールアミド、ジエタノールアミド、コカミドＤＥＡ、イソプロパノールアミドなど；アミンオキシド、例えば、水素化タロウアミンオキシド；短鎖アルキルアリールスルホネート、例えば、トルエンスルホン酸ナトリウム；スルホスクシネート、例えば、ステアリン酸二ナトリウムスルホスクシネートなど。
【０１２０】
両性および両性イオン性界面活性剤は、強酸媒体中では正電荷を保有することによって、強塩基性媒体中では負電荷を保有することによって、酸または塩基のいずれかとして挙動する能力を有し、中間のｐＨでは、両性イオン種を形成する化合物である。主要なクラスの両性界面活性剤は、アシル／ジアルキルエチレンジアミンおよびその誘導体、例えば、ココアンフォカルボキシメチルヒドロキシ−プロピルスルフェート二ナトリウム、コカンホジプロピオナート二ナトリウム、ココアンフォ酢酸ナトリウム、ラウロアンフォＰＧ−アセテートフォスフェートナトリウム、タロウアンフォプロピオネートナトリウム、ウンデシルエノアンフォプロピオネートナトリウムなど；およびＮ−アルキルアミノ酸、例えば、アミノプロピルラウリルグルタミド、ジヒドロキシエチルダイズグリシネート、ラウルアミノプロピオン酸などである。
【０１２１】
本発明の組成物での使用のための一部の適切な両性イオン界面活性剤として、脂肪族第四級アンモニウム、ホスホニウム、およびスルホニウム化合物の誘導体として幅広く記述されているものが挙げられ、この脂肪族基は、直鎖または分枝であってよく、この脂肪族置換基のうちの１つは、約８〜約１８個の炭素原子を含有し、別の置換基は、アニオン性水溶性基、例えば、カルボキシ、スルホネート、スルフェート、ホスフェート、ホスホナートなどを含有する。両性イオンのクラスには以下が含まれる：アルキルアミノスルホネート、アルキルベタインおよびアルキルアミドベタイン、例えば、ステアラミドプロピルジメチルアミン、ジエチルアミノエチルステアラミド、ジメチルステアロアミン、ジメチルソイアミン、ソイアミン、ミリスチルアミン、トリデシルアミン、エチルステアリルアミン、Ｎ−タロウプロパンジアミン、エトキシ化（５モルエチレンオキシド）ステアリルアミン、ジヒドロキシエチルステアリルアミン、アラキジルベヘニルアミンなど。一部の適切なベタイン界面活性剤には、これらに限定されないが、アルキルベタイン、アルキルアミドプロピルベタイン、アルキルスルホベタイン、アルキルグリシネート、アルキルカルボキシグリシネート、アルキルアンフォプロピオネート、アルキルアミドプロピルヒドロキシスルテイン、アシルタウレート、およびアシルグルタメートが含まれ、このアルキルおよびアシル基は、８〜１８個の炭素原子を有する。両性界面活性剤の非限定的な例には、ココアミドプロピルベタイン、ココアンフォ酢酸ナトリウム、ココアミドプロピルヒドロキシスルテイン、およびココアンフォプロピオン酸ナトリウムが含まれ、これらは、皮膚および毛髪に対してマイルドタイプのクレンザーとして特に適している。
【０１２２】
例示的乳化剤には、これらに限定されないが、以下Ｃ１２〜Ｃ１８脂肪アルコール；アルコキシ化Ｃ１２〜Ｃ１８脂肪アルコール；Ｃ１２〜Ｃ１８脂肪酸；およびアルコキシ化Ｃ１２〜Ｃ１８脂肪酸が含まれ、このアルコキシレートはそれぞれ以下を有する：１０〜３０単位のエチレンオキシド、プロピレンオキシド、およびエチレンオキシド／プロピレンオキシドの組合せ；Ｃ８〜Ｃ２２アルキルモノ−およびオリゴグリコシド；エトキシ化ステロール；ポリグリセリンの部分エステル；２〜６個の炭素原子を有するポリオール、ならびに１２〜３０個の炭素原子を有する、飽和および不飽和脂肪酸のエステルおよび部分エステル；ポリグリセリンの部分エステル；およびオルガノシロキサン；ならびにこれらの組合せ。
【０１２３】
脂肪アルコール、酸およびアルコキシ化された脂肪アルコールおよび脂肪酸は、上記の皮膚軟化剤の記述において記述されている通りである。本発明の一態様では、脂肪アルコールおよび脂肪酸はそれぞれ、１０から３０単位のエチレンオキシドでエトキシ化されている。
【０１２４】
Ｃ８〜Ｃ２２アルキルモノ−およびオリゴグリコシド乳化剤は、グルコースまたはオリゴサッカライドと、８〜２２個の炭素原子を有する第一級脂肪アルコールと反応させることによって調製する。Ｐｌａｎｔａｃａｒｅ（登録商標）という商標で取得可能な製品は、平均オリゴマー化度が１〜２である、オリゴグルコシド残基上にグリコシド結合したＣ８〜Ｃ１６アルキル基を含む。例示的アルキルグルコシドおよびオリゴグリコシドは、以下から選択される：オクチルグルコシド、デシルグルコシド、ラウリルグルコシド、パルミチルグルコシド、イソステアリルグルコシド、ステアリルグルコシド、アラキジルグルコシドおよびベヘニルグルコシド、およびこれらの混合物。
【０１２５】
例示的エトキシ化ステロールとして、エトキシ化植物性油脂ステロール、例えばダイズステロールなどが含まれる。エトキシ化度は、一態様では約５を超え、別の態様では少なくとも約１０である。適切なエトキシ化ステロールは、ＰＥＧ−１０ダイズステロール、ＰＥＧ−１６ダイズステロールおよびＰＥＧ−２５ダイズステロールである。
【０１２６】
ポリグリセリンの部分エステルは、２〜１０のグリセロール単位を有し、１〜４つの飽和または不飽和の、直鎖または分枝の、場合によってヒドロキシル化したＣ８〜Ｃ３０脂肪酸残基でエステル化する。代表的なポリグリセリンの部分エステルには以下が含まれる：モノカプリル酸ジグリセリン、モノカプリン酸ジグリセリン、モノラウリン酸ジグリセリン、モノカプリル酸トリグリセリン、モノカプリン酸トリグリセリン、モノラウリン酸トリグリセリン、モノカプリル酸テトラグリセリン、モノカプリン酸テトラグリセリン、モノラウリン酸テトラグリセリン、モノカプリル酸ペンタグリセリン、モノカプリン酸ペンタグリセリン、モノラウリン酸ペンタグリセリン、モノカプリル酸ヘキサグリセリン、モノカプリン酸ヘキサグリセリン、モノラウリン酸ヘキサグリセリン、モノミリスチン酸ヘキサグリセリン、モノステアリン酸ヘキサグリセリン、モノカプリル酸デカグリセリン、モノカプリン酸デカグリセリン、モノラウリン酸デカグリセリン、モノミリスチン酸デカグリセリン、モノイソステアリン酸デカグリセリン、モノステアリン酸デカグリセリン、モノオレイン酸デカグリセリン、モノヒドロキシステアリン酸デカグリセリン、ジカプリル酸デカグリセリン、ジカプリン酸デカグリセリン、ジラウリン酸デカグリセリン、ジミリスチン酸デカグリセリン、ジイソステアリン酸デカグリセリン、ジステアリン酸デカグリセリン、ジオレイン酸デカグリセリン、ジヒドロキシステアリン酸デカグリセリン、トリカプリル酸デカグリセリン、トリカプリン酸デカグリセリン、トリラウリン酸デカグリセリン、トリミリスチン酸デカグリセリン、トリイソステアリン酸デカグリセリン、トリステアリン酸デカグリセリン、トリオレイン酸デカグリセリン、トリヒドロキシステアリン酸デカグリセリン、およびこれらの混合物。
【０１２７】
飽和Ｃ１２〜Ｃ３０脂肪アルコール乳化剤は、上に記載の皮膚軟化剤についての記述において記述されている。本発明の一態様では、脂肪アルコール乳化剤は、これらだけには限定されないが、セチルアルコール、ステアリルアルコール、アラキジルアルコール、ベヘニルアルコールおよびラノリンアルコールまたはこれらアルコールの混合物から選択され、不飽和の植物性油脂および動物脂肪酸の水素添加で取得可能である。
【０１２８】
２〜６個の炭素原子を有するポリオールおよび１２〜３０個の炭素原子を有する直鎖の飽和および不飽和脂肪酸のエステルおよび部分エステルに基づく乳化剤は、例えば、飽和および不飽和のＣ１２〜Ｃ３０脂肪酸とグリセロールもしくはエチレングリコールのモノエステルおよびジエステルであるか、または飽和および不飽和のＣ１２〜Ｃ３０脂肪酸とプロピレングリコールのモノエステルである。
【０１２９】
部分的にエステル化したポリグリセリン乳化剤は、２〜約１０のグリセロール単位を含み、１〜５つの飽和または不飽和の、直鎖または分枝の、場合によってヒドロキシル化したＣ８〜Ｃ３０脂肪酸残基でエステル化する。
【０１３０】
本発明の一態様では、乳化剤は、これらが含まれている、パーソナルケア、ホームケア、ヘルスケア、および施設用のケア組成物の総重量に基づき、約０．５重量％〜約１２重量％、別の態様では、約１重量％〜約１５重量％、さらなる態様では、約５重量％〜約１０重量％範囲の量で存在できる。
【０１３１】
適切な皮膚軟化剤には、これらに限定されないが、以下から選択される皮膚軟化剤が含まれる：シリコーン流体（例えば、以下に記述されている、揮発性シリコーン油および非揮発性シリコーン油）；鉱油；ワセリン；植物性油脂；魚油；脂肪アルコール；脂肪酸；脂肪酸および脂肪アルコールエステル；アルコキシ化脂肪アルコール；アルコキシ化脂肪酸エステル；ベンゾエートエステル；Ｇｕｅｒｂｅｔエステル；ポリエチレングリコールのアルキルエーテル誘導体、例えば、メトキシポリエチレングリコール（ＭＰＥＧ）；およびポリアルキレングリコール；ラノリンおよびラノリン誘導体など。
【０１３２】
鉱油およびワセリンは、化粧品、ＵＳＰおよびＮＦグレードのものを含み、Ｐｅｎｒｅｃｏから、Ｄｒａｋｅｏｌ（登録商標）およびＰｅｎｒｅｃｏ（登録商標）などの商標名で市販されている。鉱油には、ヘキサデカンおよびパラフィン油が含まれる。
【０１３３】
適切な脂肪アルコール皮膚軟化剤には、これらに限定されないが、８〜３０個の炭素原子を含有する脂肪アルコールが含まれる。例示的脂肪アルコールには以下が含まれる：カプリルアルコール、ペラルゴンアルコール、カプリックアルコール、ラウリルアルコール、ミリスチルアルコール、セチルアルコール、イソセチルアルコール、ステアリルアルコール、イソステアリルアルコール、セテアリルアルコール、オレイルアルコール、リシノレイルアルコール、アラキジルアルコール、イコセニルアルコール、ベヘニルアルコール、およびこれらの混合物。
【０１３４】
適切な脂肪酸皮膚軟化剤には、これらに限定されないが、１０〜３０個の炭素原子を含有する脂肪酸が含まれる。例示的脂肪酸は、以下から選択される：カプリン酸、ラウリン酸、ミリスチン酸、パルミチン酸、ステアリン酸、オレイン酸、リノール酸、アラキジン酸、ベヘン酸、およびこれらの混合物。
【０１３５】
脂肪酸および脂肪アルコールエステルの皮膚軟化剤の例には、これらに限定されないが、以下が含まれる：ラウリン酸ヘキシル、オレイン酸デシル、ステアリン酸イソプロピル、イソステアリン酸イソプロピル、ステアリン酸ブチル、ステアリン酸オクチル、ステアリン酸セチル、ミリスチン酸ミリスチル、ステアロイルステアリン酸オクチルドデシル、ヒドロキシステアリン酸オクチル、アジピン酸ジイソプロピル、ミリスチン酸イソプロピル、パルミチン酸イソプロピル、パルミチン酸エチルヘキシル、オレイン酸イソデシル、ネオペンタン酸イソデシル、セバシン酸ジイソプロピル、乳酸イソステアリル、乳酸ラウリル、マレイン酸ジエチルヘキシル、ＰＰＧ−１４ブチルエーテルおよびプロピオン酸ＰＰＧ−２ミリスチルエーテル、オクタン酸セテアリール、およびこれらの混合物。
【０１３６】
アルコキシ化脂肪アルコール皮膚軟化剤は、脂肪アルコールとアルキレンオキシド、一般的にエチレンオキシドもしくはプロピレンオキシドとの反応から形成されるエーテルである。適切なエトキシ化脂肪アルコールは、脂肪アルコールとポリエチレンオキシドの付加反応物である。本発明の一態様において、エトキシ化脂肪アルコールは、式Ｒ’−（ＯＣＨ２ＣＨ２）ｎ’−ＯＨ、（式中、Ｒ’は、親脂肪アルコールの脂肪族残基を表し、ｎは、エチレンオキシドの分子の数を表す）で表すことができる。本発明の別の態様では、Ｒ’は、８〜３０個の炭素原子を含有する脂肪アルコールに由来する。一態様では、ｎ’は、２〜５０、別の態様では３〜２５、さらなる態様では３〜１０の範囲の整数である。またさらなる態様では、Ｒ’は、上に記載の脂肪アルコール皮膚軟化剤に由来する。例示的エトキシ化脂肪アルコールは、これらに限定されないが、カプリルアルコールエトキシレート、ラウリルアルコールエトキシレート、ミリスチルアルコールエトキシレート、セチルアルコールエトキシレート、ステアリルアルコールエトキシレート、セテアリルアルコールエトキシレート  オレイルアルコールエトキシレート、およびベヘニルアルコールエトキシレートであり、前述のエトキシレートのそれぞれの中のエチレンオキシド単位の数は、一態様では、２以上、別の態様では、２〜約１５０の範囲とすることができる。前述の脂肪アルコールのプロポキシ化付加反応物および前述の脂肪アルコールの混合したエトキシ化／プロポキシ化付加反応物もまた本発明の範囲内であると想定されることを理解されたい。エトキシ化／プロポキシ化脂肪アルコールのエチレンオキシドおよびプロピレンオキシド単位は、ランダムまたはブロックの順序で配置することができる。
【０１３７】
エトキシ化アルコールのより具体的な例は、これらに限定されないが、以下である：ベヘネス５−３０（この５−３０は、エチレンオキシド繰返し単位の範囲を意味する）、セテアレス２−１００、セテス１−４５、セトレス２４−２５、コレス１０−２４、コセス３−１０、Ｃ９−１１パレス３−８、Ｃ１１−１５パレス５−４０、Ｃ１１−２１パレス３−１０、Ｃ１２−１３パレス３−１５、デセス４−６、ドドキシノール（Ｄｏｄｏｘｙｎｏｌ）５−１２、グリセレス７−２６、イソセテス１０−３０、イソデセス４−６、イソラウレス３−６、イソステアレス３−５０、ラネス５−７５、ラウレス１−４０、ノノキシノール１−１２０、ノニルノノキシノール５−１５０、オクトキシノール３−７０、オレス２−５０、ＰＥＧ４−３５０、ステアレス２−１００、およびトリデセス２−１０。
【０１３８】
プロポキシ化アルコールの具体例として、これらに限定されないが、以下である：ＰＰＧ−１０セチルエーテル、ＰＰＧ−２０セチルエーテル、ＰＰＧ−２８セチルエーテル、ＰＰＧ−３０セチルエーテル、ＰＰＧ−５０セチルエーテル、ＰＰＧ−２ラノリンアルコールエーテル、ＰＰＧ−５ラノリンアルコールエーテル、ＰＰＧ−１０ラノリンアルコールエーテル、ＰＰＧ−２０ラノリンアルコールエーテル、ＰＰＧ−３０ラノリンアルコールエーテル、ＰＰＧ−４ラウリルエーテル、ＰＰＧ−７ラウリルエーテル、ＰＰＧ−１０オレイルエーテル、ＰＰＧ−２０オレイルエーテル、ＰＰＧ−２３オレイルエーテル、ＰＰＧ−３０オレイルエーテル、ＰＰＧ−３７オレイルエーテル、ＰＰＧ−５０オレイルエーテル、ＰＰＧ−１１ステアリルエーテル、ＰＰＧ−１５ステアリルエーテル、ＰＰＧ−２ラノリンエーテル、ＰＰＧ−５ラノリンエーテル、ＰＰＧ−１０ラノリンエーテル、ＰＰＧ−２０ラノリンエーテル、ＰＰＧ−３０ラノリンエーテル、およびＰＰＧ−１ミリスチルエーテル。
【０１３９】
エトキシ化／プロポキシ化アルコールの具体例は、これらに限定されないが、以下である：ＰＰＧ−１ベヘネス−１５、ＰＰＧ−１２カプリレス−１８、ＰＰＧ−２−セテアレス−９、ＰＰＧ−４−セテアレス−１２、ＰＰＧ−１０−セテアレス−２０、ＰＰＧ−１−セテス−１、ＰＰＧ−１−セテス−５、ＰＰＧ−１−セテス−１０、ＰＰＧ−１−セテス−２０、ＰＰＧ−２−セテス−１、ＰＰＧ−２−セテス−５、ＰＰＧ−２−セテス−１０、ＰＰＧ−２−セテス−２０、ＰＰＧ−４−セテス−１、ＰＰＧ−４−セテス−５、ＰＰＧ−４−セテス−１０、ＰＰＧ−４−セテス−２０、ＰＰＧ−５−セテス−２０、ＰＰＧ−８−セテス−１、ＰＰＧ−８−セテス−２、ＰＰＧ−８−セテス−５、ＰＰＧ−８−セテス−１０、ＰＰＧ−８−セテス−２０、ＰＰＧ−２Ｃ１２−１３パレス−８、ＰＰＧ−２Ｃ１２−１５パレス−６、ＰＰＧ−４Ｃ１３−１５パレス−１５、ＰＰＧ−５Ｃ９−１５パレス−６、ＰＰＧ−６Ｃ９−１１パレス−５、ＰＰＧ−６Ｃ１２−１５パレス−１２、ＰＰＧ−６Ｃ１２−１８パレス−１１、ＰＰＧ−３Ｃ１２−１４Ｓｅｃ−パレス−７、ＰＰＧ−４Ｃ１２−１４Ｓｅｃ−パレス−５、ＰＰＧ−５Ｃ１２−１４Ｓｅｃ−パレス−７、ＰＰＧ−５Ｃ１２−１４Ｓｅｃ−パレス−９、ＰＰＧ−１−デセス−６、ＰＰＧ−２−デセス−３、ＰＰＧ−２−デセス−５、ＰＰＧ−２−デセス−７、ＰＰＧ−２−デセス−１０、ＰＰＧ−２−デセス−１２、ＰＰＧ−２−デセス−１５、ＰＰＧ−２−デセス−２０、ＰＰＧ−２−デセス−３０、ＰＰＧ−２−デセス−４０、ＰＰＧ−２−デセス−５０、ＰＰＧ−２−デセス−６０、ＰＰＧ−４−デセス−４、ＰＰＧ−４−デセス−６、ＰＰＧ−６−デセス−４、ＰＰＧ−６−デセス−９、ＰＰＧ−８−デセス−６、ＰＰＧ−１４−デセス−６、ＰＰＧ−６−デシルテトラデセス−１２、ＰＰＧ−６−デシルテトラデセス−２０、ＰＰＧ−６−デシルテトラデセス−３０、ＰＰＧ−１３−デシルテトラデセス−２４、ＰＰＧ−２０−デシルテトラデセス−１０、ＰＰＧ−２−イソデセス−４、ＰＰＧ−２−イソデセス−６、ＰＰＧ−２−イソデセス−８、ＰＰＧ−２−イソデセス−９、ＰＰＧ−２−イソデセス−１０、ＰＰＧ−２−イソデセス−１２、ＰＰＧ−２−イソデセス−１８、ＰＰＧ−２−イソデセス−２５、ＰＰＧ−４−イソデセス−１０、ＰＰＧ−１２−ラネス−５０、ＰＰＧ−２−ラウレス−５、ＰＰＧ−２−ラウレス−８、ＰＰＧ−２−ラウレス−１２、ＰＰＧ−３−ラウレス−８、ＰＰＧ−３−ラウレス−９、ＰＰＧ−３−ラウレス−１０、ＰＰＧ−３−ラウレス−１２、ＰＰＧ−４ラウレス−２、ＰＰＧ−４ラウレス−５、ＰＰＧ−４ラウレス−７、ＰＰＧ−４−ラウレス−１５、ＰＰＧ−５−ラウレス−５、ＰＰＧ−６−ラウレス−３、ＰＰＧ−２５−ラウレス−２５、ＰＰＧ−７ラウリルエーテル、ＰＰＧ−３−ミレス−３、ＰＰＧ−３−ミレス−１１、ＰＰＧ−２０−ＰＥＧ−２０水素添加ラノリン、ＰＰＧ−２−ＰＥＧ−１１水素添加ラウリルアルコールエーテル、ＰＰＧ−１２−ＰＥＧ−５０ラノリン、ＰＰＧ−１２−ＰＥＧ−６５ラノリン油、ＰＰＧ−４０−ＰＥＧ−６０ラノリン油、ＰＰＧ−１−ＰＥＧ−９ラウリルグリコールエーテル、ＰＰＧ−３−ＰＥＧ−６オレイルエーテル、ＰＰＧ−２３−ステアレス−３４、ＰＰＧ−３０ステアレス−４、ＰＰＧ−３４−ステアレス−３、ＰＰＧ−３８ステアレス−６、ＰＰＧ−１トリデセス−６、ＰＰＧ−４トリデセス−６、およびＰＰＧ−６トリデセス−８。
【０１４０】
アルコキシ化脂肪酸皮膚軟化剤は、脂肪酸がアルキレンオキシドまたは予め形成されたポリマーのエーテルと反応する際に形成される。結果として生じた生成物は、モノエステル、ジエステル、またはこれらの混合物であってよい。本発明の使用に対して適した、適切なエトキシ化脂肪酸エステル皮膚軟化剤は、脂肪酸にエチレンオキシドを添加した製品である。この生成物は、脂肪酸のポリエチレンオキシドエステルである。本発明の一態様では、エトキシ化脂肪酸エステルは、式Ｒ”−Ｃ（Ｏ）Ｏ（ＣＨ２ＣＨ２Ｏ）ｎ”−Ｈ（式中、Ｒ”は、脂肪酸の脂肪族残基を表し、ｎは、エチレンオキシドの分子の数を表す）で表すことができる。別の態様では、ｎ”は、２〜５０、別の態様では、３〜２５、さらなる態様では、３〜１０の範囲の整数である。本発明のさらなる別の態様では、Ｒ”は、８〜２４個の炭素原子を含有する脂肪酸に由来する。またさらなる態様では、Ｒ”は、上に記載の脂肪酸皮膚軟化剤に由来する。前述の脂肪酸のプロポキシ化されたおよびエトキシ化／プロポキシ化された製品もまた本発明の範囲内であると想定されることを理解されたい。例示的アルコキシ化脂肪酸エステルには、これらに限定されないが、カプリン酸エトキシレート、ラウリン酸エトキシレート、ミリスチン酸エトキシレート、ステアリン酸エトキシレート、オレイン酸エトキシレート、ココナッツ脂肪酸エトキシレート、およびポリエチレングリコール４００プロポキシ化モノラウレートが含まれ、前述のエトキシレートのそれぞれの中のエチレンオキシド単位の数は、一態様では、２以上、別の態様では、２〜約５０の範囲とすることができる。エトキシ化脂肪酸のより具体的な例は、ＰＥＧ−８ジステアレート（この８は、エチレンオキシド繰返し単位の数を意味する）、ＰＥＧ−８ベヘネート、ＰＥＧ−８カプレート、ＰＥＧ−８カプリレート、ＰＥＧ−８カプリレート／カプレート、ＰＥＧココエート（数の指定がないＰＥＧは、エチレンオキシド単位の数が２〜５０の範囲であることを意味する）、ＰＥＧ−１５ジココエート、ＰＥＧ−２ジイソノナノエート、ＰＥＧ−８ジイソステアレート、ＰＥＧ−ジラウレート、ＰＥＧ−ジオレアート  ＰＥＧ−ジステアレート、ＰＥＧ−ジタレート、ＰＥＧ−イソステアレート、ＰＥＧ−ホホバ酸、ＰＥＧ−ラウレート、ＰＥＧ−リノレネート、ＰＥＧ−ミリステート、ＰＥＧ−オレアート、ＰＥＧ−パルミテート、ＰＥＧ−リシンオレアート、ＰＥＧ−ステアレート、ＰＥＧ−タレートなどである。
【０１４１】
Ｇｕｅｒｂｅｔエステル皮膚軟化剤は、Ｇｕｅｒｂｅｔアルコールとカルボン酸のエステル化反応から形成される。Ｇｕｅｒｂｅｔエステル皮膚軟化剤は、Ｎｏｖｅｏｎ  Ｃｏｎｓｕｍｅｒ  Ｓｐｅｃｉａｌｔｉｅｓ  Ｄｉｖｉｓｉｏｎ  ｏｆ  Ｌｕｂｒｉｚｏｌ  Ａｄｖａｎｃｅｄ  Ｍａｔｅｒｉａｌｓ，Ｉｎｃ．から、Ｇ−２０、Ｇ−３６、Ｇ−３８、およびＧ−６６の製品記号表示で市販されている。
【０１４２】
ラノリンおよびラノリン誘導体は、以下から選択される：ラノリン、ラノリンワックス、ラノリン油、ラノリンアルコール、ラノリン脂肪酸、アルコキシ化ラノリン、イソプロピルラノレート、アセチル化ラノリンアルコール、およびこれらの組合せ。ラノリンおよびラノリン誘導体は、Ｎｏｖｅｏｎ  Ｃｏｎｓｕｍｅｒ  Ｓｐｅｃｉａｌｔｉｅｓ  Ｄｉｖｉｓｉｏｎ  ｏｆ  Ｌｕｂｒｉｚｏｌ  Ａｄｖａｎｃｅｄ  Ｍａｔｅｒｉａｌｓ，Ｉｎｃ．から、Ｌａｎｏｌｉｎ  ＬＰ  １０８  ＵＳＰ、Ｌａｎｏｌｉｎ  ＵＳＰ  ＡＡＡ、Ａｃｅｔｕｌａｎ（商標）、Ｃｅｒａｌａｎ（商標）、Ｌａｎｏｃｅｒｉｎ（商標）、Ｌａｎｏｇｅｌ（商標）（製品記号表示２１および４１）、Ｌａｎｏｇｅｎｅ（商標）、Ｍｏｄｕｌａｎ（商標）、Ｏｈｌａｎ（商標）、Ｓｏｌｕｌａｎ（商標）（製品記号表示１６、７５、Ｌ−５７５、９８、およびＣ−２４）、Ｖｉｌｖａｎｏｌｉｎ（商標）（製品記号表示Ｃ、ＣＡＢ、Ｌ−１０１、およびＰ）などの商標名で市販されている。
【０１４３】
皮膚軟化剤（複数可）は、全体のパーソナルケア組成物の重量の、一態様では、約０．５重量％から約３０重量％、別の態様では、０．１重量％〜２５重量％、さらなる態様では、５重量％〜２０重量％の範囲の量で利用することができる。皮膚軟化剤は、一般的にパーソナルケア組成物に採用されるが、ホームケア、ヘルスケア、および施設用のケア組成物において、これらの皮膚軟化剤が所望の物理的特質（例えば、湿潤特性）をもたらすのであれば、パーソナルケア組成物に対して記載のものと同じ重量比で、これらをこのような組成物に採用することができる。
【０１４４】
適切な湿潤剤には以下が含まれる：アラントイン、ピロリドンカルボン酸およびその塩、ヒアルロン酸およびその塩、ソルビン酸およびその塩、ウレア、リジン、アルギニン、シスチン、グアニジン、および他のアミノ酸、ポリヒドロキシアルコール、例えば、グリセリン、プロピレングリコール、ヘキシレングリコール、ヘキサントリオール、エトキシジグリコール、ジメチコンコポリオール、ならびにソルビトール、およびそのエステル、ポリエチレングリコール、グリコール酸およびグリコール酸塩（例えばアンモニウムおよび第四級アルキルアンモニウム）、乳酸および乳酸塩（例えばアンモニウムおよび第四級アルキルアンモニウム）、糖およびデンプン、糖およびデンプンの誘導体（例えばアルコキシ化グルコース）、パンテノール例えば、ｄｌ−パンテノール、ラクトアミドモノエタノールアミン、アセトアミドモノエタノールアミンなど、ならびにこれらの混合物。一実施形態では、湿潤剤には、以下が含まれる：Ｃ３〜Ｃ６ジオールおよびトリオール、例えば、グリセリン、プロピレングリコール、ヘキシレングリコール、ヘキサントリオールなど、およびこれらの混合物。このような適切な湿潤剤は、通常、本発明のパーソナルケア組成物の総重量の、約１重量％〜約１０重量％、好ましくは、約２重量％〜約８重量％、さらに好ましくは、約３重量％〜約５重量％を構成する。
【０１４５】
ｐＨ調整剤または中和剤を、本発明のカチオン性修飾および両親媒性修飾したカシアポリマーを含有する配合物に添加することができる。よって、ｐＨ調整剤は、最終組成物における所望のｐＨ値を得るのに必要な任意の量で利用することができる。アルカリ性ｐＨ調整剤の非限定的な例には以下が含まれる：アルカリ金属水酸化物、例えば、水酸化ナトリウム、および水酸化カリウム；水酸化アンモニウム；有機塩基、例えば、トリエタノールアミン、ジイソプロピルアミン、ドデシルアミン、ジイソプロパノールアミン、アミノメチルプロパノール、コカミン、オレアミン、モルホリン、トリアミルアミン、トリエチルアミン、トロメタミン（２−アミノ−２−ヒドロキシメチル）−１，３−プロパンジオール）、およびテトラキス（ヒドロキシプロピル）エチレンジアミン；および無機酸のアルカリ金属塩、例えば、ホウ酸ナトリウム（ホウ砂）、リン酸ナトリウム、ピロリン酸ナトリウムなど、およびこれらの混合物。酸性ｐＨ調整剤は、アミノ酸を含む有機酸、および無機の鉱酸であってよい。酸性ｐＨ調整剤の非限定的な例には以下が含まれる：酢酸、クエン酸、フマル酸、グルタミン酸、グリコール酸、塩酸、乳酸、硝酸、リン酸、硫酸水素ナトリウム、硫酸、酒石酸など、およびこれらの混合物。
【０１４６】
適切な緩衝剤には、これらに限定されないが、以下が含まれる：アルカリまたはアルカリ土類の炭酸塩、リン酸塩、重炭酸塩、クエン酸塩、ホウ酸塩、酢酸塩、酸無水物、コハク酸塩など、例えばリン酸ナトリウム、クエン酸ナトリウム、ホウ酸ナトリウム、酢酸ナトリウム、炭酸水素ナトリウムおよび炭酸ナトリウム。
【０１４７】
ｐＨ調整剤および／または緩衝剤は、組成物において所望のｐＨ値を得るおよび／または維持するのに必要な任意の量で利用する。一態様では、本発明の組成物は、少なくとも１つのアルカリ化剤（アルカリ性ｐＨ調整剤）または酸性化剤（酸性ｐＨ調整剤）を、組成物の総重量の０．０１〜３０重量％の量で含有することができる。
【０１４８】
本発明のカチオン性修飾および両親媒性修飾したカシアポリマーは、毛髪および皮膚上への着色剤の沈着を促進するために、増粘剤、膜形成剤、および沈着助剤として使用することができる。毛髪用の着色剤は、一時的、半永久的または永久的毛髪染料、または毛髪をゆっくりと着色する色彩回復剤であってよい。一時的および半永久的毛髪染料は通常、リンス、ゲル、スプレー、シャンプー、スティックなどであり、毛髪色彩回復剤は、通常ヘアドレッシングまたはエマルジョンの形態である。永久的毛髪染料および長持ちする半永久的な毛髪染料は、一般的に二剤式製品であり、一方の部分は、酸化的染料中間体および染料発色剤を含有し、他方の部分は、安定化させた酸化剤、普通過酸化水素を約ｐＨ３〜４で含有し、使用直前に一緒に混合する。このような二剤式毛髪染料製品は、染料混合物が調製された場合に増粘させるため、界面活性剤成分の組合せ、普通は、非イオン性界面活性剤またはアニオン性界面活性剤を用いて配合されることは公知である。前述の文献に加えて、毛染めの化学反応および組成物は、本明細書に参照により組み込まれている、Ｂｒｏｗｎら、ＳＣＣ  Ｍｏｎｏｇｒａｐｈ、「Ｐｅｒｍａｎｅｎｔ  Ｈａｉｒ  Ｄｙｅｓ」、Ｓｏｃｉｅｔｙ  ｏｆ  Ｃｏｓｍｅｔｉｃ  Ｃｈｅｍｉｓｔｓ  （１９９６年）において一般的に考察されている。本発明のポリマーは、酸性の安定化した酸化部分に対する増粘剤、または酸性部分との混合の際に非酸化部分を増粘させるための増粘剤のいずれかとして、このような毛染めシステムの二剤のうちの一方または両方に組み込むことができる。
【０１４９】
上記に論じた成分に加えて、抗にきび製品、顔およびボディー用ブリーチ、および防腐作用製品に対して一般的に使用されている他の成分には以下が含まれる：酸化剤、例えば過酸化水素、過酸化ベンゾイル、および水溶性無機過硫酸塩化合物、例えば過硫酸アンモニウム、過硫酸カリウム、および過硫酸ナトリウムなど。
【０１５０】
本発明のカチオン性修飾および両親媒性修飾したカシアポリマーは、リンスオフヘアコンディショナー製品およびシャンプーイン製品、例えば、いわゆる「ツーインワン」コンビネーションのクレンジング／コンディショニングシャンプーにおいて一般的に使用されているシリコーンコンディショニング剤に対して驚くほど有用な安定剤および／または沈着助剤である。コンディショニング剤は、好ましくは不溶性のシリコーンコンディショニング剤である。通常、コンディショニング剤は、シャンプー組成物と混合することによって、分散した、不溶性粒子（液体粒子とも呼ばれる）の分離した、不連続な相を形成することになる。シリコーンヘアコンディショニング剤の相は、シリコーン流体であってよく、他の成分、例えばシリコーン樹脂などを含むことによって、シリコーン流体沈着効率を改善し、または特に高屈折率のインデックス（例えば約１．４６より上）シリコーンコンディショニング剤が使用された場合、毛髪の光沢を強化することもできる。任意選択のシリコーン毛髪コンディショニング剤の相は、揮発性シリコーン、不揮発性シリコーン、またはこれらの組合せを含み得る。シリコーン液体粒子は、通常任意選択の懸濁剤を用いて懸濁される。シリコーンコンディショニング剤粒子は、揮発性シリコーン、非揮発性シリコーン、またはこれらの組合せを含むことができる。非揮発性シリコーンコンディショニング剤が好ましい。揮発性シリコーンが存在するとすれば、これらは通常、市販の形態の非揮発性シリコーン物質成分、例えばシリコーンガムおよび樹脂用の溶媒または担体としてのこれらの使用に付随するものである。本発明での使用のためのシリコーン毛髪コンディショニング剤は、２５℃で測定した場合、一態様では、約２０〜約２，０００，０００センチストーク（１センチストークは、１×１０−６ｍ２／ｓと等しい）、別の態様では、約１，０００〜約１，８００，０００センチストーク、さらなる態様では、約５０，０００〜約１，５００，０００、またさらなる態様では、約１００，０００〜約１，５００，０００センチストークの粘度を有する。
【０１５１】
シリコーンコンディショニング剤の濃度は、これが含まれている組成物の約０．０１重量％〜約１０重量％の範囲とすることができる。別の態様では、シリコーンコンディショニング剤の量は、すべての組成物の総重量に基づき、約０．１重量％〜約８重量％、さらなる別の態様では、約０．１重量％〜約５重量％、さらなる態様では、約０．２重量％〜約３重量％の範囲である。
【０１５２】
一実施形態では、分散したシリコーンコンディショニング剤粒子は、約５μｍ〜約１２５μｍの範囲の容積平均粒径を有することができる。毛髪への小粒子の適用には、容積平均粒径は、一態様では、約０．０１μｍ〜約４μｍ、別の態様では、約０．０１μｍ〜約２μｍ、さらなる別の態様では、約０．０１μｍ〜約０．５μｍの範囲である。毛髪への大粒子の適用には、容積平均粒径は、通常、一態様では、約５μｍ〜約１２５μｍ、別の態様では、約１０μｍ〜約９０μｍ、さらなる別の態様では、約１５μｍ〜約７０μｍ、さらなる態様では、約２０μｍ〜約５０μｍの範囲である。
【０１５３】
シリコーン流体、ガム、および樹脂、ならびにシリコーンの製造について考察しているセクションを含むシリコーンの参考資料が、本明細書に参照により組み込まれている、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、第１５巻、第２版、２０４〜３０８頁、Ｊｏｈｎ  Ｗｉｌｅｙ  ＆  Ｓｏｎｓ，Ｉｎｃ．（１９８９年）において見出される。シリコーン流体は、一般的にアルキルシロキサンポリマーとして記述されている。適切なシリコーンコンディショニング剤、およびシリコーンのための任意選択の懸濁剤の非限定的な例は、記述が本明細書に参照により組み込まれている、米国再発行特許第３４，５８４号、米国特許第５，１０４，６４６号、および米国特許第５，１０６，６０９号に記述されている。
【０１５４】
シリコーン流体は、シリコーン油を含み、これらは、２５℃で測定した場合、１，０００，０００ｃＳｔ未満、通常約５ｃＳｔ〜約１，０００，０００ｃＳｔの範囲の粘度を有する流動性を有するシリコーン物質である。適切なシリコーン油は、ポリアルキルシロキサン、ポリアリールシロキサン、ポリアルキルアリールシロキサン、ポリエーテルシロキサンコポリマーおよびこれらの混合物を含む。ヘアコンディショニング特性を有する、他の不溶性、非揮発性のシリコーン流体を使用することもできる。
【０１５５】
シリコーン油は、以下の式：
【０１５６】
【化１０】
2014523456.tif 000011
（式中、Ｒ２０は、アルキル、アルケニル、およびアリールから独立して選択される脂肪族であり、Ｒ２０は、置換または非置換であってよく、ｗは、１〜約８，０００の整数である）に準ずるポリアルキルシロキサン、ポリアリールシロキサン、またはポリアルキルアリールシロキサンを含む。本発明のパーソナルクレンジング組成物における使用に適した非置換のＲ２０基には、これらに限定されないが、以下が含まれる：アルコキシ、アリールオキシ、アルカリール、アリールアルキル、アリールアルケニル、アルカミノ、およびエーテル置換、ヒドロキシル置換、およびハロゲン置換脂肪族およびアリール基。適切なＲ２０基にはまた、カチオン性アミンおよび第四級アンモニウム基も含まれる。
【０１５７】
本発明の一態様では、例示的Ｒ２０アルキルおよびアルケニル置換基は、Ｃ１〜Ｃ５アルキルおよびアルケニル、別の態様ではＣ１〜Ｃ４アルキルおよびアルケニル、さらなる態様ではＣ１〜Ｃ２アルキルおよびアルケニルの範囲である。他のアルキル含有基、アルケニル含有基またはアルキニル含有基（例えばアルコキシ、アルカリール、およびアルカミノなど）の脂肪族部分は、直鎖または分枝鎖であってよく、一態様では、Ｃ１〜Ｃ５、別の態様では、Ｃ１〜Ｃ４、さらなる態様では、Ｃ１〜Ｃ２の範囲であってよい。上で論じたように、このＲ２０置換基はまた、アミノ官能基（例えばアルカミノ基）を含有することもでき、このアミノ官能基は、第一級、第二級または第三級アミンまたは第四級アンモニウムであってよい。これらには、モノ−、ジ−およびトリ−アルキルアミノおよびアルコキシアミノ基が含まれ、この脂肪族部分の鎖長は上述の通りである。
【０１５８】
例示的シロキサンは、ポリジメチルシロキサン、ポリジエチルシロキサン、およびポリメチルフェニルシロキサンである。これらのシロキサンは、例えば、Ｇｅｎｅｒａｌ  Ｅｌｅｃｔｒｉｃ  Ｃｏｍｐａｎｙから、Ｖｉｓｃａｓｉｌ  ＲおよびＳＦ  ９６シリーズとして、Ｄｏｗ  Ｃｏｒｎｉｎｇ  から売り出されているＤｏｗ  Ｃｏｒｎｉｎｇ  ２００シリーズとして入手可能である。使用することができる例示的ポリアルキルアリールシロキサン流体には、例えば、ポリメチルフェニルシロキサンが含まれる。これらシロキサンは、例えば、Ｇｅｎｅｒａｌ  Ｅｌｅｃｔｒｉｃ  Ｃｏｍｐａｎｙから、ＳＦ  １０７５メチルフェニル流体として、またはＤｏｗ  Ｃｏｒｎｉｎｇから５５６  Ｃｏｓｍｅｔｉｃ  Ｇｒａｄｅ  Ｆｌｕｉｄとして入手可能である。
【０１５９】
カチオン性シリコーン流体はまた、本発明のカチオン性修飾および両親媒性修飾したカシアポリマーと共に使用するのに適している。カチオン性シリコーン流体は、一般式：
（Ｒ２１）ｅＧ３−ｆ−Ｓｉ−（ＯＳｉＧ２）ｇ−（ＯＳｉＧｆ（Ｒ１）（２−ｆ）ｈ−Ｏ−ＳｉＧ３−ｅ（Ｒ２１）ｆ
（式中、Ｇは、水素、フェニル、ヒドロキシ、またはＣ１〜Ｃ８アルキル（好ましくは、メチル）であり、ｅは０または１〜３の整数であり、ｆは０または１であり、ｇは、０〜１，９９９の数であり、ｈは、１〜２，０００、好ましくは１〜１０の整数であり、ｇとｈの合計は、本発明の一態様では１〜２，０００、別の態様では５０〜５００の数であり、Ｒ２１は、一般式ＣｑＨ２ｑＬ（式中、ｑは、２〜８の値を有する整数であり、Ｌは、以下の基：
ａ）−Ｎ（Ｒ２２）ＣＨ２ＣＨ２Ｎ（Ｒ２２）２
ｂ）−Ｎ（Ｒ２２）
ｃ）−Ｎ（Ｒ２２）３ＣＡ−
ｄ）−Ｎ（Ｒ２２）ＣＨ２ＣＨ２Ｎ（Ｒ２２）２Ｈ２ＣＡ−
（式中、Ｒ２２は、独立して、水素、Ｃ１〜Ｃ２０アルキル、フェニル、ベンジルから選択され、Ａ−は、塩化物イオン、臭化物イオン、フッ化物イオン、およびヨウ化物イオンから選択されるハロゲン化物イオンである）から選択される）に準ずる一価の基である）で表すことができるが、これに限定されない。
【０１６０】
すぐ上で定義された前の式に相当する例示的カチオン性シリコーンは、以下の式の「トリメチルシリルアモジメチコン」：
（ＣＨ３）３−Ｓｉ−［Ｏ−Ｓｉ（ＣＨ３）２）］ｇ−［Ｏ−（ＣＨ３）Ｓｉ（（ＣＨ２）３−ＮＨ−（ＣＨ２）２−ＮＨ２）］ｈ−Ｏ−Ｓｉ（ＣＨ３）３
として公知のポリマーである。
【０１６１】
本発明のカチオン性修飾および両親媒性修飾したカシアポリマーと組み合わせて有用な別のカチオン性シリコーンは、以下の式：
【０１６２】
【化１１】
2014523456.tif 000012
（式中、Ｒ２２は、Ｃ１〜Ｃ１８アルキルおよびＣ１〜Ｃ１８アルケニル基から選択される基を表し、Ｒ２３は、独立して、Ｃ１〜Ｃ１８アルキレン基またはＣ１〜Ｃ１８アルキレンオキシ基から選択される基を表し、Ｑは、ハライドイオンであり、ｒは、一態様では２〜２０、別の態様では２〜８の平均統計値を意味し、ｓは、一態様では２０〜２００、別の態様では２０〜５０の平均統計値を意味する）で表すことができる。一態様では、Ｒ２２はメチルである。別の態様では、Ｑはクロリドである。
【０１６３】
任意選択の他のシリコーン流体は、不溶性シリコーンガムである。これらのガムは、２５℃での粘度が１，０００，０００センチストークより大きいか、または１，０００，０００センチストークに等しいポリシロキサン物質である。シリコーンガムは、すべて本明細書中に参考として組み込まれている、米国特許第４，１５２，４１６号；Ｎｏｌｌ  ａｎｄ  Ｗａｌｔｅｒ、Ｃｈｅｍｉｓｔｒｙ  ａｎｄ  Ｔｅｃｈｎｏｌｏｇｙ  ｏｆ  Ｓｉｌｉｃｏｎｅｓ、Ｎｅｗ  Ｙｏｒｋ：Ａｃａｄｅｍｉｃ  Ｐｒｅｓｓ  １９６８年；およびＧｅｎｅｒａｌ  Ｅｌｅｃｔｒｉｃ  Ｓｉｌｉｃｏｎｅ  Ｒｕｂｂｅｒ  Ｐｒｏｄｕｃｔ  Ｄａｔａ  Ｓｈｅｅｔｓ  ＳＥ  ３０、ＳＥ  ３３、ＳＥ  ５４およびＳＥ  ７６において記述されている。シリコーンガムは通常、質量分子量が約２００，０００ダルトンを超える、一般的に約２００，０００〜約１，０００，０００ダルトンの間であり、これらの具体例には以下が含まれる：ポリジメチルシロキサン、ポリジメチルシロキサン／メチルビニルシロキサンコポリマー、ポリジメチルシロキサン／ジフェニルシロキサン／メチルビニルシロキサン）コポリマー、およびこれらの混合物。
【０１６４】
別のカテゴリーの不揮発性、不溶性シリコーン流体コンディショニング剤は、一態様では少なくとも約１．４６、別の態様では少なくとも約１．４８、さらなる態様では少なくとも約１．５２、またさらなる態様では少なくとも約１．５５の屈折率を有する高屈折率ポリシロキサンである。ポリシロキサン流体の屈折率は、一般的に約１．７０未満、通常約１．６０未満である。この文脈で、ポリシロキサン「流体」には、油ならびにガムが含まれる。
【０１６５】
高屈折率ポリシロキサン流体には、上述のポリアルキルシロキサン、ポリアリールシロキサン、およびポリアルキルアリールシロキサンに対して記載された一般式で表されるもの、ならびに以下の式：
【０１６６】
【化１２】
2014523456.tif 000013
（式中、置換基Ｒ２０は、上で定義された通りであり、繰返し単位の数ｋは、一態様では約３〜約７、別の態様では３〜５の範囲である）で表される環状ポリシロキサン（シクロメチコン）が含まれる。高屈折率ポリシロキサン流体は、屈折率を、上述の所望のレベルに増加させるのに十分な量のアリール含有Ｒ２０置換基を含有することができる。さらに、Ｒ２０およびｋは、物質が非揮発性となるように選択されなければならない。アリール含有置換基には、環式脂肪族およびヘテロ環式の５および６員アリール環を含有するものおよび縮合した５または６員環を含有するものが含まれる。アリール環は、置換でも非置換でもよい。置換基は、脂肪族置換基を含み、アルコキシ置換基、アシル置換基、ケトン、ハロゲン（例えば、ＣｌおよびＢｒ）、アミンなども含むことができる。例示的アリール含有基には、以下が含まれる：置換および非置換のアレーン、例えば、フェニル、およびフェニル誘導体、例えば、Ｃ１〜Ｃ５アルキルまたはアルケニル置換基を有するフェニル、例えば、アリルフェニル、メチルフェニルおよびエチルフェニル、ビニルフェニル、例えばスチレニルおよびフェニルアルキンなど（例えばフェニルＣ２〜Ｃ４アルキン）。ヘテロ環式アリール基は、フラン、イミダゾール、ピロール、ピリジンなどに由来する置換基を含む。縮合アリール環置換基には、例えば、ナフタレン、クマリン、およびプリンが含まれる。
【０１６７】
高屈折率ポリシロキサン流体のアリール含有置換基の置換度は、ポリシロキサン流体の重量に基づき、一態様では、少なくとも約１５重量％、別の態様では、少なくとも約２０重量％、さらなる態様では、少なくとも約２５重量％、またさらなる態様では、少なくとも約３５重量％、さらなる態様では、少なくとも約５０重量％となる。通常、アリール置換度は、約９０重量％未満となり、さらに通常、約８５重量％未満となり、一般的に、ポリシロキサン流体の約５５重量％〜約８０重量％の範囲とすることができる。
【０１６８】
別の態様では、高屈折率ポリシロキサン流体は、フェニルまたは置換フェニル誘導体の組合せを有する。この置換基は、Ｃ１〜Ｃ４アルキル（例えば、メチル）、ヒドロキシ、およびＣ１〜Ｃ４アルキルアミノ（例えば，−Ｒ２４ＮＨＲ２５ＮＨ２（式中、各Ｒ２４およびＲ２５基は、独立して、Ｃ１〜Ｃ３アルキル、アルケニル、および／またはアルコキシである））から選択することができる。
【０１６９】
本発明の組成物に高屈折率シリコーンが使用される場合、これらは、溶液中で、例えばシリコーン樹脂または界面活性剤などの拡散剤と共に場合によって使用することによって、拡散を強化するのに十分な量で表面張力を減少させ、これによって、このような組成物で処理される毛髪の光沢（乾燥後）を強化することができる。本発明の組成物での使用に適したシリコーン流体は、すべて本明細書中に参考として組み込まれている、米国特許第２，８２６，５５１号、米国特許第３，９６４，５００号、米国特許第４，３６４，８３７号、英国特許第８４９，４３３号、およびＳｉｌｉｃｏｎ  Ｃｏｍｐｏｕｎｄｓ、Ｐｅｔｒａｒｃｈ  Ｓｙｓｔｅｍｓ，Ｉｎｃ．（１９８４年）において開示されている。高屈折率ポリシロキサンは、Ｄｏｗ  Ｃｏｒｎｉｎｇ  Ｃｏｒｐｏｒａｔｉｏｎ（Ｍｉｄｌａｎｄ、Ｍｉｃｈ．）Ｈｕｌｓ  Ａｍｅｒｉｃａ（Ｐｉｓｃａｔａｗａｙ、Ｎ．Ｊ．）、およびＧｅｎｅｒａｌ  Ｅｌｅｃｔｒｉｃ  Ｓｉｌｉｃｏｎｅｓ（Ｗａｔｅｒｆｏｒｄ、Ｎ．Ｙ．）から入手可能である。
【０１７０】
シリコーン樹脂は、本発明のカチオン性修飾および両親媒性修飾したカシアポリマーと組み合わせた使用に適したシリコーンコンディショニング剤の中に含むことができる。これらの樹脂は、架橋されたポリシロキサンである。架橋は、シリコーン樹脂の製造中に、三官能性および四官能性のシランと、単官能性または二官能性の（または両方の）シランの組み込みを介して導入される。
【０１７１】
当業者にはよく理解されているように、シリコーン樹脂が生じるために必要となる架橋度は、シリコーン樹脂中に組み込まれた特定のシラン単位によって変動することになる。一般的に、これらが乾燥して堅い、または硬質な膜となるように、十分なレベルの三官能性および四官能性のシロキサンモノマー単位（それ故、十分なレベルの架橋）を有するシリコーン物質は、シリコーン樹脂とみなされる。酸素原子とケイ素原子の比は、ある特定のシリコーン物質における架橋レベルの指標である。１個のケイ素原子につき、少なくとも約１．１個の酸素原子を有するシリコーン物質は、一般的に、本明細書中のシリコーン樹脂となる。一態様では、酸素：ケイ素原子の比は、少なくとも約１．２：１．０である。シリコーン樹脂の製造に使用されるシランには、モノメチル−、ジメチル−、トリメチル−、モノフェニル−、ジフェニル−、メチルフェニル−、モノビニル−、およびメチルビニル−クロロシラン、および四塩化シラン（ｔｅｒａｃｈｌｏｒｏｓｉｌａｎｅ）が含まれ、メチル−置換シランが最も一般的に利用されている。シリコーン樹脂は、Ｇｅｎｅｒａｌ  Ｅｌｅｃｔｒｉｃにより、ＧＥ  ＳＳ４２３０およびＳＳ４２６７として提供されている。
【０１７２】
シリコーン物質およびシリコーン樹脂は、具体的には、当分野の技術者には「ＭＤＴＱ」命名法として公知の簡単な命名システムにより特定される。このシステムでは、シリコーンは、シリコーンを構成する様々なシロキサンモノマー単位の存在に従い記述される。簡単に説明すると、記号Ｍは、単官能性の単位（ＣＨ３）３ＳｉＯ０．５を意味し、Ｄは、二官能性の単位（ＣＨ３）２ＳｉＯを意味し、Ｔは、三官能性の単位（ＣＨ３）ＳｉＯ１．５を意味し、Ｑは、四官能性（クアドラ−またはテトラ−ファンクショナル）の単位ＳｉＯ２を意味する。単位記号のプライム記号（例えばＭ’、Ｄ’、Ｔ’、およびＱ’）は、メチル以外の置換基を意味し、各出現ごとに具体的に定義されなければならない。典型的な交互の置換基には、例えば、ビニル、フェニル、アミン、ヒドロキシルなどの基が含まれる。様々な単位のモル比は、これが、シリコーン中の各タイプの単位の総数（またはその平均）を示している記号に対する付き文字という形であるか、または分子量と組み合わせて具体的に示された比であるかに関わらず、ＭＤＴＱシステム下ではシリコーン物質の記述を完了する。シリコーン樹脂中の、Ｔ、Ｑ、Ｔ’および／またはＱ’と、Ｄ、Ｄ’、Ｍおよび／またはＭ’のより高い相対分子量は、より高いレベルの架橋の指標である。しかしすでに論じたように、全体の架橋レベルは、酸素とケイ素の比により指示することもできる。
【０１７３】
本発明の組成物における使用のための例示的シリコーン樹脂には、これらに限定されないが、以下が含まれる：ＭＱ、ＭＴ、ＭＴＱ、ＭＤＴおよびＭＤＴＱ樹脂。一態様では、メチルは、シリコーン樹脂置換基である。別の態様では、シリコーン樹脂は、ＭＱ樹脂から選択され、このＭ：Ｑ比は、約０．５：１．０〜約１．５：１．０であり、シリコーン樹脂の平均分子量は、約１０００〜約１０，０００ダルトンである。
【０１７４】
屈折率が１．４６未満の非揮発性シリコーン流体と共に採用される場合、非揮発性シリコーン流体とシリコーン樹脂構成成分の重量比は、一態様では、約４：１〜約４００：１、別の態様では、約９：１〜約２００：１、さらなる態様では、特にシリコーン流体構成成分が、上述の通り、ポリジメチルシロキサン流体、またはポリジメチルシロキサン流体とポリジメチルシロキサンガムの混合物の場合、約１９：１〜約１００：１の範囲である。シリコーン樹脂が、シリコーン流体と、この組成物中の同じ相の一部分を形成する、すなわちコンディショニング活性である限り、組成物中のシリコーンコンディショニング剤のレベルの決定において、流体と樹脂の合計が含まれるべきである。
【０１７５】
上述の揮発性シリコーンには、環状および直鎖のポリジメチルシロキサンなどが含まれる。環状揮発性シリコーン（シクロメチコン）は通常、約３〜約７個のケイ素原子を、酸素原子と交互に、環状の環構造、例えば、非揮発性環状シリコーンに対して上述したものの中に含有する。しかし、式の中で各Ｒ２０置換基および繰返し単位ｋは、物質が非揮発性であるように選択しなければならない。通常、Ｒ２０は、２つのアルキル基（例えば、メチル基）で置換されている。直鎖の揮発性シリコーンは、上述のようなシリコーン流体であり、約２５ｍＰａ・ｓ以下の粘度を有する。「揮発性」は、シリコーンが、測定可能な気体圧、または２０℃で少なくとも２ｍｍ  Ｈｇの気体圧を有することを意味する。非揮発性シリコーンは、２０℃で、２ｍｍ  Ｈｇ未満の気体圧を有する。環状および直鎖の揮発性シリコーンの記述は、それぞれ本明細書に参照により組み込まれている、Ｔｏｄｄ  ａｎｄ  Ｂｙｅｒｓ、「Ｖｏｌａｔｉｌｅ  Ｓｉｌｉｃｏｎｅ  Ｆｌｕｉｄｓ  ｆｏｒ  Ｃｏｓｍｅｔｉｃｓ」、Ｃｏｓｍｅｔｉｃｓ  ａｎｄ  Ｔｏｉｌｅｔｒｉｅｓ、第９１巻（１号）、２７〜３２頁（１９７６年）、およびＫａｓｐｒｚａｋ、「Ｖｏｌａｔｉｌｅ  Ｓｉｌｉｃｏｎｅｓ」、Ｓｏａｐ／Ｃｏｓｍｅｔｉｃｓ／Ｃｈｅｍｉｃａｌ  Ｓｐｅｃｉａｌｉｔｉｅｓ、４０〜４３頁（１９８６年１２月）において見出される。
【０１７６】
例示的揮発性シクロメチコンは、Ｄ４シクロメチコン（オクタメチルシクロテトラシロキサン）、Ｄ５シクロメチコン（デカメチルシクロペンタシロキサン）、Ｄ６シクロメチコン、およびこれらのブレンド（例えば、Ｄ４／Ｄ５およびＤ５／Ｄ６）である。揮発性シクロメチコンおよびシクロメチコンブレンドは、Ｇ．Ｅ．Ｓｉｌｉｃｏｎｅｓから、ＳＦ１１７３、ＳＦ１２０２、ＳＦ１２５６、およびＳＦ１２５８として、Ｄｏｗ  Ｃｏｒｎｉｎｇ  Ｃｏｒｐｏｒａｔｉｏｎから、Ｄｏｗ  Ｃｏｒｎｉｎｇ（登録商標）２４４、２４５、２４６、３４５、および１４０１  Ｆｌｕｉｄとして市販されている。揮発性シクロメチコンと揮発性直鎖ジメチコンのブレンドもまた想定される。
【０１７７】
例示的揮発性直鎖のジメチコンには、以下が含まれる：ヘキサメチルジシロキサン、オクタメチルトリシロキサン、デカメチルテトラシロキサン、ドデカメチルペンタシロキサンおよびこれらのブレンド。揮発性直鎖のジメチコンおよびジメチコンブレンドは、Ｄｏｗ  Ｃｏｒｎｉｎｇ  Ｃｏｒｐｏｒａｔｉｏｎから、Ｄｏｗ  Ｃｏｒｎｉｎｇ  ２００（登録商標）Ｆｌｕｉｄ（例えば、製品記号表示、０．６５  ＣＳＴ、１  ＣＳＴ、１．５  ＣＳＴ、および２  ＣＳＴ）として、およびＤｏｗ  Ｃｏｒｎｉｎｇ（登録商標）２−１１８４  Ｆｌｕｉｄとして市販されている。
【０１７８】
乳化したシリコーンもまた、本発明のカチオン性修飾および両親媒性修飾したカシアポリマーとの組合せに適している。通常、シリコーンエマルジョンは、組成物中で、一態様では３０μｍ未満、別の態様では２０μｍ未満、さらなる態様では１０μｍ未満の平均シリコーン粒径を有する。本発明の一実施形態では、組成物中の乳化したシリコーンの平均シリコーン粒径は、２μｍ未満であり、それは理想的には、０．０１〜１μｍの範囲である。平均シリコーン粒径＜０．１５マイクロメーターを有するシリコーンエマルジョンは、一般的にマイクロエマルジョンと呼ばれる。粒径は、２６００Ｄ  Ｐａｒｔｉｃｌｅ  Ｓｉｚｅｒ、Ｍａｌｖｅｒｎ  Ｉｎｓｔｒｕｍｅｎｔｓ製を使用して、レーザー光散乱技法を用いて測定することができる。本発明における使用に適したシリコーンエマルジョンはまた、予め乳化した形態でも市販されている。適切な予め形成されたエマルジョンの例には、エマルジョンＤＣ２−１７６６、ＤＣ２−１７８４、およびマイクロエマルジョンＤＣ２−１８６５およびＤＣ２−１８７０が含まれ、これらはすべてＤｏｗ  Ｃｏｒｎｉｎｇから入手可能である。これらはすべて、ジメチコノールのエマルジョン／マイクロエマルジョンである。架橋したシリコーンガムもまた、予め乳化した形態で入手可能であり、これは配合を簡略化するために有利である。例示的物質は、Ｄｏｗ  ＣｏｒｎｉｎｇからＤＣＸ２−１７８７として入手可能であり、これは架橋したジメチコノールガムのエマルジョンである。別の例示的物質は、Ｄｏｗ  ＣｏｒｎｉｎｇからＤＣＸ２−１３９１として入手可能であり、これは、架橋したジメチコノールガムのマイクロエマルジョンである。アミノ官能基シリコーンの予め形成されたエマルジョンはまた、シリコーン油の製造元、例えば、Ｄｏｗ  ＣｏｒｎｉｎｇおよびＧｅｎｅｒａｌ  Ｅｌｅｃｔｒｉｃなどから入手可能である。特に適切なのは、非イオン性および／またはカチオン性界面活性剤を有するアミノ官能基シリコーン油のエマルジョンである。具体例には、以下が含まれる：ＤＣ９２９  Ｃａｔｉｏｎｉｃ  Ｅｍｕｌｓｉｏｎ、ＤＣ９３９  Ｃａｔｉｏｎｉｃ  Ｅｍｕｌｓｉｏｎ、ＤＣ９４９  Ｃａｔｉｏｎｉｃ  ｅｍｕｌｓｉｏｎ、および非イオン性エマルジョン、ＤＣ２−７２２４、ＤＣ２−８４６７、ＤＣ２−８１７７およびＤＣ２−８１５４（すべてＤｏｗ  Ｃｏｒｎｉｎｇから入手可能）。上記タイプのシリコーンのうちのいずれかの混合物もまた使用することができる。適切なアミノ官能基シリコーンの具体例は、アミノシリコーン油、ＤＣ２−８２２０、ＤＣ２−８１６６、ＤＣ２−８４６６、およびＤＣ２−８９５０−１１４（すべてＤｏｗ  Ｃｏｒｎｉｎｇから入手可能）、およびＧＥ１１４９−７５、（例えば、Ｇｅｎｅｒａｌ  Ｅｌｅｃｔｒｉｃ  Ｓｉｌｉｃｏｎｅｓ）である。本発明において有用な第四級シリコーンポリマーの例は、物質Ｋ３４７４であり、これは、Ｇｏｌｄｓｃｈｍｉｄｔ、Ｇｅｒｍａｎｙから入手可能である。
【０１７９】
他の適切なシリコーン油には、ジメチコンコポリオールが含まれ、これは、アルキレンオキシド単位で修飾したジメチルシロキサン（ジメチコン）の直鎖または分枝のコポリマーである。アルキレンオキシド単位は、ランダムまたはブロックコポリマーとして配置することができる。一般的に有用なクラスのジメチコンポリオールは、ポリジメチルシロキサンの末端および／またはペンダントブロック、およびポリアルキレンオキシドのブロック、例えば、ポリエチレンオキシド、ポリプロピレンオキシド、またはこれら両方のブロックを有するブロックコポリマーである。ジメチコンコポリオールは、ジメチコンポリマー中に存在するポリアルキレンオキシドの量に応じて水溶性または水不溶性であってよく、特徴においてアニオン性、カチオン性、または非イオン性であってよい。
【０１８０】
水溶性または水分散性シリコーンを、本発明のカチオン性修飾および両親媒性修飾したカシアポリマーと組み合わせて使用することもできる。このような水溶性シリコーンは、適切なアニオン性官能性、カチオン性の官能性、および／または非イオン性官能性を含有することによって、シリコーンが水溶性または水分散性を得ることができる。一実施形態では、水溶性のシリコーンは、ポリシロキサン主鎖を含有し、このポリシロキサン主鎖に少なくとも１つのアニオン性部分がグラフトしている。アニオン性部分は、ポリシロキサン骨格の末端の終点にグラフトすることができ、またはペンダント側鎖基としてグラフトすることができ、または両方も可能である。アニオン性基とは、少なくとも１つのアニオン性基、または塩基による中和に続いて、アニオン性基へとイオン化することができる少なくとも１つの基を含有する任意の炭化水素部分を意味する。すでに論じたように、シリコーン鎖上にグラフトしたアニオン特性のある炭化水素基の量は、塩基によるイオン化可能な基の中和の後で、対応するシリコーン誘導体が水溶性または水分散性となるように選択する。アニオン性シリコーン誘導体は、既存の商品から選択することができ、または当技術分野で公知の任意の手段により合成することができる。非イオン性シリコーンは、アルキレンオキシド末端および／またはペンダント側鎖単位（例えば、ジメチコンコポリオール）を含有する。
【０１８１】
アニオン性基を有するシリコーンは、（ｉ）シラン性（ｓｉｌｉｎｉｃ）水素を含有するポリシロキサンと、（ｉｉ）アニオン性官能基も含有するオレフィン不飽和を含有する化合物との間の反応により合成することができる。このような反応の例は、Ｓｉ−Ｈ基（複数可）を含有するポリ（ジメチルシロキサン）と、オレフィン、ＣＨ２＝ＣＨＲ２６（式中、Ｒ２６は、アニオン性基を含有する部分を表す）との間のヒドロシリル化反応である。オレフィンは、モノマー、オリゴマーまたはポリマーであってよい。ペンダント反応性のチオ（−ＳＨ）基（複数可）を含有するポリシロキサン化合物もまた、不飽和アニオン性基含有化合物をポリ（シロキサン）骨格にグラフトさせるのに適している。
【０１８２】
本発明の一態様によると、エチレンの不飽和を含有するアニオン性モノマーは、単独でまたは組み合わせて使用され、直鎖または分枝の、不飽和カルボン酸から選択される。例示的不飽和カルボン酸は、アクリル酸、メタクリル酸、マレイン酸、無水マレイン酸、イタコン酸、フマル酸およびクロトン酸である。モノマーを、塩基で部分的にまたは完全に、場合によって中和することによって、アルカリ、アルカリ土類金属、およびアンモニウム塩を形成することができる。適切な塩基には、これらに限定されないが、以下が含まれる：アルカリ水酸化物、アルカリ土類水酸化物（例えば、ナトリウム、カリウム、リチウム、カルシウム）および水酸化アンモニウム。同様に、前述のモノマーから形成されたオリゴマーおよびポリマーのグラフトセグメントは、塩基（水酸化ナトリウム、アンモニア水など）で後中和することによって、塩を形成できることに注意されたい。本発明での使用に適したシリコーン誘導体の例は、特許出願番号ＥＰ−Ａ−０５８２，１５２およびＷＯ９３／２３００９に記述されている。例示的クラスのシリコーンポリマーは、以下の構造：
【０１８３】
【化１３】
2014523456.tif 000014
（式中、Ｇ１は、水素、Ｃ１〜Ｃ１０アルキルおよびフェニル基を表し、Ｇ２は、Ｃ１〜Ｃ１０アルキレンを表し、Ｇ３は、エチレン不飽和を含有する少なくとも１つのアニオン性モノマーの重合により得たアニオン性ポリマーの残基を表し、ｊは、０または１であり、ｔは、１〜５０の範囲の整数であり、ｕは、１０〜３５０の整数である）で表される繰返し単位を含有するポリシロキサンである。本発明の一実施形態では、Ｇ１はメチルであり、ｊは１であり、Ｇ２はプロピレン基であり、Ｇ３は、カルボン酸基を含有する少なくとも１つの不飽和のモノマーの重合により得たポリマーの基（例えば、アクリル酸、メタクリル酸、イタコン酸、フマル酸、クロトン酸、マレイン酸、またはアコニット酸など）を表す。
【０１８４】
最終のポリマー中のカルボキシレート基含有量は、ポリマー２００ｇにつきカルボキシレート１モル〜ポリマー５０００ｇにつきカルボキシレート１モルの範囲である。シリコーンポリマーの数分子量は、好ましくは１０，０００〜１，０００，０００、なおより好ましくは１０，０００〜１００，０００の範囲である。カルボン酸基を含有する例示的不飽和モノマーは、アクリル酸およびメタクリル酸である。カルボン酸基を含有するモノマーに加えて、アクリル酸およびメタクリル酸のＣ１〜Ｃ２０アルキルエステルは、ポリマーの骨格に共重合できる。例示的エステルは、これらに限定されないが、アクリル酸およびメタクリル酸のエチルエステルおよびブチルエステルが含まれる。市販のシリコーン−アクリレートポリマーは、３Ｍ  Ｃｏｍｐａｎｙから、商標Ｓｉｌｉｃｏｎｅｓ「Ｐｌｕｓ」Ｐｏｌｙｍｅｒ  ９８５７Ｃ（ＶＳ８０  Ｄｒｙ）で売り出されている。これらのポリマーはポリジメチルシロキサン（ＰＤＭＳ）骨格を含有し、この上にポリ（メタ）アクリル酸およびポリ（メタ）アクリレートのブチルエステルのランダムな繰返し単位が（チオプロピレン基を介して）グラフトされている。これらの製品は、チオプロピル官能基化したポリジメチルシロキサンと、（メタ）アクリル酸およびブチル（メタ）アクリレートを含むモノマーの混合物との間のラジカル共重合により慣例的に得ることができる。
【０１８５】
別の実施形態では、本発明の実施において有用な水溶性のシリコーンコポリオールは、以下の式で表されるシリコーンコポリオールカルボキシレートで表すことができる：
【０１８６】
【化１４】
2014523456.tif 000015
（式中、Ｒ２７およびＲ２８は、独立して、Ｃ１〜Ｃ３０アルキル、Ｃ６〜Ｃ１４アリール、Ｃ７〜Ｃ１５アラルキル、Ｃ１〜Ｃ１５アルカリール、または１〜４０個の炭素のアルケニル基、ヒドロキシル、−Ｒ３１−Ｇ’または−（ＣＨ２）３Ｏ（ＥＯ）ａ（ＰＯ）ｂ（ＥＯ）ｃ−Ｇ’から選択されるが、ただし、Ｒ２７およびＲ２８は両方ともメチルでないことを条件とし、Ｒ２９は、Ｃ１〜Ｃ５アルキルまたはフェニルから選択され、この式において、ａ、ｂ、およびｃは、独立して、０〜１００の範囲の整数であり、ＥＯは、エチレンオキシド、−（ＣＨ２ＣＨ２Ｏ）−であり、ＰＯは、プロピレンオキシド、−（ＣＨ２ＣＨ（ＣＨ３）Ｏ）−であり、この式において、ｏは、１〜２００の範囲の整数であり、ｐは、０〜２００の範囲の整数であり、ｑは、０〜１０００の範囲の整数であり、Ｒ３０は、水素、Ｃ１〜Ｃ３０アルキル、アリール、Ｃ７〜Ｃ１５アラルキル、Ｃ７〜Ｃ１５アルカリール、または１〜４０個の炭素のアルケニル基、または−Ｃ（Ｏ）−Ｘ（式中、Ｘは、Ｃ１〜Ｃ３０アルキル、Ｃ６〜Ｃ１４アリール、Ｃ７〜Ｃ１５アラルキル、Ｃ１〜Ｃ１５アルカリール、または１〜４０個の炭素のアルケニル基、またはこれらの混合物である）であり、Ｒ３１は、６〜１８個の炭素のアリーレン基に介在されていてもよい１〜４０個の炭素原子のアルキレン基または２〜８個の炭素の不飽和を含有するアルキレン基から選択される二価の基であり、Ｇ’は、独立して、以下から選択される
【０１８７】
【化１５】
2014523456.tif 000016
（式中、Ｒ３２は、１〜４０個の炭素のアルキレン、２〜５個の炭素原子を含有する不飽和の基、または６〜１２個の炭素原子のアリーレン基から選択される二価の基であり、Ｍは、Ｎａ、Ｋ、Ｌｉ、ＮＨ４、またはＣ１〜Ｃ１０アルキル、Ｃ６〜Ｃ１４アリール（例えば、フェニル、ナフチル）、Ｃ２〜Ｃ１０アルケニル、Ｃ１〜Ｃ１０ヒドロキシアルキル、Ｃ７〜Ｃ２４アリールアルキルまたはＣ７〜Ｃ２４アルカリール基を含有するアミンから選択されるカチオンである）。代表的なＲ３２基は、−ＣＨ２ＣＨ２−、−ＣＨ＝ＣＨ−、−ＣＨ＝ＣＨＣＨ２−、およびフェニレンである。
【０１８８】
別の実施形態では、本発明の実施において有用な水溶性シリコーンは、以下の式で表される、アニオン性シリコーンコポリオールで表すことができる：
【０１８９】
【化１６】
2014523456.tif 000017
（式中、Ｒ３３は、メチルまたはヒドロキシルであり、Ｒ３４は、Ｃ１〜Ｃ８アルキルまたはフェニルから選択され、Ｒ３５は、基−（ＣＨ２）３Ｏ（ＥＯ）ｘ（ＰＯ）ｙ（ＥＯ）ｚ−ＳＯ３−Ｍ＋（式中、Ｍは、Ｎａ、Ｋ、Ｌｉ、またはＮＨ４から選択されるカチオンであり、この式の中で、ｘ、ｙおよびｚは、独立して、０〜１００の範囲の整数である）を表し、Ｒ３６は、基−（ＣＨ２）３Ｏ（ＥＯ）ｘ（ＰＯ）ｙ（ＥＯ）ｚ−Ｈを表し、この式において、ａおよびｃは、独立して０〜５０の範囲の整数であり、ｂは、１〜５０の範囲の整数であり、ＥＯは、エチレンオキシド、例えば、−（ＣＨ２ＣＨ２Ｏ）−であり、ＰＯは、プロピレンオキシド、例えば、−（ＣＨ２ＣＨ（ＣＨ３）Ｏ）−である）。
【０１９０】
さらなる別の実施形態では、本発明の実施において有用な水溶性シリコーンは、以下の式で表されるアニオン性シリコーンコポリオールで表すことができる：
【０１９１】
【化１７】
2014523456.tif 000018
（式中、Ｒ３７およびＲ３８は、独立して、−ＣＨ３であるか、または
−（ＣＨ２）３Ｏ（ＥＯ）ａ（ＰＯ）ｂ（ＥＯ）ｃ−Ｃ（Ｏ）−Ｒ４０−Ｃ（Ｏ）ＯＨで表される基であり、ただし、Ｒ３７およびＲ３８が両方とも同時に−ＣＨ３ではないことを条件とし、Ｒ４０は、二価の基−ＣＨ２ＣＨ２、−ＣＨ＝ＣＨ−、およびフェニレンから選択され、Ｒ３９は、Ｃ１〜Ｃ５アルキルまたはフェニルから選択され、この式において、ａ、ｂおよびｃは、独立して０〜２０の範囲の整数であり、ＥＯは、エチレンオキシド残基、例えば、−（ＣＨ２ＣＨ２Ｏ）−などであり、ＰＯは、プロピレンオキシド残基、例えば，−（ＣＨ２ＣＨ（ＣＨ３）Ｏ）−などであり、この式において、ｏは１〜２００の範囲の整数であり、ｑは０〜５００の範囲の整数である）。
【０１９２】
本発明で有用な他の水溶性シリコーンは、四級化シリコーンコポリオールポリマーである。これらのポリマーには、ペンダント第四級の窒素官能基が存在し、これらのポリマーは以下の式で表される：
【０１９３】
【化１８】
2014523456.tif 000019
（式中、Ｒ４１は、第四級置換基−Ｎ＋Ｒ３Ｒ４Ｒ５Ｘ−（式中、Ｒ３およびＲ４およびＲ５は、独立して、水素、ならびに直鎖および分枝のＣ１〜Ｃ２４アルキルから選択され、Ｘ−は、窒素原子上のカチオン性電荷を均衡させるのに適したアニオンを表す）を表し、Ｒ４２は、Ｃ１〜Ｃ１０アルキルおよびフェニルから選択され、Ｒ４３は、−（ＣＨ２）３Ｏ（ＥＯ）ｘ（ＰＯ）ｙ（ＥＯ）ｚ−Ｈ（ここで、ＥＯは、エチレンオキシド残基、例えば、−（ＣＨ２ＣＨ２Ｏ）−であり、ＰＯは、プロピレンオキシド残基、例えば、−（ＣＨ２ＣＨ（ＣＨ３）Ｏ）−である）、この式の中で、ａは、０〜２００の整数であり、ｂは０〜２００の整数であり、ｃは１〜２００の整数であり、この式の中で、ｘ、ｙおよびｚは整数であり、独立して０〜２０から選択される）。一態様では、アニオンＸ−は、クロリド、ブロミド、ヨージド、スルフェート、メチルスルフェート、スルホネート、ニトレート、ホスフェート、およびアセテートから選択されるアニオンを表す。
【０１９４】
他の適した水溶性シリコーンは、以下の式で表される、アミン置換シリコーンコポリオールである：
【０１９５】
【化１９】
2014523456.tif 000020
（式中、Ｒ４４は、−ＮＨ（ＣＨ２）ｎＮＨ２または−（ＣＨ２）ｎＮＨ２、（この式の中で、ｎは、２〜６の整数である）から選択され、ｘは、０〜２０のｎ整数であり、ＥＯは、エチレンオキシド残基、例えば、−（ＣＨ２ＣＨ２Ｏ）−であり、ＰＯは、プロピレンオキシド残基、例えば、−（ＣＨ２ＣＨ（ＣＨ３）Ｏ）−であり、この式の中でａは０〜２００の整数であり、ｂは、０〜２００の整数であり、ｃは１〜２００の整数であり、この式の中で、ｘ、ｙおよびｚは、整数であり、独立して０〜２０から選択される）。
【０１９６】
さらなる他の水溶性シリコーンは、以下の式で表される非イオン性シリコーンコポリオール（ジメチコンコポリオール）から選択することができる：
【０１９７】
【化２０】
2014523456.tif 000021
（式中、Ｒ４５は、独立して、Ｃ１〜Ｃ３０アルキル、Ｃ６〜Ｃ１４アリール、およびＣ２〜Ｃ２０アルケニルから選択される基を表し、Ｒ４６は、Ｃ１〜Ｃ３０アルキル、Ｃ６〜Ｃ１４アリール、およびＣ２〜Ｃ２０アルケニルから選択される基を表し、ＥＯは、エチレンオキシド残基、例えば、−（ＣＨ２ＣＨ２Ｏ）−であり、ＰＯは、プロピレンオキシド残基、例えば、−（ＣＨ２ＣＨ（ＣＨ３）Ｏ）−であり、この式の中で、ａ、ｂ、およびｃは、独立して、０〜１００であり、この式の中でｘは、０〜２００であり、ｙは、１〜２００である）。
【０１９８】
別の実施形態では、水溶性シリコーンは、以下の式で表される非イオン性シリコーンコポリオールから選択することができる：
【０１９９】
【化２１】
2014523456.tif 000022
（式中、Ｒ４８およびＲ４９は、独立して、Ｃ１〜Ｃ３０アルキル、Ｃ６〜Ｃ１４アリール、およびＣ２〜Ｃ２０アルケニルから選択される基を表し、ＥＯは、エチレンオキシド残基、例えば、−（ＣＨ２ＣＨ２Ｏ）−であり、ＰＯは、プロピレンオキシド残基、例えば、−（ＣＨ２ＣＨ（ＣＨ３）Ｏ）−であり、この式の中で、ａ、ｂ、およびｃは、独立して、０〜１００であり、この式の中で、ｎは０〜２００である）。
【０２００】
上に記載のコポリオール実施形態において、ＥＯおよびＰＯ残基は、ランダム、非ランダム、またはブロックの配列で配置することができる。
【０２０１】
ジメチコンコポリオールは、その開示が本明細書に参照により組み込まれている、米国特許第５，１３６，０６３号および第５，１８０，８４３号において開示されている。さらに、ジメチコンコポリオールは、Ｇｅｎｅｒａｌ  Ｅｌｅｃｔｒｉｃ  Ｃｏｍｐａｎｙ（ＧＥ−ＯＳｉ）から、商品名Ｓｉｌｓｏｆｔ（登録商標）およびＳｉｌｗｅｔ（登録商標）で市販されている。特定の製品記号表示には、これらに限定されないが、以下が含まれる：Ｓｉｌｓｏｆｔ  ３０５、４３０、４７５、８１０、８９５、Ｓｉｌｗｅｔ  Ｌ  ７６０４（ＧＥ−ＯＳｉ）；Ｄｏｗ  Ｃｏｒｎｉｎｇ（登録商標）５１０３および５３２９、Ｄｏｗ  Ｃｏｒｎｉｎｇ  Ｃｏｒｐｏｒａｔｉｏｎ製；およびＡｂｉｌ（登録商標）ジメチコンコポリオール、例えば、ＷＥ  ０９、ＷＳ  ０８、ＥＭ  ９０およびＥＭ  ９７、Ｅｖｏｎｉｋ  Ｇｏｌｄｓｃｈｍｉｄｔ  Ｃｏｒｐｏｒａｔｉｏｎ製、およびＳｉｌｓｅｎｓｅ（商標）ジメチコンコポリオール、例えば、Ｓｉｌｓｅｎｓｅ  Ｃｏｐｏｌｙｏｌ−１およびＳｉｌｓｅｎｓｅ  Ｃｏｐｏｌｙｏｌ−７、Ｌｕｂｒｉｚｏｌ  Ａｄｖａｎｃｅｄ  Ｍａｔｅｒｉａｌｓ，Ｉｎｃ．から入手可能。
【０２０２】
本発明のコンディショナーおよびシャンプー組成物のコンディショニング構成成分はまた、組成物に対して、一態様では約０．０５重量％〜約３重量％、別の態様では、約０．０８重量％〜約１．５重量％、さらなる態様では、約０．１重量％〜約１重量％の少なくとも１つのコンディショニング油を、コンディショニング剤として、単独でまたは他のコンディショニング剤、例えば、シリコーン（上述したもの）および以下に記述されている他のコンディショニング剤などと組み合わせて含むことができる。
【０２０３】
本発明の組成物においてコンディショニング剤として使用するのに適したコンディショニング油には、これらに限定されないが、少なくとも約１０個炭素原子を有する炭化水素油、例えば、環状炭化水素、直鎖脂肪族炭化水素（飽和または不飽和）、および分枝鎖脂肪族炭化水素（飽和または不飽和）（ポリマーおよびこれらの混合物を含む）が含まれる。直鎖炭化水素油は通常約１２〜１９個の炭素原子を含有する。炭化水素ポリマーを含めた分枝鎖炭化水素油は通常、１９個より多くの炭素原子を含有することになる。
【０２０４】
これら炭化水素油の特定の非限定的な例には、以下が含まれる：パラフィン油、鉱油、飽和および不飽和のドデカン、飽和および不飽和のトリデカン、飽和および不飽和のテトラデカン、飽和および不飽和のペンタデカン、飽和および不飽和のヘキサデカン、ポリブテン、ポリデセン、およびこれらの混合物。これらの化合物の分枝鎖異性体、ならびに鎖長のより長い炭化水素も使用でき、これらの例には、以下が含まれる：高度に分岐した、飽和または不飽和の、アルカン、例えば、パーメチル置換異性体、例えば、ヘキサデカンおよびエイコサンのパーメチル−置換異性体、例えば２，２，４，４，６，６，８，８−ジメチル−１０−メチルウンデカンおよび２，２，４，４，６，６−ジメチル−８−メチルノナン（Ｐｅｒｍｅｔｈｙｌ  Ｃｏｒｐｏｒａｔｉｏｎから入手可能）。炭化水素ポリマー、例えば、ポリブテンおよびポリデセンなど。好ましい炭化水素ポリマーは、ポリブテン、例えば、イソブチレンおよびブテンのコポリマーなどである。このタイプの市販の物質は、ＢＰ  Ｃｈｅｍｉｃａｌ  ＣｏｍｐａｎｙからのＬ−１４ポリブテンである。
【０２０５】
天然油のコンディショナーもまた本発明の実施において有用であり、これらに限定されないが、以下が含まれる：ピーナッツ、ゴマ、アボカド、ココナッツ、ココアバター、アーモンド、ベニバナ、コーン、綿実、ゴマ種子、クルミ油、ヒマシ、オリーブ、ホホバ、パーム、パーム核、ダイズ、小麦胚芽、亜麻仁、ヒマワリ種子；ユーカリ、ラベンダー、ベチベル、リトセア、キュベバ、レモン、ビャクダン、ローズマリー、カモミール、セイボリー、ナツメグ、シナモン、ヒソップ、キャラウェー、オレンジ、ゼラニウム、カデ、およびベルガモット油、魚油、グリセロールトリカプロカプリレート；およびこれらの混合物。天然油はまた、皮膚軟化剤としても利用できる。
【０２０６】
天然および合成ワックスコンディショニング剤を本発明の組成物中に採用することができ、これらに限定されないが、以下が含まれる：カルナバワックス、キャンデリラワックス、αワックス、パラフィンワックス、オゾケライトワックス、オリーブワックス、ライスワックス、水素化ホホバワックス、ミツロウ、変性ミツロウ、例えば、セラベリナワックス、海洋性ワックス、ポリオレフィンワックス、例えば、ポリエチレンワックス、およびこれらの混合物。
【０２０７】
液体ポリオレフィンコンディショニング油を本発明の組成物中に使用することができる。液体ポリオレフィンコンディショニング剤は、通常水素化したポリ−α−オレフィンである。本明細書中での使用のためのポリオレフィンは、Ｃ４〜約Ｃ１４のオレフィンモノマーの重合によって調製できる。本明細書中のポリオレフィン液体の調製において使用するためのオレフィンモノマーの非限定的な例には、以下が含まれる：エチレン、プロピレン、１−ブテン、１−ペンテン、１−ヘキセン、１−オクテン、１−デセン、１−ドデセン、１−テトラデセン、分枝鎖異性体、例えば、４−メチル−１−ペンテン、およびこれらの混合物。本発明の一態様では、水素化α−オレフィンモノマーには、これらに限定されないが、以下が含まれる：１−ヘキセンから１−ヘキサデセン、１−オクテンから１−テトラデセン、およびこれらの混合物。
【０２０８】
フッ化またはパーフルオロ化した油もまた本発明の範囲内に想定される。フッ化油には、欧州特許第０４８６１３５号に記述されているパーフルオロポリエーテルおよびＷＯ９３／１１１０３に記述されているフルオロ炭化水素化合物が含まれる。フッ素添加油はまた以下であってよい：フルオロカーボン、例えばフルオラミン、例えば、パーフルオロトリブチルアミン、フッ素添加された炭化水素、例えば、パーフルオロデカヒドロナフタレン、フルオロエステル、およびフルオロエーテルなど。
【０２０９】
本発明の組成物におけるコンディショニング剤としての使用に適した他の有機コンディショナーには、これらに限定されないが、少なくとも１０個の炭素原子を有する脂肪酸エステルが含まれる。これら脂肪酸エステルには、脂肪酸またはアルコール由来のエステル（例えば、モノエステル、多価アルコールエステル、およびジカルボン酸エステルおよびトリカルボン酸エステル）が含まれる。本発明の脂肪酸エステルは、これに共有結合した他の相容性の官能基、例えばアミドおよびアルコキシ部分（例えば、エトキシまたはエーテル結合など）などを含むこと、または有することができる。
【０２１０】
例示的脂肪酸エステルには、これらに限定されないが、以下が含まれる：イソステアリン酸イソプロピル、ラウリン酸ヘキシル、ラウリン酸イソヘキシル、パルミチン酸イソヘキシル、パルミチン酸イソプロピル、オレイン酸デシル、オレイン酸イソデシル、ステアリン酸ヘキサデシル、ステアリン酸デシル、イソステアリン酸イソプロピル、アジピン酸ジヘキシルデシル、乳酸ラウリル、乳酸ミリスチル、乳酸セチル、ステアリン酸オレイル、オレイン酸オレイル、ミリスチン酸オレイル、酢酸ラウリル、プロピオン酸セチル、およびアジピン酸オレイル。
【０２１１】
本発明の組成物の使用に適した他の脂肪酸エステルは、一般式Ｒ５０Ｃ（Ｏ）ＯＲ５１（式中、Ｒ５０およびＲ５１は、アルキルまたはアルケニル基であり、Ｒ５０およびＲ５１中の炭素原子の合計は、一態様では少なくとも１０であり、本発明の別の態様では少なくとも２２である）のモノカルボン酸エステルである。
【０２１２】
本発明の組成物の使用に適したさらに他の脂肪酸エステルは、カルボン酸のジアルキルおよびトリアルキルエステルならびにジアルケニルおよびトリアルケニルエステル、例えば、Ｃ４〜Ｃ８ジカルボン酸のエステル（例えば、コハク酸、グルタル酸、アジピン酸のＣ１〜Ｃ２２エステル、好ましくは、コハク酸、グルタル酸、アジピン酸のＣ１〜Ｃ６エステル）である。カルボン酸のジアルキルおよびトリアルキルエステルならびにジアルケニルおよびトリアルケニルエステルの具体的な非限定的例には、以下が含まれる：ステアロイルステアリン酸イソセチル（ｉｓｏｃｅｔｙｌ  ｓｔｅａｒｙｏｌ  ｓｔｅａｒａｔｅ）、アジピン酸ジイソプロピル、およびクエン酸トリステアリル。
【０２１３】
本発明の組成物の使用に適した他の脂肪酸エステルは、多価アルコールエステルとして公知のものである。このような多価アルコールエステルには、以下が含まれる：アルキレングリコールエステル、例えば、エチレングリコールモノ脂肪酸エステルおよびジ脂肪酸エステル、ジエチレングリコールモノ脂肪酸エステルおよびジ脂肪酸エステル、ポリエチレングリコールモノ脂肪酸エステルおよびジ脂肪酸エステル、プロピレングリコールモノ脂肪酸エステルおよびジ脂肪酸エステル、ポリプロピレングリコールモノオレアート、ポリプロピレングリコール２０００モノステアレート、エトキシ化プロピレングリコールモノステアレート、グリセリルモノ脂肪酸エステルおよびジ脂肪酸エステル、ポリグリセリンポリ脂肪酸エステル、エトキシ化モノステアリン酸グリセリル、１，３−ブチレングリコールモノステアレート、１，３−ブチレングリコールジステアレート、ポリオキシエチレンポリオール脂肪酸エステル、ソルビタン脂肪酸エステル、およびポリオキシエチレンソルビタン脂肪酸エステル。
【０２１４】
本発明のパーソナルクレンジング組成物における使用に適した合成脂肪酸エステルの具体的な非限定的例として、以下が含まれる：Ｐ−４３（トリメチロールプロパンのＣ８〜Ｃ１０トリエステル）、ＭＣＰ−６８４（３，３ジエタノール−１，５ペンタジオールのテトラエステル）、ＭＣＰ１２１（アジピン酸のＣ８〜Ｃ１０ジエステル）、これらすべては、ＥｘｘｏｎＭｏｂｉｌ  Ｃｈｅｍｉｃａｌ  Ｃｏｍｐａｎｙから入手可能。
【０２１５】
本発明のポリマーと組み合わせて有用な他の油性物質のコンディショニング剤には、例えば以下が含まれる：アセチル化ラノリンアルコール；ラノリンアルコール濃縮物；ラノリン脂肪酸のエステル、例えば、ラノリン脂肪酸のイソプロピルエステル；ポリオール脂肪酸；エトキシ化アルコール、例えば、エトキシレートおよびヒマシ油；ステロール；ステロールエステル；ステロールエトキシレート；ならびにこのような物質。
【０２１６】
カチオン性ポリマーもまた、単独でまたは本明細書中に記述されている他のコンディショニング剤と組み合わせて、コンディショニング剤として有用である。適切なカチオン性ポリマーは、合成由来の、または修飾された天然ポリマー、例えばカチオン性修飾多糖などであってよい。適切なコンディショニング剤として本明細書中に列挙したカチオン性ポリマーのいくつかは、他の用途での使用に対して上述したものと重複するが、当業者であれば、多くのポリマーが、複数の機能を発揮することを理解されよう。
【０２１７】
代表的なカチオン性ポリマーコンディショナーには、これらに限定されないが、以下が含まれる：フリーラジカル重合性アクリルエステルもしくはメタクリルエステルまたはアミドモノマー由来のホモポリマーおよびコポリマー。このコポリマーは、アクリルアミド、メタクリルアミド、ジアセトンアクリルアミド、アクリル酸もしくはメタクリル酸もしくはこれらのエステル、ビニルラクタム、例えば、ビニルピロリドンもしくはビニルカプロラクタムなど、およびビニルエステル由来の１つまたは複数の単位を含有することができる。例示的ポリマーには、以下が含まれる：ジメチルスルフェートまたはアルキルハロゲン化物で四級化されたアクリルアミドおよびジメチルアミノエチルメタクリレートのコポリマー；アクリルアミドおよびメタクリロイルオキシエチルトリメチルアンモニウムクロリドのコポリマー；アクリルアミドおよびメタクリロイルオキシエチルトリメチルアンモニウムメトスルフェートのコポリマー；ビニルピロリドン／ジアルキルアミノアルキルアクリレートまたはメタクリレートのコポリマー（場合によって四級化）、例えば、Ｉｎｔｅｒｎａｔｉｏｎａｌ  Ｓｐｅｃｉａｌｔｙ  Ｐｒｏｄｕｃｔｓにより、ＧＡＦＱＵＡＴ（商標）の名称で販売されている製品など；ジメチルアミノエチルメタクリレート／ビニルカプロラクタム／ビニルピロリドンターポリマー、例えば、Ｉｎｔｅｒｎａｔｉｏｎａｌ  Ｓｐｅｃｉａｌｔｙ  ＰｒｏｄｕｃｔｓよりＧＡＦＦＩＸ（商標）ＶＣ  ７１３の名称で販売されている製品など、ビニルピロリドン／メタクリルアミドプロピルジメチルアミンコポリマー、ＳＴＹＬＥＺＥ（商標）  ＣＣ  １０の名称で売り出され、Ｉｎｔｅｒｎａｔｉｏｎａｌ  Ｓｐｅｃｉａｌｔｙ  Ｐｒｏｄｕｃｔｓから入手可能；およびビニルピロリドン／四級化されたジメチルアミノプロピルメタクリルアミドコポリマー、例えば、ＧＡＦＱＵＡＴ（商標）ＨＳ  １００の名称で、Ｉｎｔｅｒｎａｔｉｏｎａｌ  Ｓｐｅｃｉａｌｔｙ  Ｐｒｏｄｕｃｔｓより販売されている製品など。
【０２１８】
カチオン性コンディショナー剤はまた、ビニルピロリドンおよびビニルイミダゾールの第四級ポリマー、例えば、商標名Ｌｕｖｉｑｕａｔ（登録商標）（製品記号表示ＦＣ  ９０５、ＦＣ  ５５０、および  ＦＣ３７０）で、ＢＡＳＦより販売されている製品から選択することもできる。本発明の組成物中で使用することができる他のカチオン性ポリマーコンディショナーには、以下が含まれる：ポリアルキレンイミン例えば、ポリエチレンイミン、ビニルピリジンまたはビニルピリジニウム単位を含有するポリマー、ポリアミンとエピクロロヒドリンの縮合物、第四級多糖、第四級ポリウレタン、およびキチンの第四級誘導体。
【０２１９】
本発明におけるカチオン性コンディショナーとして有用な第四級アンモニウム化合物の他の非限定的な例には、以下が含まれる：塩化トリモニウムアセトアミドプロピル、ベヘナミドプロピルジメチルアミン、ベヘナミドプロピルエチルジモニウムエトスルフェート、ベヘントリモニウムクロリド、セテチルモルホリニウムエトスルフェート、セトリモニウムクロリド、ココアミドプロピルエチルジモニウムエトスルフェート、ジセチルジモニウムクロリド、ジメチコンヒドロキシプロピルトリモニウムクロリド、ヒドロキシエチルベヘナミドピロピルジモニウムクロリド、クオタニウム−２６、クオタニウム−２７、クオタニウム−５３、クオタニウム−６３、クオタニウム−７０、クオタニウム−７２、クオタニウム−７６加水分解コラーゲン、ＰＰＧ−９ジエチルモニウムクロリド、ＰＰＧ−２５ジエチルモニウムクロリド、ＰＰＧ−４０ジエチルモニウムクロリド、ステアラルコニウムクロリド、ステアラミドプロピルエチルジモニウムエトスルフェート、ステアルジモニウムヒドロキシプロピル加水分解小麦タンパク質、ステアルジモニウムヒドロキシプロピル加水分解コラーゲン、小麦胚アミドプロパルコニウムクロリド、小麦胚アミドプロピルエチルジモニウムエトスルフェート、ジメチルジアリルアンモニウムクロリドのポリマーおよびコポリマー、例えば、ポリクオタニウム−４、ポリクオタニウム−６、ポリクオタニウム−７、ポリクオタニウム−１０、ポリクオタニウム−１１、ポリクオタニウム−１６、ポリクオタニウム−２２、ポリクオタニウム−２４、ポリクオタニウム−２８、ポリクオタニウム−２９、ポリクオタニウム−３２、ポリクオタニウム−３３、ポリクオタニウム−３５、ポリクオタニウム−３７、ポリクオタニウム−３９、ポリクオタニウム−４４、ポリクオタニウム−４６、ポリクオタニウム−４７、ポリクオタニウム−５２、ポリクオタニウム−５３、ポリクオタニウム−５５、ポリクオタニウム−５９、ポリクオタニウム−６１、ポリクオタニウム−６４、ポリクオタニウム−６５、ポリクオタニウム−６７、ポリクオタニウム−６９、ポリクオタニウム−７０、ポリクオタニウム−７１、ポリクオタニウム−７２、ポリクオタニウム−７３、ポリクオタニウム−７４、ポリクオタニウム−７６、ポリクオタニウム−７７、ポリクオタニウム−７８、ポリクオタニウム−７９、ポリクオタニウム−８０、ポリクオタニウム−８１、ポリクオタニウム−８２、ポリクオタニウム−８４、ポリクオタニウム−８５、ポリクオタニウム−８７、ＰＥＧ−２−ココモニウムクロリド。
【０２２０】
上で論じたように、多数の成分が、毛髪または皮膚のためのコンディショニング剤として当技術分野で公知である。論じられたものに加えて、他の非限定的な例には、以下が含まれる：ＰＣＡ（ＤＬ−ピロリドンカルボン酸）およびその塩、例えばリジンＰＣＡ、アルミニウムＰＣＡ、銅ＰＣＡ、キトサンＰＣＡなど、アラントイン；ウレア；ヒアルロン酸およびその塩；セラミド；ソルビン酸およびその塩；糖およびデンプンならびにこれらの誘導体；ラクトアミドＭＥＡなど。
【０２２１】
本発明の別の実施形態では、本発明のカチオン性修飾および両親媒性修飾したカシアポリマーを、１つまたは複数の補助のレオロジー改変剤および増粘剤と組み合わせて配合することができる。適切なレオロジー改変剤および増粘剤には、合成および半合成レオロジー改変剤が含まれる。例示的合成レオロジー改変剤には、アクリル酸ベースのポリマーおよびコポリマーが含まれる。１つのクラスのアクリル酸ベースのレオロジー改変剤は、アクリル酸単独による、または他のエチレン性不飽和モノマーと組み合わせたフリーラジカル重合により生成した、カルボキシル官能基のアルカリ膨潤性およびアルカリ可溶性増粘剤（ＡＳＴ）である。このポリマーは、溶媒／沈殿ならびにエマルジョン重合技法で合成することができる。このクラスの例示的合成レオロジー改変剤には、以下が含まれる：アクリル酸またはメタクリル酸のホモポリマー、ならびにアクリル酸、置換アクリル酸、および塩のうちの１つまたは複数のモノマー、およびアクリル酸および置換アクリル酸のＣ１〜Ｃ３０アルキルエステルから重合されたコポリマー。本明細書中で定義された通り、置換アクリル酸は、分子のアルファおよび／またはベータ炭素原子上に位置付けられた置換基を含有し、この置換基は、好ましくは、独立して、Ｃ１〜４アルキル、−ＣＮ、および−ＣＯＯＨから選択されるｐである。場合によって、他のエチレン性不飽和モノマー、例えば、スチレン、酢酸ビニル、エチレン、ブタジエン、アクリロニトリル、ならびにこれらの混合物などを、骨格上に共重合することができる。前述のポリマーは、エチレン不飽和を含有する２つ以上の部分を含有するモノマーによって場合によって架橋される。一態様では、架橋剤は、１つの分子につき少なくとも２つのアルケニルエーテル基を含有する多価アルコールのポリアルケニルポリエーテルから選択される。他の例示的架橋剤は、以下から選択される：ショ糖のアリルエーテルおよびペンタエリトリトールのアリルエーテル、ならびにこれらの混合物。これらのポリマーは、本明細書中に参照により組み込まれている、米国特許第５，０８７，４４５号、米国特許第４，５０９，９４９号および米国特許第２，７９８，０５３号により完全に記述されている。
【０２２２】
一実施形態では、ＡＳＴレオロジー改変剤または増粘剤は、アクリル酸またはメタクリル酸から重合された架橋したホモポリマーであり、一般的にカルボマーのＩＮＣＩ名称で呼ばれる。市販のカルボマーには、Ｌｕｂｒｉｚｏｌ  Ａｄｖａｎｃｅｄ  Ｍａｔｅｒｉａｌｓ，Ｉｎｃ．から入手可能な、Ｃａｒｂｏｐｏｌ（登録商標）ポリマー９３４、９４０、９４１、９５６、９８０および９９６が含まれる。別の実施形態では、ＡＳＴレオロジー改変剤は、（メタ）アクリル酸、置換アクリル酸、ならびに（メタ）アクリル酸および置換アクリル酸の塩の１つまたは複数のモノマーから選択される第１のモノマー、ならびに（メタ）アクリル酸の１つまたは複数のＣ１〜Ｃ５アクリル酸アルキルエステルから選択される第２のモノマーから重合される架橋コポリマーから選択される。これらのポリマーは、ＩＮＣＩ名でアクリレートコポリマーと命名されている。アクリレートコポリマーは、Ｒｏｈｍ  ａｎｄ  Ｈａａｓから商標名Ａｃｕｌｙｎ（登録商標）３３およびＬｕｂｒｉｚｏｌ  Ａｄｖａｎｃｅｄ  Ｍａｔｅｒｉａｌｓ，Ｉｎｃ．からＣａｒｂｏｐｏｌ（登録商標）Ａｑｕａ  ＳＦ−１で市販されている。さらなる態様では、レオロジー改変剤は、アクリル酸、置換アクリル酸、アクリル酸の塩および置換アクリル酸の塩のうちの１つまたは複数のモノマーから選択される第１のモノマー、およびアクリル酸またはメタクリル酸の１つまたは複数のＣ１０〜Ｃ３０アクリル酸アルキルエステルから選択される第２のモノマーから重合される架橋コポリマーから選択される。一態様では、モノマーは、例えば、本明細書中に参照により組み込まれている、米国特許第５，２８８，８１４号などに開示されている立体的な安定剤の存在下で重合することができる。一部の前述のポリマーは、ＩＮＣＩ命名法で、アクリレート／アクリル酸アルキル（Ｃ１０〜３０）クロスポリマーと命名され、商標名Ｃａｒｂｏｐｏｌ（登録商標）１３４２および１３８２、Ｃａｒｂｏｐｏｌ（登録商標）Ｕｌｔｒｅｚ  ２０および２１、Ｃａｒｂｏｐｏｌ（登録商標）ＥＴＤ２０２０およびＰｅｍｕｌｅｎ（登録商標）ＴＲ−１およびＴＲ−２、Ｌｕｂｒｉｚｏｌ  Ａｄｖａｎｃｅｄ  Ｍａｔｅｒｉａｌｓ，Ｉｎｃ．製として市販されている。任意のビニルまたはアクリルベースのレオロジー改変剤が適切である。
【０２２３】
本発明での使用に適した、別のクラスの合成レオロジー改変剤および増粘剤には、両親媒性修飾された、アルカリ膨潤性およびアルカリ可溶性エマルジョン（ＨＡＳＥ）ポリマーと一般的に呼ばれる、両親媒性修飾ＡＳＴが含まれる。典型的なＨＡＳＥポリマーは、ｐＨ感受性のまたは両親媒性のモノマー（例えば、アクリル酸および／またはメタクリル酸）、両親媒性モノマー（例えば、アクリル酸および／またはメタクリル酸のＣ１〜Ｃ３０アルキルエステル、アクリロニトリル、スチレン）、「両親媒性モノマー」、および任意選択の架橋モノマーから重合したフリーラジカル付加ポリマーである。両親媒性モノマーは、エチレン性不飽和重合可能な末端基、両親媒性の末端基で終端された非イオン性両親媒性の中央部分を含む。非イオン性両親媒性中央部分は、ポリオキシアルキレン基、例えば、ポリエチレンオキシド、ポリプロピレンオキシド、またはポリエチレンオキシド／ポリプロピレンオキシドセグメントの混合物を含む。末端両親媒性末端基は、通常Ｃ８〜Ｃ４０脂肪族部分である。例示的脂肪族部分は、直鎖および分枝のアルキル置換基、直鎖および分枝のアルケニル置換基、炭素環式置換基、アリール置換基、アラルキル置換基、アリールアルキル置換基およびアルキルアリール置換基から選択される。一態様では、両親媒性モノマーは、ポリエトキシ化および／またはポリプロポキシル化脂肪族アルコール（通常、分枝または非分枝のＣ８〜Ｃ４０脂肪族部分を含有する）の、カルボン酸基を含有するエチレン性不飽和モノマー（例えば、アクリル酸、メタクリル酸）、不飽和環状無水物モノマー（例えば、無水マレイン酸、無水イタコン酸、無水シトラコン酸）、モノエチレン性不飽和モノイソシアネート（例えば、α，α−ジメチル−ｍ−イソプロペニルベンジルイソシアネート）またはヒドロキシル基を含有するエチレン性不飽和モノマー（例えば、ビニルアルコール、アリルアルコール）との縮合（例えば、エステル化またはエーテル化）により調製することができる。ポリエトキシ化および／またはポリプロポキシル化された脂肪族アルコールは、Ｃ８〜Ｃ４０脂肪族部分を含有するモノアルコールのエチレンオキシドおよび／またはプロピレンオキシド付加反応物である。Ｃ８〜Ｃ４０脂肪族部分を含有するアルコールの非限定的な例は、以下である：カプリルアルコール、イソ−オクチルアルコール（２−エチルヘキサノール）、ペラルゴンアルコール（１−ノナノール）、デシルアルコール、ラウリルアルコール、ミリスチルアルコール、セチルアルコール、セチルアルコール、セテアリルアルコール（Ｃ１６〜Ｃ１８モノアルコールの混合物）、ステアリルアルコール、イソステアリルアルコール、エライジルアルコール、オレイルアルコール、アラキジルアルコール、ベヘニルアルコール、リグノセリルアルコール、セリルアルコール、モンタニルアルコール、メリシル、ラセリルアルコール、ゲジルアルコール、およびＣ２〜Ｃ２０アルキル置換フェノール（例えば、ノニルフェノール）など。
【０２２４】
例示的ＨＡＳＥポリマーは、本明細書中に参照により組み込まれている、米国特許第３，６５７，１７５号、第４，３８４，０９６号、第４，４６４，５２４号、第４，８０１，６７１号および第５，２９２，８４３号において開示されている。さらに、ＨＡＳＥポリマーの広範な総説は、関連開示が本明細書に参照により組み込まれている、Ｇｒｅｇｏｒｙ  Ｄ．Ｓｈａｙ、第２５章、「Ａｌｋａｌｉ−Ｓｗｅｌｌａｂｌｅ  ａｎｄ  Ａｌｋａｌｉ−Ｓｏｌｕｂｌｅ  Ｔｈｉｃｋｅｎｅｒ  Ｔｅｃｈｎｏｌｏｇｙ  Ａ  Ｒｅｖｉｅｗ」、Ｐｏｌｙｍｅｒｓ  ｉｎ  Ａｑｕｅｏｕｓ  Ｍｅｄｉａ−Ｐｅｒｆｏｒｍａｎｃｅ  Ｔｈｒｏｕｇｈ  Ａｓｓｏｃｉａｔｉｏｎ、Ａｄｖａｎｃｅｓ  ｉｎ  Ｃｈｅｍｉｓｔｒｙ  Ｓｅｒｉｅｓ  ２２３、Ｊ．Ｅｄｗａｒｄ  Ｇｌａｓｓ（編）、ＡＣＳ、４５７〜４９４頁、Ｄｉｖｉｓｉｏｎ  Ｐｏｌｙｍｅｒｉｃ  Ｍａｔｅｒｉａｌｓ、Ｗａｓｈｉｎｇｔｏｎ、ＤＣ（１９８９年）において見出される。ＨＡＳＥポリマーは、Ｒｏｈｍ＆Ｈａａｓより、商業用記号表示Ａｃｕｌｙｎ（登録商標）２２（ＩＮＣＩ名：アクリレート／ステアレス−２０メタクリレートコポリマー）、Ａｃｕｌｙｎ（登録商標）４４（ＩＮＣＩ名：ＰＥＧ−１５０／デシルアルコール／ＳＭＤＩコポリマー）、Ａｃｕｌｙｎ４６（登録商標）（ＩＮＣＩ名：ＰＥＧ−１５０／ステアリルアルコール／ＳＭＤＩコポリマー）、およびＡｃｕｌｙｎ（登録商標）８８（ＩＮＣＩ名：アクリレート／ステアレス−２０メタクリレートクロスポリマー）で市販されている。
【０２２５】
本発明での使用に適した別のクラスの合成および半合成レオロジー改変剤および増粘剤には、カチオン性修飾アクリル酸ポリマーおよびコポリマーおよびカチオン性修飾セルロースエーテルが含まれる。アクリル酸ポリマーおよびコポリマーならびにセルロースエーテルは、四級化を介して、カチオン性修飾される。アクリル酸ポリマーおよびコポリマーに対して、四級化は、四級化モノマーを、アクリル酸ポリマー骨格に重合化することによって、または四級化剤を用いてアクリル酸ポリマーを後官能基化することによって起こすことができる。例示的第四級アクリル酸ポリマーは、ＩＮＣＩ命名法によりポリクオタニウム−３７と命名され、３Ｖ  Ｉｎｃから、商標名Ｓｙｎｔｈａｌｅｎ  ＣＲ２１およびＳｙｎｔｈａｌｅｎ  ＣＮで市販されている。四級化セルロースは、所望のセルロース系材料骨格（例えば、ヒドロキシエチルセルロース）を、四級化剤、例えば、第四級アンモニウム塩（例えば、ジアリルジメチルアンモニウムクロリド、トリメチルアンモニウムクロリド置換エポキサイド）を用いて後官能基化することによって調製される。例示的第四級セルロース系材料ポリマーは、ＩＮＣＩ名により、ポリクオタニウム−４、ポリクオタニウム−１０、およびポリクオタニウム−６７と命名されている。
【０２２６】
別の実施形態では、酸膨潤性両親媒性ポリマーを、本発明のカチオン性修飾および両親媒性修飾したポリマーと共に使用することができる。このようなポリマーは、一般的にカチオン性および両親媒性特性を有する。これらのポリマーは、酸感受性アミノ置換両親媒性モノマー（例えば、ジアルキルアミノアルキル（メタ）アクリレートまたは（メタ）アクリルアミド）、両親媒性モノマー（本明細書中上記で定義）、低級アルキル（メタ）アクリレート、または以下から選択される、他のフリーラジカル重合可能なコモノマーを含むモノマー混合物から重合した、フリーラジカル付加ポリマーである：（メタ）アクリル酸のヒドロキシアルキルエステル、ポリエチレングリコールのビニルおよび／またはアリルエーテル、ポリプロピレングリコールのビニルおよび／またはアリルエーテル、ポリエチレングリコール／ポリプロピレングリコールのビニルおよび／またはアリルエーテル、（メタ）アクリル酸のポリエチレングリコールエステル、（メタ）アクリル酸のポリプロピレングリコールエステル、（メタ）アクリル酸のポリエチレングリコール／ポリプロピレングリコールエステル、およびこれらの組合せ。これらのポリマーは、場合によって、架橋することができる。酸感受性とは、低ｐＨ値、通常約０．５〜約６．５の範囲においてカチオン性となるアミノ置換基を意味する。例示的酸膨潤性両親媒性ポリマーは、商標名Ｓｔｒｕｃｔｕｒｅ（登録商標）Ｐｌｕｓ（ＩＮＣＩ名：アクリレート／アミノアクリレート／Ｃ１０〜Ｃ３０アルキルＰＥＧ−２０イタコネート）、Ａｋｚｏ  Ｎｏｂｅｌ製として、およびＣａｒｂｏｐｏｌ（登録商標）Ａｑｕａ  ＣＣ（ＩＮＣＩ名：ポリアクリレート−１クロスポリマー）、Ｌｕｂｒｉｚｏｌ  Ａｄｖａｎｃｅｄ  Ｍａｔｅｒｉａｌｓ，Ｉｎｃ．製として市販されている。一態様では、酸膨潤性ポリマーは、エチレングリコールジメタクリレートで架橋した、（メタ）アクリル酸、Ｃ１〜Ｃ４ジアルキルアミノＣ１〜Ｃ６アルキルメタクリレート、ＰＥＧ／ＰＰＧ−３０／５アリルエーテル、ＰＥＧ２０−２５Ｃ１０〜Ｃ３０アルキルエーテルメタクリレート、ヒドロキシＣ２〜Ｃ６アルキルメタクリレートの１つまたは複数のＣ１〜Ｃ５アルキルエステルのコポリマーである。他の有用な酸膨潤性両親媒性ポリマーは、その開示が本明細書中に参照により組み込まれている、米国特許第７，３７８，４７９号で開示されている。
【０２２７】
両親媒性修飾アルコキシ化メチルグルコシド、例えば、ＰＥＧ−１２０メチルグルコースジオレアート、ＰＥＧ−１２０メチルグルコーストリオレエート、およびＰＥＧ−２０メチルグルコースセスキステアレート、Ｌｕｂｒｉｚｏｌ  Ａｄｖａｎｃｅｄ  Ｍａｔｅｒｉａｌｓ，Ｉｎｃ．からそれぞれ、商標名、Ｇｌｕｃａｍａｔｅ（登録商標）ＤＯＥ−１２０、Ｇｌｕｃａｍａｔｅ（商標）ＬＴ、およびＧｌｕｃａｍａｔｅ（商標）ＳＳＥ−２０として入手可能なものもまた適切なレオロジー改変剤である。
【０２２８】
樹木および低木浸出液から得られる多糖、例えばアラビアガム、ガッティガム、およびトラガカントガム、ならびにペクチンなど；海藻抽出物、例えば、アルギネートおよびカラゲナンなど；藻抽出物、例えば寒天など；微生物の多糖、例えば、キサンタン、ゲラン、およびウェランなど；セルロースエーテル、例えば、エチルヘキシルエチルセルロース、ヒドロキシブチルメチルセルロース、ヒドロキシエチルメチルセルロース、ヒドロキシプロピルメチルセルロース、メチルセルロース、カルボキシメチルセルロース、ヒドロキシエチルセルロース、およびヒドロキシプロピルセルロースなど；ポリガラクトマンナン、例えば、フェヌグリークガム、カシアガム、イナゴマメガム、タラガム、およびグアーガムなど；デンプン、例えば、コーンスターチ、タピオカデンプン、ライスデンプン、小麦デンプン、バレイショデンプンおよびソルガムデンプンなども、適切な増粘剤およびレオロジー改変剤として本明細書中の組成物に採用することができる。
【０２２９】
本発明のパーソナルケア組成物における使用に適した他のレオロジー改変剤は、その開示が本明細書中に参照により組み込まれている、米国特許第７，２０５，２７１号において開示されている。
【０２３０】
上に記載のレオロジー改変剤は、採用された場合、単独または組み合わせて使用することができ、通常、本発明のパーソナルケア組成物の総重量に基づき、一態様では、約０．１重量％〜約５重量％、別の態様では、約０．３重量％〜約３重量％、さらなる態様では、約０．５重量％〜約２重量％の範囲の量で使用される。
【０２３１】
適用可能な場合、任意の公知のエアゾール噴霧剤を利用することによって、本発明のカチオン性修飾および両親媒性修飾したカシアポリマーを、１つまたは複数の前述の有効成分および／または１つまたは複数の添加剤および／または補助剤（上で論じたパーソナルケア、ヘルスケア、ホームケア、および施設用のケア製品に慣例的にまたは一般的に含まれているもの）と組み合わせて含有する、パーソナルケア、ホームケア、ヘルスケアおよび施設用のケア組成物を届けることができる。例示的噴霧剤には、これらに限定されないが、低沸点炭化水素例えば、Ｃ３〜Ｃ６直鎖状および分枝鎖の炭化水素が含まれる。例示的炭化水素噴霧剤には、以下が含まれる：プロパン、ブタン、イソブテン、およびこれらの混合物。他の適切な噴霧剤には、以下が含まれる：エーテル、例えば、ジメチルエーテルなど、ハイドロフルオロカーボン、例えば、１，１−ジフルオロエタンなど、および圧縮ガス、例えば空気および二酸化炭素など。これらの組成物は、組成物の総重量に基づき、一実施形態において、約０．５〜約６０重量％、別の実施形態では、約０．５〜約３５重量％の噴霧剤を含有することができる。
【０２３２】
本発明の組成物が含有することのできる様々な構成成分および成分に対して重複する重量範囲が、本発明の選択された実施形態および態様に対して表現されてきたが、開示されたパーソナルケア、ホームケア、ヘルスケア、および施設用のケア組成物中の各構成成分の具体的な量は、組成物中のすべての構成成分の合計が全部で１００重量％となるように、各構成成分の量を調整するように、その開示されている範囲から選択されることは容易に明らかであろう。採用する量は、所望の製品の目的および特徴によって変動することになり、配合技術の分野の当業者によっておよび文献から、容易に求めることができる。
【０２３３】
カチオン性修飾および両親媒性修飾された本発明のカシアポリマーを含むパーソナルケア、ホームケア、ヘルスケアおよび施設用のケア組成物における成分の選択および量は、配合技術の分野の当業者には周知であるように、意図する製品およびその機能に応じて変動し得ることも理解されたい。成分ならびにこれら従来の機能および製品カテゴリーの広範なリストが開示され、文献から容易に確かめることができ、これらのうちの一部は、複数の機能を発揮することができる。
【０２３４】
本発明は、以下の実施例により例示されるが、これらの実施例は、単に例示目的のためだけであり、本発明の範囲またはこれが実施され得る方法を限定するものとみなされてはならない。特に別段示されていない限り、部およびパーセンテージは、重量により示されている。
【０２３５】
方法
単糖含有量
当業者であれば、天然のガラクトマンナンが、単一の供給源から得られる場合でさえも、変動する範囲のマンノースとガラクトースの比を含有することになることは、よく理解されている。したがって、これらマンノースとガラクトースの比は平均比として報告される。  カシアガムの単糖含有量は、Ｅｎｇｌｙｓｔら（「Ｄｅｔｅｒｍｉｎａｔｉｏｎ  ｏｆ  Ｄｉｅｔａｒｙ  Ｆｉｂｒｅ  ａｓ  Ｎｏｎ−Ｓｔａｒｃｈ  Ｐｏｌｙｓａｃｃｈａｒｉｄｅｓ  ｂｙ  Ｇａｓ−Ｌｉｑｕｉｄ  Ｃｈｒｏｍａｔｏｇｒａｐｈｙ．」Ａｎａｌｙｓｔ（１１７巻）、１９９２年１１月、１７０７〜１７１４頁から適応された方法を使用して求めることができる。この方法で、カシア種子内乳（３００ｍｇ）、砂（３００ｍｇ）、およびアセトン（４０ｍＬ）を３０分間、一緒に撹拌する。アセトン（脂肪画分を含有する）をデカントし、残りの試料を８０℃の槽内で乾燥させる。１時間磁気撹拌しながら、３５℃の槽内で硫酸（１２Ｍ、５ｍＬ）を使用して、多糖加水分解を実施する。次いで、水（２５ｍＬ）を添加し、１００℃の槽の温度でもう１時間撹拌しながら、加水分解を継続させる。試料のバイアルを水道水の中で室温に冷却する。加水分解物溶液（３ｍＬ）を新しいバイアルに移し、アンモニア溶液（１２．５Ｍ、１ｍＬ）を添加し、素早く混合する（加水分解物溶液のｐＨが７以下である場合、アンモニア溶液をもう少し添加する）。加水分解物中での単糖の還元のため、オクタン−２−オール（５μＬ）およびアンモニア−ナトリウムテトラヒドロボレート溶液（ナトリウムテトラヒドロボレート１．２ｇの１２．５Ｍアンモニア水６ｍＬ中溶液２００μＬ）を４０℃槽内で３０分間一緒に撹拌し、その後氷酢酸（４００μＬ）を混合することによって、溶液を中和する。還元溶液（５００μＬ）を新しいガラスバイアルに移し、１−メチルイミダゾール（５００μＬ）および無水酢酸（５ｍＬ）を添加することによってアセチル化し、１０分間混合する。エタノール（９００μＬ）を添加し、混合をもう５分間継続し、続いて脱イオン水（１０ｍＬ）を添加し、混合をもう５分間継続する。ブロモフェノールブルー（５００μＬ）をこの混合物に添加する。バイアルを氷浴内に置き、水性の水酸化カリウム（５ｍＬの７．５Ｍ水中溶液）をバイアルに混合する。２分後、もう５ｍＬの水酸化カリウム溶液をバイアル中に入れ、混合する。１５分後、または液体分別が生じた時点で、透明な上部の相（酢酸エチル）を収集すると、より低部に青色の水相が後に残る。
【０２３６】
酢酸エチル相をメタノール（４×量）中で希釈し、炎光イオン化検出器を備えたＨｅｗｌｅｔｔ  Ｐａｃｋａｒｄ  ６８９０ガスクロマトグラフィーへと注入する。試料の構成成分を、０．５μｍＲＴＸ−５０固定相でコーティングされた、３０ｍ×０．３２ｍｍ溶融シリカカラムで分離する。ＧＣオーブンを、作動全期間を通して等温的に２２５℃で維持する。入口および検出器温度を２７５℃で維持する。マンニトール−ヘキサアセタートを、１２．１〜１２．２分の時点で検出し、ソルビトール−ヘキサアセタートを、１２．４〜１２．５分の時点で検出し、ガラクチトール−ヘキサアセタートを１２．９〜１３．０分の時点で検出する。この手順を利用して試験したガラクトマンナンのマンノース：ガラクトース比は以下の通りである：
【０２３７】
【化２２】
2014523456.tif 000023
【０２３８】
分子量
各ガム試料を溶解するため、２５０ｍｇのガムを秤量し、５０ｍｌのＤＩ水の中に分散する。次いでこの混合物を介して窒素ガスを３０分間バブリングさせ、続いて１１５℃で２時間還流させることによって、このスラリー／溶液を脱気する。次いで試料を０℃に冷却し、この時点で１．５ｇのＮａＯＨおよび１．０ｇのウレアを撹拌しながら添加する。すべての塩が溶解したら、試料を−１２℃の冷凍庫内に置き、一晩固体に凍結する。次の日この試料を水槽内で室温まで温め、十分に解凍する。次いで冷凍庫に戻し、一晩固体に再凍結する。各試料を全部で３回冷凍／解凍のサイクルに供し、それから、およそ２．２ｍＬの氷酢酸でｐＨ７に中和する。この工程により、十分に可溶性のある粘性溶液を得る。本明細書中に参照された重量平均分子量および数平均分子量を、低角度光散乱で、室温で、２×ＰＬａｑｕａｇｅｌ  ＯＨ−Ｍｉｘｅｄ−Ｈ８μｍ  ３００×７．５ｍｍカラムを使用して、ｐＨ−７で、溶離液として、約０．９ｍｇ／ｍＬの濃度の０．２Ｍ  ＮａＮＯ３、０．０１Ｍ  ＮａＨ２ＰＯ４緩衝液中で、流速１ｍＬ／分で測定する（各試料は、０．５μｍシリンジフィルターを介して予め濾過しておいた）。使用した検出器は、ＰＤ２０２０光散乱検出器を有するＰＬ−ＧＰＣ  ５０  Ｐｌｕｓ  Ｒｅｆｒａｃｔｉｖｅ  Ｉｎｄｅｘ  Ｄｅｔｅｃｔｏｒである。ＰＬ−Ｃｉｒｒｕｓソフトウエアを使用して、結果を分析し、ポリガラクトマンナンのＭｎおよびＭｗを算出する。
【０２３９】
置換度
両親媒性置換度（ＤＳ両親媒性）は、Ｚｅｉｓｅｌ方法を適用することで求めることができる（Ｋ．  Ｌ．  Ｈｏｄｇｅｓ、Ｗ．  Ｅ．  Ｋｅｓｔｅｒ、Ｄ．  Ｌ．  ＷｉｅｄｅｒｒｉｃｈおよびＪ．  Ａ．  Ｇｒｏｖｅｒ、Ｄｅｔｅｒｍｉｎａｔｉｏｎ  ｏｆ  Ａｌｋｏｘｙ１  Ｓｕｂｓｔｉｔｕｔｉｏｎ  ｉｎ  Ｃｅｌｌｕｌｏｓｅ  Ｅｔｈｅｒｓ  ｂｙ  Ｚｅｉｓｅｌ−Ｇａｓ  Ｃｈｒｏｍａｔｏｇｒａｐｈｙ，  Ａｎａｌｙｔｉｃａｌ  Ｃｈｅｍｉｓｔｒｙ、５１巻（１３号）、１１月（１９７９年）２１７２〜２１７６頁）。ヨウ化水素酸を誘導体化したカシアへ曝露することで、アルキルヨージドは、誘導体化したカシア中に存在するアルキレンオキシド繰返し単位の量と等しい量だけ遊離することになる。両親媒性置換基の平均重合度ｄｐで割ることによって、ＤＳ両親媒性（ＤＳＩＩ＝ＤＳ両親媒性＝モルアルキルヨージド／ｄｐ）を得る。
【０２４０】
カチオン性置換基が第１のステップでガラクトマンナン上に付け加えられ、両親媒性置換基が第２のステップで付け加えられる場合、両親媒性置換基は以前のステップのカチオン性ガラクトマンナンとは異なる窒素組成物を含有するので、ＤＳ両親媒性は、生成物の窒素重量分率を減算することによって求めることもできる。ＤＳｃａｔは、ステップの１つにおいて求めた窒素の重量％から求める、ＤＳＩ＝ＤＳｃａｔ＝％Ｎステップ１×（ＭＷ無水サッカライド）／（ＭＷＮ−％Ｎステップ１×ＭＷｃａｔ）。次いで、ＤＳＩＩ＝Ｄ両親媒性＝（％Ｎステップ２×ＭＷ無水サッカライド単位＋％Ｎステップ２×ＤＳｃａｔ×ＭＷｃａｔ−％Ｎステップ２×ＭＷＮ）／（−％Ｎステップ２×ＭＷ両親媒性）。
【０２４１】
コンディショニング特質の官能パネルテスト
訓練したパネル（少なくとも３パネリスト）が、強制選択テスト設計を使用して、２つの処理した毛髪の房の間で、コンディショニング特質について、ツーインワンシャンプー配合物を比較する。本発明のカチオン性修飾および両親媒性修飾したカシアポリマーを含むベースツーインワンシャンプー配合物で処理した毛髪の房を、市販のカチオン性ポリマーを含有する同質のベースシャンプー配合物で処理した毛髪の房と比較する。処理した毛髪の房について２つのテスト配合物を比較する上で、評価した４つの官能特質のそれぞれについて、どちらの房がより良く機能するか示すように各パネリストは要求される。パネルが評価する官能特質には、以下が含まれる：（１）湿潤櫛梳き性の容易さ、（２）湿潤感（滑り感または湿気調節された感触）、（３）乾燥櫛梳き性の容易さ、および（４）乾燥感（柔らかい感触または乾燥調節された感触）。テストプロトコルは、６つの処理した房のマトリックス設計を利用する（テスト配合物のそれぞれに対して３回の反復処理）。テストマトリックスにより、本発明のカチオン性修飾および両親媒性修飾したカシアポリマーを含有する配合物の３つの反復処理した房と、比較配合物で処理した３つの反復処理した房との直接的なブラインド比較が可能となる。テスト配合物（本発明配合物および比較配合物）のそれぞれに対して３つの反復処理の順列から、ペアにした房（本発明配合物対比較配合物）の９つの比較が可能である。このマトリックスは、パネルメンバーの二重の評価が含まれるように設計されている。このマトリックス設計を用いて、全部で３６の比較を行う。統計分析（本発明配合物対比較配合物の好みのＺ値計算）を使用して、本発明配合物が比較配合物とは統計学的に異なる（選択された官能特質に対してより良好なまたはより悪い）という信頼のレベルを求める。
【０２４２】
官能パネルテストのための毛髪の房の調製手順
２．５ｇの重量（乾燥重量）の毛髪の房（白人の茶色の毛髪または白人のブリーチした毛髪、Ｉｎｔｅｒｎａｔｉｏｎａｌ  Ｈａｉｒ  Ｉｍｐｏｒｔｅｒｓ，  Ｉｎｃ．より購入）を、ストリッピングシャンプー（１０重量％のラウリル硫酸ナトリウムおよび１０重量％のイソ−プロパノールを含有する界面活性剤イソ−プロパノール混合物）で予め洗浄し、温かい水道水で十分にすすぐことによって、シャンプーを除去する。人差し指と中指の間で各房を挟むことによって、過剰の水を除去し、指のすき間を介して房をそっと引く。湿った房を、秤量皿の先端部に置き、０．５ｇのテストシャンプー配合物を毛髪の房の全長にわたり下方に向かって均等に適用する。シャンプーを毛髪の房の毛根から毛先まで房にもみ込む。次いで温かい水道水で約６０秒この房をすすぐ。すすぎの間、房は、その全長にわたり少なくとも２０〜２５回数櫛で梳かすことによって、残留するシャンプーを確実に除去する。このトリートメントステップを２回繰り返し、全部で洗浄／リンスを２回行う。
【実施例】
【０２４３】
（実施例Ａ）
反応容器に対し、Ｃａｓｓｉａ  ｔｏｒａおよびＣａｓｓｉａ  ｏｂｔｕｓｉｆｏｌｉａの内乳から得た、１６０ｇのカシアガム（約１０重量％の水分を含有する）を、９２１ｇの４４％イソプロパノール溶液に添加し、スラリー化する。このスラリーに、４．５ｇの水酸化カリウムを添加し、窒素ブランケット下で、この混合物を４０℃で３０分間加熱する。次いで、９２．８ｇの２，３−エポキシプロピルトリメチルアンモニウムクロリド（Ｑｕａｂ  １５１、ＳＫＷ  Ｑｕａｂ  Ｃｈｅｍｉｃａｌｓ  Ｉｎｃ製、７０％）をスラリーに添加する。この反応スラリーを７０℃に加熱し、この温度で３時間この反応を進行させる。５０℃に冷却後、この混合物を３８０ｇの９９％イソプロパノールで希釈し、氷酢酸でｐＨ約７．０に中和する。ヒドロキシプロピルトリメチルアンモニウムクロリドカシア生成物を濾過し、３８０ｇの９９％イソプロパノールで一度洗浄し、一晩空気乾燥させ、１００℃で４時間オーブン乾燥させることによって、１７９．３のカチオンで誘導されたカシアを生成する。最終生成物は、乾燥重量ベースで２．１８重量％の窒素、または０．３３のＤＳＩを含有する。
【０２４４】
（実施例１）
反応容器に対し、３．３重量％の窒素含有量またはＤＳＩ＝０．５９を有する、５０ｇのヒドロキシプロピルトリメチルアンモニウムクロリドカシアを、実施例Ａに記述されているように、３０６ｇの４４％イソプロパノール溶液に添加する。０．６５ｇの２０％水酸化ナトリウムを添加し、続いて１０．７０ｇのフェノール（ＥＯ）５グリシジルエーテル（Ｄｅｎａｃｏｌ  ＥＸ−１４５、Ｎａｇａｓｅ  Ｃｈｅｍｔｅｘ  Ｃｏｒｐ製）を添加する。混合物を、窒素下で、４０℃で１時間撹拌する。スラリーを７０℃に加熱し、この温度で３時間熱する。５０℃に冷却後、混合物を希酢酸でｐＨ約７．０に中和する。カチオン性修飾および両親媒性修飾したカシア生成物を濾過し、１３５ｇの９９％イソプロパノールで一度洗浄し、一晩空気乾燥させ、１００℃で４時間オーブン乾燥させる。最終生成物は、乾燥重量ベースで２．７１重量％の窒素を含有する。
【０２４５】
（実施例２）
２６．１ｇのラウリルアルコール（ＥＯ）１５グリシジルエーテル（Ｄｅｎａｃｏｌ  ＥＸ−１７１、Ｎａｇａｓｅ  Ｃｈｅｍｔｅｘ  Ｃｏｒｐ．製）および１．９０ｇの２０％水酸化ナトリウムを使用する以外は、実施例１（ＤＳＩ＝０．５９）の手順に従う。最終のカチオン性修飾および両親媒性修飾したカシア生成物は、乾燥重量ベースで２．８５重量％の窒素を含有する。
【０２４６】
（実施例３）
本実施例において、ヒドロキシプロピルトリメチルアンモニウムクロリドカシアを修飾するために使用される調製方法は、５０．０ｇのヒドロキシプロピルトリメチルアンモニウムクロリドカシアを使用して、２．４重量％の窒素含有量（ＤＳＩ＝０．３８）をもたらし、３０．７ｇのラウリルアルコール（ＥＯ）１５グリシジルエーテル（Ｄｅｎａｃｏｌ  ＥＸ−１７１、Ｎａｇａｓｅ  Ｃｈｅｍｔｅｘ  Ｃｏｒｐ．製）および２．２０ｇの２０％水酸化ナトリウムを使用する以外は、実施例１の調製方法に類似している。カチオン性修飾および両親媒性修飾したカシア生成物は、乾燥重量ベースで１．６９重量％の窒素を含有する。
【０２４７】
（実施例４）
実施例１のカチオン性修飾および両親媒性修飾したカシアポリマーを含むツーインワンコンディショニングシャンプー組成物（配合物Ａ）と、市販のカチオン性グアーポリマーを含むツーインワンコンディショニングシャンプー組成物（配合物Ｂ）とを、表１に記載の構成成分を用いて配合する。
【０２４８】
【表１】
2014523456.tif 000024
上記コンディショニング特質の官能パネルテストプロトコルに記載の方法に従い、中国人の毛髪の房の上での配合物Ａと、配合物Ｂのコンディショニング性能を比較するため、官能パネルテストを行う。中国人の毛髪上において、市販のカチオン性グアーを含有する配合物Ｂと比較して、実施例１のカチオン性修飾および両親媒性修飾したカシアポリマーを含有する配合物Ａは、統計学的に有意な、より良好な湿潤および乾燥コンディショニング特性を示す。パネルテストの結果は、中国人の毛髪上で、配合物Ａで処理した毛髪の房が、配合物Ｂと比べて、より良好な湿潤櫛梳き性特質（９９％信頼レベル）、より良好な乾燥櫛梳き性特質（９９％信頼レベル）およびより良好な乾燥感特質（９９％信頼レベル）を有することを示している。
【０２４９】
（実施例５）
実施例１のカチオン性修飾および両親媒性修飾したカシアポリマーを含むツーインワンコンディショニングシャンプー組成物（配合物Ｃ）と、市販のポリクオタニウム１０ポリマーを含むツーインワンコンディショニングシャンプー組成物（配合物Ｄ）とを、表２に記載の構成成分を用いて配合する。
【０２５０】
【表２】
2014523456.tif 000025
上記コンディショニング特質の官能パネルテストプロトコルに記載の方法に従い、中国人の毛髪の房の上での配合物Ｃと、配合物Ｄのコンディショニング性能を比較するため、官能パネルテストを行う。中国人の毛髪上において、市販のポリクオタニウム１０を含有する配合物Ｄと比較して、実施例１のカチオン性修飾および両親媒性修飾したカシアポリマーを含有する配合物Ｃは、統計学的に有意な、より良好な湿潤および乾燥コンディショニング特性を示す。パネルテストの結果は、中国人の毛髪上で、配合物Ｃで処理した毛髪の房が、配合物Ｄと比べて、統計学的に有意に、より良好な湿潤櫛梳き性特質（９９％信頼レベル）、より良好な湿潤感特質（９９％信頼レベル）、より良好な乾燥櫛梳き性特質（９９％信頼レベル）およびより良好な乾燥感特質（９９％信頼レベル）を有することを示している。
【０２５１】
（実施例６）
実施例２のカチオン性修飾および両親媒性修飾したカシアポリマーを含むツーインワンコンディショニングシャンプー組成物（配合物Ｅ）と、市販のカチオン性グアーポリマーを含むツーインワンコンディショニングシャンプー組成物（配合物Ｆ）とを、表３に記載の構成成分を用いて配合する。
【０２５２】
【表３】
2014523456.tif 000026
上記コンディショニング特質の官能パネルテストプロトコルに記載の方法に従い、中国人の毛髪の房の上での配合物Ｅと、配合物Ｆのコンディショニング性能を比較するため、官能パネルテストを行う。中国人の毛髪上において、市販のカチオン性グアーを含有する配合物Ｆと比較して、実施例２のカチオン性修飾および両親媒性修飾したカシアポリマーを含有する配合物Ｅは、統計学的に有意な、より良好な湿潤コンディショニング特性を示す。パネルテストの結果は、中国人の毛髪上で、配合物Ｅで処理した毛髪の房が、カチオン性グアーを含有する配合物Ｆと比べて、より良好な湿潤櫛梳き性特質（９９％信頼レベル）およびより良好な湿潤感特質（９９％信頼レベル）を有することを示している。２つのカチオン性ポリマーの間で、乾燥櫛梳き性および乾燥感特質における統計学的に有意な差は観察されていない。
【０２５３】
（実施例７）
実施例２のカチオン性修飾および両親媒性修飾したカシアポリマーを含むツーインワンコンディショニングシャンプー組成物（配合物Ｇ）と、市販のポリクオタニウム１０ポリマーを含むツーインワンコンディショニングシャンプー組成物（配合物Ｈ）とを、表４に記載の構成成分を用いて配合する。
【０２５４】
【表４】
2014523456.tif 000027
上記コンディショニング特質の官能パネルテストプロトコルに記載の方法に従い、中国人の毛髪の房の上での配合物Ｇと、配合物Ｈのコンディショニング性能を比較するため、官能パネルテストを行う。中国人の毛髪上において、市販のポリクオタニウム１０を含有する配合物Ｈと比較して、実施例２のカチオン性修飾および両親媒性修飾したカシアポリマーを含有する配合物Ｇは、統計学的に有意な、より良好な湿潤および乾燥コンディショニング特性を示す。パネルテストの結果は、中国人の毛髪上で、配合物Ｇで処理した毛髪の房が、配合物Ｈと比べて、統計学的に有意に、より良好な湿潤櫛梳き性特質（９９％信頼レベル）、より良好な乾燥櫛梳き性特質（９９％信頼レベル）およびより良好な乾燥感特質（９９％信頼レベル）を有することを示している。２つのカチオン性ポリマーの間で、湿潤感特質についての統計学的に有意な差は観察されていない。
【０２５５】
（実施例８）
実施例３のカチオン性修飾および両親媒性修飾したカシアポリマーを含むツーインワンコンディショニングシャンプー組成物（配合物Ｉ）と、市販のカチオン性グアーポリマーを含むツーインワンコンディショニングシャンプー組成物（配合物Ｊ）とを、表５に記載の構成成分を用いて配合する。
【０２５６】
【表５】
2014523456.tif 000028
上記コンディショニング特質の官能パネルテストプロトコルに記載の方法に従い、中国人の毛髪の房の上での配合物Ｉと、配合物Ｊのコンディショニング性能を比較するため、官能パネルテストを行う。中国人の毛髪上において、市販のカチオン性グアーを含有する配合物Ｊと比較して、実施例３のカチオン性修飾および両親媒性修飾したカシアポリマーを含有する配合物Ｉは、統計学的に有意な、より良好な湿潤および乾燥コンディショニング特性を示す。パネルテストの結果は、中国人の毛髪上で、配合物Ｉで処理した毛髪の房が、配合物Ｊと比べて、より良好な湿潤櫛梳き性特質（９９％信頼レベル）、より良好な湿潤感特質（９９％信頼レベル）、より良好な乾燥櫛梳き性特質（９９％信頼レベル）およびより良好な乾燥感特質（９９％信頼レベル）を有することを示している。
【０２５７】
（実施例９）
カチオン性修飾および両親媒性修飾したカシアポリマーを、ＳＬＥＳ−３（９％）、ＳＬＳ（５％）、ＣＡＰＢ（２％）、ＣＭＥＡ（０．５％）およびＮａＣｌ（１．０％）を含有する界面活性剤ブレンド配合物に組み込む。カチオン性ポリマーのレベルを０．２５％に固定する。配合物の特徴付けは以下の通りである：
【０２５８】
【表６】
2014523456.tif 000029
実施例１、２および３のカチオン性修飾および両親媒性修飾したカシアポリマーをそれぞれ含有する配合物Ｋ、Ｌ、Ｍは、シャンプー配合物における粘度の有意な増加をもたらし、これは、追加的なポリマー−界面活性剤相互作用の指標である。フェノール（ＥＯ）５グリシジルエーテル（Ｄｅｎａｃｏｌ１４５）との置換を介して１１８００ｍＰａ・ｓから１７７００ｍＰａ・ｓへの粘度の増加が観察され、ラウリルアルコール（ＥＯ）１５グリシジルエーテル（Ｄｅｎａｃｏｌ１７１）との置換により、１１８００ｍＰａ・ｓから２１８５０ｍＰａ・ｓおよび１６９６０ｍＰａ・ｓから２３０５０ｍＰａ・ｓへの粘度の増加が観察されている。すでに記述されたように、これらの結果は、界面活性分子を有する修飾したカチオン性カシアのペンダント両親媒性基の間の潜在的会合性増粘メカニズムを示している。
【０２５９】
特定の代表的な実施形態および詳細が、本発明を例示する目的で示されているが、本技術分野の当業者であれば、本発明の範囲から逸脱することなく、様々な変更および修正が本明細書中でなされることが可能であることは明らかであろう。
【国際調査報告】
2014523456.tif 000033
2014523456.tif 000034